(57)【要約】マイクロ基地局に基づく接続動作方法、端末、および基地局を提供する。端末が、少なくとも１つの隣接する基地局にあらかじめ設定されたルールを満たす少なくとも１つの隣接する基地局が存在すると決定した場合、端末は、リンク変更を示す情報を端末が接続されているソース基地局に送信するか、または、端末が、少なくとも１つの隣接する基地局の測定値に従って、少なくとも１つの隣接する基地局にあらかじめ設定されたルールを満たすターゲット基地局が存在すると決定した場合、端末は、リンク変更を示す情報をターゲット基地局に送信する。
2019508979.tif 000002
【特許請求の範囲】
【請求項１】
マイクロ基地局に基づく接続動作方法であって、
端末によって、少なくとも１つの隣接する基地局を測定して、前記少なくとも１つの隣接する基地局の測定値を取得するステップと、
前記少なくとも１つの隣接する基地局の前記測定値に従って、前記少なくとも１つの隣接する基地局にあらかじめ設定されたルールを満たす少なくとも１つの隣接する基地局が存在すると決定した場合、前記端末によって、リンク変更を示す情報をソース基地局に送信するステップと
を備える方法。
【請求項２】
前記ソース基地局が前記リンク変更を示す前記情報を受け入れると決定した場合、前記リンク変更を示す前記情報が使用され、前記ソース基地局は、前記あらかじめ設定されたルールを満たす前記少なくとも１つの隣接する基地局におけるターゲット基地局を決定し、前記ターゲット基地局および前記端末とのリンク変更処理を実行することを可能になる請求項１に記載の方法。
【請求項３】
前記端末によって、リンク変更を示す情報をソース基地局に送信する前記ステップは、
前記端末によって、前記リンク変更を示し、前記あらかじめ設定されたルールを満たす前記少なくとも１つの隣接する基地局の識別子を備える前記情報を前記ソース基地局に送信するステップ、または、
前記端末によって、前記あらかじめ設定されたルールを満たす前記少なくとも１つの隣接する基地局の識別子と、前記リンク変更を示す前記情報とを前記ソース基地局に送信するステップ
を備える請求項２に記載の方法。
【請求項４】
前記端末によって、少なくとも１つの隣接する基地局にあらかじめ設定されたルールを満たす前記少なくとも１つの隣接する基地局が存在することを決定する前に、
前記ソース基地局がマクロ基地局である場合、前記端末によって、前記ソース基地局によって送信され、前記端末は前記リンク変更を示す前記情報を送信することが許可されていることを示すために使用される指示情報を受信するステップ、または、
前記ソース基地局がマイクロ基地局である場合、前記端末によって、マクロ基地局または前記端末が接続されている前記ソース基地局によって送信され、前記端末は前記リンク変更を示す前記情報を送信することが許可されていることを示すために使用される指示情報を受信するステップ
をさらに備える請求項１乃至３のいずれか一項に記載の方法。
【請求項５】
前記端末は前記リンク変更を示す前記情報を送信することが許可されていることを示すために使用される前記指示情報は、
前記あらかじめ設定されたルールを示すために使用される情報と、
前記あらかじめ設定されたルールに備えられるしきい値を示すために使用される情報と、
前記端末が前記少なくとも１つの隣接する基地局を測定することを可能にするために使用される測定要求と、
前記端末が前記リンク変更を示す前記情報を送信することを可能にする情報と、
前記リンク変更を示す前記情報を前記ソース基地局または前記ターゲット基地局に送信するように前記端末に指示するために使用される指示情報と
のうちの任意の１つまたは複数である請求項４に記載の方法。
【請求項６】
前記あらかじめ設定されたルールは、
満たされる必要がある前記しきい値に関する情報、および、
隣接する基地局のキャリアまたはセルの機能を示す情報
のうちの少なくとも１つである請求項１乃至５のいずれか一項に記載の方法。
【請求項７】
前記しきい値に関する前記情報は、移動状態推定ＭＳＥのパラメータ範囲、および／または前記端末の無線アクセス技術ＲＡＴのパラメータ範囲を備える請求項６に記載の方法。
【請求項８】
前記少なくとも１つの隣接する基地局の前記測定値は、
前記少なくとも１つの隣接する基地局を測定することによって前記端末によって取得された測定結果と、
前記少なくとも１つの隣接する基地局によってブロードキャストされ、前記少なくとも１つの隣接する基地局のキャリアまたはセルは機能を有するかどうかを示すために使用される指示情報と
のうちの少なくとも１つを備える請求項１乃至７のいずれか一項に記載の方法。
【請求項９】
前記機能を示す前記情報は、
マルチ接続機能指示情報、多入力多出力ＭＩＭＯ技術機能指示情報、および受信機機能がサポートされていることを示す指示情報のうちの少なくとも１つのコンテンツのうちの少なくとも１つである請求項６または８に記載の方法。
【請求項１０】
前記端末によって、リンク変更を示す情報をソース基地局に送信する前記ステップの後、
前記ソース基地局が前記リンク変更を示す前記情報を受け入れると決定し、前記あらかじめ設定されたルールを満たす前記少なくとも１つの隣接する基地局における前記ターゲット基地局を決定し、前記ターゲット基地局および前記端末の前記リンク変更処理を実行した後に、前記端末によって、前記ターゲット基地局にランダムにアクセスするステップをさらに備える請求項１乃至９のいずれか一項に記載の方法。
【請求項１１】
前記端末によって、リンク変更を示す情報をソース基地局に送信する前記ステップの後、
前記端末によって、前記ソース基地局によって送信された無線リソース制御ＲＲＣ接続設定コマンドを受信するステップと、
前記ＲＲＣ接続設定コマンドに従ってＲＲＣ接続設定を実行した後、前記端末によって、ＲＲＣ接続設定完了応答を前記ソース基地局に送信するステップと
をさらに備える請求項１乃至１０のいずれか一項に記載の方法。
【請求項１２】
前記端末は、あらかじめ設定された持続時間内に、前記ソース基地局によって返され、前記ソース基地局が前記リンク変更を示す前記情報を受け入れることを示すために使用される応答メッセージを受信しない場合、
前記端末によって、前記少なくとも１つの隣接する基地局を再度測定して、前記少なくとも１つの隣接する基地局の測定値を取得するステップと、
前記少なくとも１つの隣接する基地局の前記測定値に従って、前記少なくとも１つの隣接する基地局に前記あらかじめ設定されたルールを満たす少なくとも１つの隣接する基地局が存在すると決定した場合、前記端末によって、リンク変更を示す情報を前記ソース基地局に送信するステップと
をさらに備える請求項１乃至１１のいずれか一項に記載の方法。
【請求項１３】
前記リンク変更を示す前記情報は、
前記端末へのリンクの追加を示すために使用される指示情報と、
前記端末へのリンクの転送を示すために使用される指示情報と、
前記端末へのリンクの切替えを示すために使用される指示情報と
のコンテンツのうちの任意の１つを備える請求項１乃至１２のいずれか一項に記載の方法。
【請求項１４】
前記端末へのリンクの前記追加は、具体的には、前記端末と前記ターゲット基地局との間のリンクを前記端末に追加することであり、
前記端末へのリンクの前記転送は、具体的には、前記ソース基地局はマクロ基地局であり、前記ターゲット基地局がマイクロ基地局である場合、接続がすでに確立されている前記端末とマイクロ基地局との間のリンクを、前記端末と前記ターゲット基地局との間のリンクに転送することであり、または、前記ソース基地局はマイクロ基地局であり、前記ターゲット基地局がマイクロ基地局である場合、前記端末と前記ソース基地局との間のリンクを、前記端末と前記ターゲット基地局との間のリンクに転送することであり、
前記端末へのリンクの前記切替えは、具体的には、前記端末を前記ソース基地局に接続されたリンクから前記ターゲット基地局に接続されたリンクに切り替えることである請求項１３に記載の方法。
【請求項１５】
前記ソース基地局はマクロ基地局もしくはマイクロ基地局であり、前記ターゲット基地局はマイクロ基地局であるか、または、
前記マクロ基地局はプライマリ基地局であり、前記マイクロ基地局はセカンダリ基地局である請求項１乃至１４のいずれか一項に記載の方法。
【請求項１６】
マイクロ基地局に基づく接続動作方法であって、
端末によって、少なくとも１つの隣接する基地局を測定して、前記少なくとも１つの隣接する基地局の測定値を取得するステップと、
前記少なくとも１つの隣接する基地局の前記測定値に従って、前記少なくとも１つの隣接する基地局にあらかじめ設定されたルールを満たすターゲット基地局が存在すると決定した場合、前記１つまたは複数の端末によって、リンク変更を示す情報を前記ターゲット基地局に送信するステップと
を備える方法。
【請求項１７】
前記ターゲット基地局は前記リンク変更を示す前記情報を受け入れると決定した場合、前記リンク変更を示す前記情報は、前記ターゲット基地局が前記ソース基地局および前記端末とのリンク変更処理を実行することを可能にするために使用される請求項１６に記載の方法。
【請求項１８】
前記端末によって、リンク変更を示す情報を前記ターゲット基地局に送信する前記ステップは、
前記端末によって、前記リンク変更を示し、前記ソース基地局の識別子を備える前記情報を前記ターゲット基地局に送信するステップ、または、
前記端末によって、前記ソース基地局の識別子と、前記リンク変更を示す前記情報とを前記ターゲット基地局に送信するステップ
を備える請求項１７に記載の方法。
【請求項１９】
前記端末によって、前記少なくとも１つの隣接する基地局にあらかじめ設定されたルールを満たすターゲット基地局が存在することを決定する前に、
前記ソース基地局がマクロ基地局である場合、前記端末によって、前記ソース基地局によって送信され、前記端末は前記リンク変更を示す前記情報を送信することが許可されていることを示すために使用される指示情報を受信するステップ、または、
前記ソース基地局がマイクロ基地局である場合、前記端末によって、マクロ基地局または前記端末が接続されている前記ソース基地局によって送信され、前記端末は前記リンク変更を示す前記情報を送信することが許可されていることを示すために使用される指示情報を受信するステップ
をさらに備える請求項１６乃至１８のいずれか一項に記載の方法。
【請求項２０】
前記端末は前記リンク変更を示す前記情報を送信することが許可されていることを示すために使用される前記指示情報は、
前記あらかじめ設定されたルールを示すために使用される情報と、
前記あらかじめ設定されたルールに備えられるしきい値を示すために使用される情報と、
前記端末が前記少なくとも１つの隣接する基地局を測定することを可能にするために使用される測定要求と、
前記端末が前記リンク変更を示す前記情報を送信することを可能にする情報と、
前記リンク変更を示す前記情報を前記ソース基地局または前記ターゲット基地局に送信するように前記端末に指示するために使用される指示情報と
のうちの任意の１つまたは複数である請求項１９に記載の方法。
【請求項２１】
前記あらかじめ設定されたルールは、
満たされる必要がある前記しきい値に関する情報、および、
隣接する基地局のキャリアまたはセルの機能を示す情報
のうちの少なくとも１つである請求項１６乃至２０のいずれか一項に記載の方法。
【請求項２２】
前記しきい値に関する前記情報は、移動状態推定ＭＳＥのパラメータ範囲、および／または前記端末の無線アクセス技術ＲＡＴのパラメータ範囲を備える請求項２１に記載の方法。
【請求項２３】
前記少なくとも１つの隣接する基地局の前記測定値は、
前記少なくとも１つの隣接する基地局を測定することによって前記端末によって取得された測定結果と、
前記少なくとも１つの隣接する基地局によってブロードキャストされ、前記少なくとも１つの隣接する基地局のキャリアまたはセルは機能を有するかどうかを示すために使用される指示情報と
のうちの少なくとも１つを備える請求項１６乃至２２のいずれか一項に記載の方法。
【請求項２４】
前記機能を示す前記情報は、マルチ接続機能指示情報、多入力多出力ＭＩＭＯ技術機能指示情報、二重接続機能指示情報、および受信機機能がサポートされていることを示す指示情報のうちの少なくとも１つであり得る請求項２１または２３に記載の方法。
【請求項２５】
前記端末によって、リンク変更を示す情報を前記ターゲット基地局に送信する前記ステップの後、
前記端末によって、前記ターゲット基地局にランダムにアクセスするステップと、
前記端末によって、前記端末が前記ソース基地局に接続されたときに、接続された他のマイクロ基地局の識別子を前記ターゲット基地局に送信し、前記ターゲット基地局は、前記他のマイクロ基地局において起動される必要があるマイクロ基地局を決定できるようにするステップと
をさらに備える請求項１６乃至２４のいずれか一項に記載の方法。
【請求項２６】
前記端末によって、リンク変更を示す情報を前記ターゲット基地局に送信する前記ステップの後、
前記端末によって、前記ソース基地局によって送信された無線リソース制御ＲＲＣ接続設定コマンドを受信するステップと、
前記ＲＲＣ接続設定コマンドに従ってＲＲＣ接続設定を実行した後、前記端末によって、ＲＲＣ接続設定完了応答を前記ソース基地局に送信するステップと
をさらに備える請求項１６乃至２５のいずれか一項に記載の方法。
【請求項２７】
前記端末は、あらかじめ設定された持続時間内に、前記ターゲット基地局によって返され、前記ターゲット基地局は前記リンク変更を示す前記情報を受け入れることを示すために使用される応答メッセージを受信しない場合、
前記端末によって、前記少なくとも１つの隣接する基地局を再度測定して、前記少なくとも１つの隣接する基地局の測定値を取得するステップと、
前記少なくとも１つの隣接する基地局の前記測定値に従って、前記少なくとも１つの隣接する基地局に前記あらかじめ設定されたルールを満たす新しいターゲット基地局が存在すると決定した場合、前記端末によって、リンク変更を示す情報を前記新しいターゲット基地局に送信するステップと
をさらに備える請求項１６乃至２６のいずれか一項に記載の方法。
【請求項２８】
前記リンク変更を示す前記情報は、
前記端末へのリンクの追加を示すために使用される指示情報と、
前記端末へのリンクの転送を示すために使用される指示情報と、
前記端末へのリンクの切替えを示すために使用される指示情報と
のコンテンツのうちの任意の１つを備える請求項１６乃至２７のいずれか一項に記載の方法。
【請求項２９】
前記端末へのリンクの前記追加は、具体的には、前記端末と前記ターゲット基地局との間のリンクを前記端末に追加することであり、
前記端末へのリンクの前記転送は、具体的には、前記ソース基地局はマクロ基地局であり、前記ターゲット基地局がマイクロ基地局である場合、接続がすでに確立されている前記端末とマイクロ基地局との間のリンクを、前記端末と前記ターゲット基地局との間のリンクに転送することであり、または、前記ソース基地局はマイクロ基地局であり、前記ターゲット基地局がマイクロ基地局である場合、前記端末と前記ソース基地局との間のリンクを、前記端末と前記ターゲット基地局との間のリンクに転送することであり、
前記端末へのリンクの前記切替えは、具体的には、前記端末を前記ソース基地局に接続されたリンクから前記ターゲット基地局に接続されたリンクに切り替えることである請求項２８に記載の方法。
【請求項３０】
前記ソース基地局はマクロ基地局もしくはマイクロ基地局であり、前記ターゲット基地局はマイクロ基地局であるか、または、
前記マクロ基地局はプライマリ基地局であり、前記マイクロ基地局はセカンダリ基地局である請求項１６乃至２９のいずれか一項に記載の方法。
【請求項３１】
マイクロ基地局に基づく接続動作方法であって、
ソース基地局によって、端末によって送信されたリンク変更を示す情報を受信するステップと、
前記ソース基地局によって、前記リンク変更を示す前記情報を処理するステップと
を備える方法。
【請求項３２】
前記ソース基地局によって、前記リンク変更を示す前記情報を処理する前記ステップは、
前記リンク変更を示す前記情報を受け入れると決定した場合、前記ソース基地局によって、あらかじめ設定されたルールを満たす少なくとも１つの隣接する基地局におけるターゲット基地局を決定するステップと、
前記ソース基地局によって、前記ターゲット基地局および前記端末とのリンク変更処理を実行するステップと
を備える請求項３１に記載の方法。
【請求項３３】
ソース基地局によって、端末によって送信されたリンク変更を示す情報を受信する前記ステップは、
前記ソース基地局によって、前記端末によって送信された前記リンク変更を示し、前記あらかじめ設定されたルールを満たす前記少なくとも１つの隣接する基地局の識別子を備える前記情報を受信するステップ、または、
前記ソース基地局によって、前記あらかじめ設定されたルールを満たす前記少なくとも１つの隣接する基地局の識別子と、前記端末によって送信された前記リンク変更を示す前記情報とを受信するステップ
を備える請求項３２に記載の方法。
【請求項３４】
ソース基地局によって、端末によって送信されたリンク変更を示す情報を受信する前記ステップの前に、
前記ソース基地局によって、前記端末は前記リンク変更を示す前記情報を送信することが許可されていることを示すために使用される指示情報を前記端末に送信するステップをさらに備える請求項３１乃至３３のいずれか一項に記載の方法。
【請求項３５】
前記端末は前記リンク変更を示す前記情報を送信することが許可されていることを示すために使用される前記指示情報は、
前記あらかじめ設定されたルールを示すために使用される情報と、
前記あらかじめ設定されたルールに備えられるしきい値を示すために使用される情報と、
前記端末が前記少なくとも１つの隣接する基地局を測定することを可能にするために使用される測定要求と、
前記端末が前記リンク変更を示す前記情報を送信することを可能にする情報と、
前記リンク変更を示す前記情報を前記ソース基地局または前記ターゲット基地局に送信するように前記端末に指示するために使用される指示情報と
のうちの任意の１つまたは複数である請求項３４に記載の方法。
【請求項３６】
前記あらかじめ設定されたルールは、
満たされる必要がある前記しきい値に関する情報、および、
隣接する基地局のキャリアまたはセルの機能を示す情報
のうちの少なくとも１つである請求項３１乃至３５のいずれか一項に記載の方法。
【請求項３７】
前記しきい値に関する前記情報は、移動状態推定ＭＳＥのパラメータ範囲、および／または前記端末の無線アクセス技術ＲＡＴのパラメータ範囲を備える請求項３６に記載の方法。
【請求項３８】
前記少なくとも１つの隣接する基地局の前記測定値は、
前記少なくとも１つの隣接する基地局を測定することによって前記端末によって取得された測定結果と、
前記少なくとも１つの隣接する基地局によってブロードキャストされ、前記少なくとも１つの隣接する基地局のキャリアまたはセルは機能を有するかどうかを示すために使用される指示情報と
のうちの少なくとも１つを備える請求項３１乃至３７のいずれか一項に記載の方法。
【請求項３９】
前記機能を示す前記情報は、マルチ接続機能指示情報、多入力多出力ＭＩＭＯ技術機能指示情報、二重接続機能指示情報、および受信機機能がサポートされていることを示す指示情報のうちの少なくとも１つであり得る請求項３６または３８に記載の方法。
【請求項４０】
ソース基地局によって、端末によって送信されたリンク変更を示す情報を受信する前記ステップの後、
前記ソース基地局によって、無線リソース制御ＲＲＣ接続設定コマンドを前記端末に送信するステップと、
前記端末が前記ＲＲＣ接続設定コマンドに従ってＲＲＣ接続設定を実行した後、前記ソース基地局によって、前記端末によって送信されたＲＲＣ接続設定完了応答を受信するステップと
をさらに備える請求項３１乃至３９のいずれか一項に記載の方法。
【請求項４１】
ソース基地局によって、端末によって送信されたリンク変更を示す情報を受信する前記ステップの後、
前記ソース基地局によって、リンク変更要求を前記ターゲット基地局に送信するステップと、
前記ソース基地局によって、前記ターゲット基地局によって返されたリンク変更応答を受信するステップと、
前記リンク変更応答を受信した後、前記ソース基地局によって、前記無線リソース制御ＲＲＣ接続設定コマンドを前記端末に送信するステップと、
前記端末によって送信された前記ＲＲＣ接続設定完了応答を受信した後、前記ソース基地局によって、リンク変更処理完了コマンドを前記ターゲット基地局に送信し、前記端末が前記ターゲット基地局にランダムにアクセスできるようにするステップと
を備える請求項３１乃至４０のいずれか一項に記載の方法。
【請求項４２】
前記ソース基地局がマイクロ基地局である場合、
前記リンク変更応答を受信した後、前記ソース基地局によって、前記ＲＲＣ接続設定コマンドを前記端末に送信する前記ステップの前に、
前記ソース基地局によって、前記端末が接続されているマクロ基地局に前記リンク変更指示を送信するステップと、
前記ソース基地局によって、前記ターゲット基地局とのベアラパスを切り替えるステップと
をさらに備える請求項４１に記載の方法。
【請求項４３】
前記リンク変更を示す前記情報は、
前記端末へのリンクの追加を示すために使用される指示情報と、
前記端末へのリンクの転送を示すために使用される指示情報と、
前記端末へのリンクの切替えを示すために使用される指示情報と
のコンテンツのうちの任意の１つを備える請求項３１乃至４２のいずれか一項に記載の方法。
【請求項４４】
前記端末へのリンクの前記追加は、具体的には、前記端末と前記ターゲット基地局との間のリンクを前記端末に追加することであり、
前記端末へのリンクの前記転送は、具体的には、前記ソース基地局はマクロ基地局であり、前記ターゲット基地局がマイクロ基地局である場合、接続がすでに確立されている前記端末とマイクロ基地局との間のリンクを、前記端末と前記ターゲット基地局との間のリンクに転送することであり、または、前記ソース基地局はマイクロ基地局であり、前記ターゲット基地局がマイクロ基地局である場合、前記端末と前記ソース基地局との間のリンクを、前記端末と前記ターゲット基地局との間のリンクに転送することであり、
前記端末へのリンクの前記切替えは、具体的には、前記端末を前記ソース基地局に接続されたリンクから前記ターゲット基地局に接続されたリンクに切り替えることである請求項４３に記載の方法。
【請求項４５】
前記ソース基地局はマクロ基地局もしくはマイクロ基地局であり、前記ターゲット基地局はマイクロ基地局であるか、または、
前記マクロ基地局はプライマリ基地局であり、前記マイクロ基地局はセカンダリ基地局である請求項３１乃至４４のいずれか一項に記載の方法。
【請求項４６】
マイクロ基地局に基づく接続動作方法であって、
ターゲット基地局によって、端末によって送信されたリンク変更を示す情報を受信するステップと、
前記ターゲット基地局によって、前記リンク変更を示す前記情報を処理するステップと
を備える方法。
【請求項４７】
前記ターゲット基地局によって、前記リンク変更を示す前記情報を処理する前記ステップは、
前記リンク変更を示す前記情報を受け入れると決定した場合、前記ターゲット基地局によって、前記ソース基地局および前記端末とのリンク変更処理を実行するステップを備える請求項４６に記載の方法。
【請求項４８】
ターゲット基地局によって、端末によって送信されたリンク変更を示す情報をターゲット基地局に受信する前記ステップは、
前記ターゲット基地局によって、前記端末によって送信された前記リンク変更を示し、前記ソース基地局の識別子を備える前記情報を受信するステップ、または、
前記ターゲット基地局によって、前記ソース基地局の識別子と、前記端末によって送信された前記リンク変更を示す前記情報とを受信するステップ
を備える請求項４７に記載の方法。
【請求項４９】
ターゲット基地局によって、端末によって送信されたリンク変更を示す情報を受信する前記ステップの後、
前記ターゲット基地局によって、前記端末によって送信された、前記端末が前記ソース基地局に接続されたときに接続された他のマイクロ基地局の識別子を受信するステップと、
前記ターゲット基地局によって、前記他のマイクロ基地局において起動される必要があるマイクロ基地局を決定し、起動される必要がある前記決定されたマイクロ基地局を起動するステップと
をさらに備える請求項４７または４８に記載の方法。
【請求項５０】
ターゲット基地局によって、端末によって送信されたリンク変更を示す情報を受信する前記ステップの前に、
前記ターゲット基地局によって、前記ターゲット基地局のキャリアまたはセルの機能を示す情報をブロードキャストするステップをさらに備える請求項４７乃至４９のいずれか一項に記載の方法。
【請求項５１】
前記機能を示す前記情報は、マルチ接続機能指示情報、多入力多出力ＭＩＭＯ技術機能指示情報、二重接続機能指示情報、および受信機機能がサポートされていることを示す指示情報のうちの少なくとも１つであり得る請求項５０に記載の方法。
【請求項５２】
前記ターゲット基地局によって、前記ソース基地局および前記端末とのリンク変更処理を実行する前記ステップは、
前記ターゲット基地局によって、リンク変更要求を前記ソース基地局に送信するステップと、
前記ターゲット基地局によって、前記ソース基地局によって返されたリンク変更応答を受信するステップと、
前記ターゲット基地局によって、前記ソース基地局によって送信されたリンク変更処理完了コマンドを受信するステップと
を備え、
前記リンク変更応答を返した後、前記ソース基地局は、無線リソース制御ＲＲＣ接続設定コマンドを前記端末に送信し、前記端末によって送信されたＲＲＣ接続設定完了応答を受信した後、前記ソース基地局によって前記リンク変更処理完了コマンドが送信される請求項４７乃至５１のいずれか一項に記載の方法。
【請求項５３】
前記ソース基地局がマイクロ基地局である場合、
前記ターゲット基地局によって、前記ソース基地局によって返されたリンク変更応答を受信する前記ステップの後、および、前記ターゲット基地局によって、前記ソース基地局によって送信されたリンク変更処理完了コマンドを受信する前記ステップの前に、
前記ターゲット基地局によって、前記ソース基地局とのベアラパスを切り替えるステップをさらに備える請求項５２に記載の方法。
【請求項５４】
前記リンク変更を示す前記情報は、
前記端末へのリンクの追加を示すために使用される指示情報と、
前記端末へのリンクの転送を示すために使用される指示情報と、
前記端末へのリンクの切替えを示すために使用される指示情報と
のコンテンツのうちの任意の１つを備える請求項４６乃至５３のいずれか一項に記載の方法。
【請求項５５】
前記端末へのリンクの前記追加は、具体的には、前記端末と前記ターゲット基地局との間のリンクを前記端末に追加することであり、
前記端末へのリンクの前記転送は、具体的には、前記ソース基地局はマクロ基地局であり、前記ターゲット基地局がマイクロ基地局である場合、接続がすでに確立されている前記端末とマイクロ基地局との間のリンクを、前記端末と前記ターゲット基地局との間のリンクに転送することであり、または、前記ソース基地局はマイクロ基地局であり、前記ターゲット基地局がマイクロ基地局である場合、前記端末と前記ソース基地局との間のリンクを、前記端末と前記ターゲット基地局との間のリンクに転送することであり、
前記端末へのリンクの前記切替えは、具体的には、前記端末を前記ソース基地局に接続されたリンクから前記ターゲット基地局に接続されたリンクに切り替えることである請求項５４に記載の方法。
【請求項５６】
前記ソース基地局はマクロ基地局もしくはマイクロ基地局であり、前記ターゲット基地局はマイクロ基地局であるか、または、
前記マクロ基地局はプライマリ基地局であり、前記マイクロ基地局はセカンダリ基地局である請求項４６乃至５５のいずれか一項に記載の方法。
【請求項５７】
少なくとも１つの隣接する基地局を測定して、前記少なくとも１つの隣接する基地局の測定値を取得することと、
前記少なくとも１つの隣接する基地局の前記測定値に従って、前記少なくとも１つの隣接する基地局にあらかじめ設定されたルールを満たす少なくとも１つの隣接する基地局が存在すると決定した場合、トランシーバユニットを使用することによって、リンク変更を示す情報をソース基地局に送信することと
を行うように構成された処理ユニットと、
前記リンク変更を示す前記情報を前記ソース基地局に送信するように構成された前記トランシーバユニットと
を備える端末。
【請求項５８】
前記ソース基地局が前記リンク変更を示す前記情報を受け入れると決定した場合、前記リンク変更を示す前記情報が使用され、前記ソース基地局は、前記あらかじめ設定されたルールを満たす前記少なくとも１つの隣接する基地局におけるターゲット基地局を決定し、前記ターゲット基地局および前記端末とのリンク変更処理を実行することを可能になる請求項５７に記載の端末。
【請求項５９】
前記トランシーバユニットは、
前記リンク変更を示し、前記あらかじめ設定されたルールを満たす前記少なくとも１つの隣接する基地局の識別子を備える前記情報を前記ソース基地局に送信すること、または、
前記あらかじめ設定されたルールを満たす前記少なくとも１つの隣接する基地局の識別子と、前記リンク変更を示す前記情報とを前記ソース基地局に送信すること
を行うように構成される請求項５８に記載の端末。
【請求項６０】
前記トランシーバユニットは、
前記ソース基地局がマクロ基地局である場合、前記ソース基地局によって送信され、前記トランシーバユニットは前記リンク変更を示す前記情報を送信することが許可されていることを示すために使用される指示情報を受信すること、または、
前記ソース基地局がマイクロ基地局である場合、マクロ基地局または前記端末が接続されている前記ソース基地局によって送信され、前記トランシーバユニットは前記リンク変更を示す前記情報を送信することが許可されていることを示すために使用される指示情報を受信すること
を行うようにさらに構成される請求項５７乃至５９のいずれか一項に記載の端末。
【請求項６１】
前記トランシーバユニットは前記リンク変更を示す前記情報を送信することが許可されていることを示すために使用される前記指示情報は、
前記あらかじめ設定されたルールを示すために使用される情報と、
前記あらかじめ設定されたルールに含まれるしきい値を示すために使用される情報と、
前記処理ユニットが前記少なくとも１つの隣接する基地局を測定することを可能にするために使用される測定要求と、
前記トランシーバユニットが前記リンク変更を示す前記情報を送信することを可能にする情報と、
前記リンク変更を示す前記情報を前記ソース基地局または前記ターゲット基地局に送信するように前記トランシーバユニットに指示するために使用される指示情報と
のうちの任意の１つまたは複数である請求項６０に記載の端末。
【請求項６２】
前記あらかじめ設定されたルールは、
満たされる必要がある前記しきい値に関する情報、および、
隣接する基地局のキャリアまたはセルの機能を示す情報
のうちの少なくとも１つである請求項５７乃至６１のいずれか一項に記載の端末。
【請求項６３】
前記しきい値に関する前記情報は、移動状態推定ＭＳＥのパラメータ範囲、および／または前記端末の無線アクセス技術ＲＡＴのパラメータ範囲を備える請求項６２に記載の端末。
【請求項６４】
前記少なくとも１つの隣接する基地局の前記測定値は、
前記少なくとも１つの隣接する基地局を測定することによって前記処理ユニットによって取得された測定結果と、
前記少なくとも１つの隣接する基地局によってブロードキャストされ、前記少なくとも１つの隣接する基地局のキャリアまたはセルは機能を有するかどうかを示すために使用される指示情報と
のうちの少なくとも１つを備える請求項５７乃至６３のいずれか一項に記載の端末。
【請求項６５】
前記機能を示す前記情報は、
マルチ接続機能指示情報、多入力多出力ＭＩＭＯ技術機能指示情報、および受信機機能がサポートされていることを示す指示情報のうちの少なくとも１つのコンテンツのうちの少なくとも１つである請求項６２乃至６４のいずれか一項に記載の端末。
【請求項６６】
前記処理ユニットは、
前記ソース基地局が前記リンク変更を示す前記情報を受け入れると決定し、前記あらかじめ設定されたルールを満たす前記少なくとも１つの隣接する基地局における前記ターゲット基地局を決定し、前記ターゲット基地局および前記端末の前記リンク変更処理を実行した後に、前記ターゲット基地局にランダムにアクセスするようにさらに構成される請求項５８乃至６５のいずれか一項に記載の端末。
【請求項６７】
前記トランシーバユニットは、
前記ソース基地局によって送信された無線リソース制御ＲＲＣ接続設定コマンドを受信することと、
前記ＲＲＣ接続設定コマンドに従ってＲＲＣ接続設定を実行した後、ＲＲＣ接続設定完了応答を前記ソース基地局に送信することと
を行うようにさらに構成される請求項５８乃至６６のいずれか一項に記載の端末。
【請求項６８】
前記処理ユニットは、
前記トランシーバユニットが、あらかじめ設定された持続時間内に、前記ソース基地局によって返され、前記ソース基地局が前記リンク変更を示す前記情報を受け入れることを示すために使用される応答メッセージを受信しない場合、
前記少なくとも１つの隣接する基地局を再度測定して、前記少なくとも１つの隣接する基地局の測定値を取得することと、
前記少なくとも１つの隣接する基地局の前記測定値に従って、前記少なくとも１つの隣接する基地局に前記あらかじめ設定されたルールを満たす少なくとも１つの隣接する基地局が存在すると決定した場合、前記トランシーバユニットを使用することによって、リンク変更を示す情報を前記ソース基地局に送信することと
を行うようにさらに構成される請求項５７乃至６７のいずれか一項に記載の端末。
【請求項６９】
前記リンク変更を示す前記情報は、
前記端末へのリンクの追加を示すために使用される指示情報と、
前記端末へのリンクの転送を示すために使用される指示情報と、
前記端末へのリンクの切替えを示すために使用される指示情報と
のコンテンツのうちの任意の１つを備える請求項５７乃至６８のいずれか一項に記載の端末。
【請求項７０】
前記端末へのリンクの前記追加は、具体的には、前記端末と前記ターゲット基地局との間のリンクを前記端末に追加することであり、
前記端末へのリンクの前記転送は、具体的には、前記ソース基地局はマクロ基地局であり、前記ターゲット基地局がマイクロ基地局である場合、接続がすでに確立されている前記端末とマイクロ基地局との間のリンクを、前記端末と前記ターゲット基地局との間のリンクに転送することであり、または、前記ソース基地局はマイクロ基地局であり、前記ターゲット基地局がマイクロ基地局である場合、前記端末と前記ソース基地局との間のリンクを、前記端末と前記ターゲット基地局との間のリンクに転送することであり、
前記端末へのリンクの前記切替えは、具体的には、前記端末を前記ソース基地局に接続されたリンクから前記ターゲット基地局に接続されたリンクに切り替えることである請求項６９に記載の端末。
【請求項７１】
前記ソース基地局はマクロ基地局もしくはマイクロ基地局であり、前記ターゲット基地局はマイクロ基地局であるか、または、
前記マクロ基地局はプライマリ基地局であり、前記マイクロ基地局はセカンダリ基地局である請求項５７乃至７０のいずれか一項に記載の端末。
【請求項７２】
少なくとも１つの隣接する基地局を測定して、前記少なくとも１つの隣接する基地局の測定値を取得することと、
前記少なくとも１つの隣接する基地局の前記測定値に従って、前記少なくとも１つの隣接する基地局にあらかじめ設定されたルールを満たすターゲット基地局が存在すると決定した場合、トランシーバユニットを使用することによって、リンク変更を示す情報を前記ターゲット基地局に送信することと
を行うように構成された処理ユニットと、
前記リンク変更を示す前記情報を前記ターゲット基地局に送信するように構成された前記トランシーバユニットと
を備える端末。
【請求項７３】
前記ターゲット基地局は前記リンク変更を示す前記情報を受け入れると決定した場合、前記リンク変更を示す前記情報は、前記ターゲット基地局が前記ソース基地局および前記端末とのリンク変更処理を実行することを可能にするために使用される請求項７２に記載の端末。
【請求項７４】
前記トランシーバユニットは、
前記リンク変更を示し、前記ソース基地局の識別子を含む前記情報を前記ターゲット基地局に送信すること、または、
前記ソース基地局の識別子と、前記リンク変更を示す前記情報とを前記ターゲット基地局に送信すること
を行うように構成される請求項７３に記載の端末。
【請求項７５】
前記トランシーバユニットは、
前記ソース基地局がマクロ基地局である場合、前記ソース基地局によって送信され、前記トランシーバユニットは前記リンク変更を示す前記情報を送信することが許可されていることを示すために使用される指示情報を受信すること、または、
前記ソース基地局がマイクロ基地局である場合、マクロ基地局または前記端末が接続されている前記ソース基地局によって送信され、前記トランシーバユニットは前記リンク変更を示す前記情報を送信することが許可されていることを示すために使用される指示情報を受信すること
を行うようにさらに構成される請求項７２乃至７４のいずれか一項に記載の端末。
【請求項７６】
前記トランシーバユニットは前記リンク変更を示す前記情報を送信することが許可されていることを示すために使用される前記指示情報は、
前記あらかじめ設定されたルールを示すために使用される情報と、
前記あらかじめ設定されたルールに含まれるしきい値を示すために使用される情報と、
前記処理ユニットが前記少なくとも１つの隣接する基地局を測定することを可能にするために使用される測定要求と、
前記トランシーバユニットが前記リンク変更を示す前記情報を送信することを可能にする情報と、
前記リンク変更を示す前記情報を前記ソース基地局または前記ターゲット基地局に送信するように前記トランシーバユニットに指示するために使用される指示情報と
のうちの任意の１つまたは複数である請求項７５に記載の端末。
【請求項７７】
前記あらかじめ設定されたルールは、
満たされる必要がある前記しきい値に関する情報、および、
隣接する基地局のキャリアまたはセルの機能を示す情報
のうちの少なくとも１つである請求項７２乃至７６のいずれか一項に記載の端末。
【請求項７８】
前記しきい値に関する前記情報は、移動状態推定ＭＳＥのパラメータ範囲、および／または前記端末の無線アクセス技術ＲＡＴのパラメータ範囲を備える請求項７７に記載の端末。
【請求項７９】
前記少なくとも１つの隣接する基地局の前記測定値は、
前記少なくとも１つの隣接する基地局を測定することによって前記処理ユニットによって取得された測定結果と、
前記少なくとも１つの隣接する基地局によってブロードキャストされ、前記少なくとも１つの隣接する基地局のキャリアまたはセルは機能を有するかどうかを示すために使用される指示情報と
のうちの少なくとも１つを備える請求項７２乃至７８のいずれか一項に記載の端末。
【請求項８０】
前記機能を示す前記情報は、マルチ接続機能指示情報、多入力多出力ＭＩＭＯ技術機能指示情報、二重接続機能指示情報、および受信機機能がサポートされていることを示す指示情報のうちの少なくとも１つであり得る請求項７７または７９に記載の端末。
【請求項８１】
前記処理ユニットは、
前記ターゲット基地局にランダムにアクセスすることと、
前記端末が前記ソース基地局に接続されたときに、前記トランシーバユニットを使用することによって、接続された他のマイクロ基地局の識別子を前記ターゲット基地局に送信し、前記ターゲット基地局は、前記他のマイクロ基地局において起動される必要があるマイクロ基地局を決定できるようにすることと
を行うようにさらに構成される請求項７２乃至８０のいずれか一項に記載の端末。
【請求項８２】
前記トランシーバユニットは、
前記ソース基地局によって送信された無線リソース制御ＲＲＣ接続設定コマンドを受信することと、
前記ＲＲＣ接続設定コマンドに従ってＲＲＣ接続設定を実行した後、ＲＲＣ接続設定完了応答を前記ソース基地局に送信することと
を行うようにさらに構成される請求項７２乃至８１のいずれか一項に記載の端末。
【請求項８３】
前記処理ユニットは、
前記トランシーバユニットが、あらかじめ設定された持続時間内に、前記ターゲット基地局によって返され、前記ターゲット基地局が前記リンク変更を示す前記情報を受け入れることを示すために使用される応答メッセージを受信しない場合、
前記少なくとも１つの隣接する基地局を再度測定して、前記少なくとも１つの隣接する基地局の測定値を取得するステップと、
前記少なくとも１つの隣接する基地局の前記測定値に従って、前記少なくとも１つの隣接する基地局に前記あらかじめ設定されたルールを満たす新しいターゲット基地局が存在すると決定した場合、前記トランシーバユニットを使用することによって、リンク変更を示す情報を前記新しいターゲット基地局に送信するステップと
をさらに備える請求項７２乃至８２のいずれか一項に記載の端末。
【請求項８４】
前記リンク変更を示す前記情報は、
前記端末へのリンクの追加を示すために使用される指示情報と、
前記端末へのリンクの転送を示すために使用される指示情報と、
前記端末へのリンクの切替えを示すために使用される指示情報と
のコンテンツのうちの任意の１つを備える請求項７２乃至８３のいずれか一項に記載の端末。
【請求項８５】
前記端末へのリンクの前記追加は、具体的には、前記端末と前記ターゲット基地局との間のリンクを前記端末に追加することであり、
前記端末へのリンクの前記転送は、具体的には、前記ソース基地局はマクロ基地局であり、前記ターゲット基地局がマイクロ基地局である場合、接続がすでに確立されている前記端末とマイクロ基地局との間のリンクを、前記端末と前記ターゲット基地局との間のリンクに転送することであり、または、前記ソース基地局はマイクロ基地局であり、前記ターゲット基地局がマイクロ基地局である場合、前記端末と前記ソース基地局との間のリンクを、前記端末と前記ターゲット基地局との間のリンクに転送することであり、
前記端末へのリンクの前記切替えは、具体的には、前記端末を前記ソース基地局に接続されたリンクから前記ターゲット基地局に接続されたリンクに切り替えることである請求項８４に記載の端末。
【請求項８６】
前記ソース基地局はマクロ基地局もしくはマイクロ基地局であり、前記ターゲット基地局はマイクロ基地局であるか、または、
前記マクロ基地局はプライマリ基地局であり、前記マイクロ基地局はセカンダリ基地局である請求項７２乃至８５のいずれか一項に記載の端末。
【請求項８７】
端末によって送信されたリンク変更を示す情報を受信するように構成されたトランシーバユニットと、
前記リンク変更を示す前記情報を処理するように構成された処理ユニットと
を備える基地局。
【請求項８８】
前記処理ユニットは、
前記リンク変更を示す前記情報を受け入れると決定した場合、あらかじめ設定されたルールを満たす少なくとも１つの隣接する基地局におけるターゲット基地局を決定することと、
前記ターゲット基地局および前記端末とのリンク変更処理を実行することと
を行うように構成される請求項８７に記載の基地局。
【請求項８９】
前記トランシーバユニットは、
前記端末によって送信された前記リンク変更を示し、前記あらかじめ設定されたルールを満たす前記少なくとも１つの隣接する基地局の識別子を備える前記情報を受信すること、または、
前記あらかじめ設定されたルールを満たす前記少なくとも１つの隣接する基地局の識別子と、前記端末によって送信された前記リンク変更を示す前記情報とを受信すること
を行うように構成される請求項８８に記載の基地局。
【請求項９０】
前記トランシーバユニットは、
前記端末は前記リンク変更を示す前記情報を送信することが許可されていることを示すために使用される指示情報を前記端末に送信するようにさらに構成される請求項８７乃至８９のいずれか一項に記載の基地局。
【請求項９１】
前記端末は前記リンク変更を示す前記情報を送信することが許可されていることを示すために使用される前記指示情報は、
前記あらかじめ設定されたルールを示すために使用される情報と、
前記あらかじめ設定されたルールに備えられるしきい値を示すために使用される情報と、
前記端末が前記少なくとも１つの隣接する基地局を測定することを可能にするために使用される測定要求と、
前記端末が前記リンク変更を示す前記情報を送信することを可能にする情報と、
前記リンク変更を示す前記情報を前記ソース基地局または前記ターゲット基地局に送信するように前記端末に指示するために使用される指示情報と
のうちの任意の１つまたは複数である請求項９０に記載の基地局。
【請求項９２】
前記あらかじめ設定されたルールは、
満たされる必要がある前記しきい値に関する情報、および、
隣接する基地局のキャリアまたはセルの機能を示す情報
のうちの少なくとも１つである請求項８７乃至９１のいずれか一項に記載の基地局。
【請求項９３】
前記しきい値に関する前記情報は、移動状態推定ＭＳＥのパラメータ範囲、および／または前記端末の無線アクセス技術ＲＡＴのパラメータ範囲を備える請求項９２に記載の基地局。
【請求項９４】
前記少なくとも１つの隣接する基地局の前記測定値は、
前記少なくとも１つの隣接する基地局を測定することによって前記端末によって取得された測定結果と、
前記少なくとも１つの隣接する基地局によってブロードキャストされ、前記少なくとも１つの隣接する基地局のキャリアまたはセルは機能を有するかどうかを示すために使用される指示情報と
のうちの少なくとも１つを備える請求項８７乃至９３のいずれか一項に記載の基地局。
【請求項９５】
前記機能を示す前記情報は、マルチ接続機能指示情報、多入力多出力ＭＩＭＯ技術機能指示情報、二重接続機能指示情報、および受信機機能がサポートされていることを示す指示情報のうちの少なくとも１つであり得る請求項９２または９４に記載の基地局。
【請求項９６】
前記トランシーバユニットは、
無線リソース制御ＲＲＣ接続設定コマンドを前記端末に送信することと、
前記端末が前記ＲＲＣ接続設定コマンドに従ってＲＲＣ接続設定を実行した後、前記端末によって送信されたＲＲＣ接続設定完了応答を受信することと
を行うようにさらに構成される請求項８８乃至９５のいずれか一項に記載の基地局。
【請求項９７】
前記トランシーバユニットは、
リンク変更要求を前記ターゲット基地局に送信することと、
前記ターゲット基地局によって返されたリンク変更応答を受信することと、
前記リンク変更応答を受信した後、前記無線リソース制御ＲＲＣ接続設定コマンドを前記端末に送信することと、
前記端末によって送信された前記ＲＲＣ接続設定完了応答を受信した後、リンク変更処理完了コマンドを前記ターゲット基地局に送信し、前記端末が前記ターゲット基地局にランダムにアクセスできるようにすることと
を行うようにさらに構成される請求項８７乃至９６のいずれか一項に記載の基地局。
【請求項９８】
前記トランシーバユニットは、
前記リンク変更応答を受信した後、前記ＲＲＣ接続設定コマンドを前記端末に送信する前に、
前記端末が接続されているマクロ基地局に前記リンク変更指示を送信することをさらに備えることを行うようにさらに構成され、
前記処理ユニットは、
前記ターゲット基地局とのベアラパスを切り替えるようにさらに構成される請求項９７に記載の基地局。
【請求項９９】
前記リンク変更を示す前記情報は、
前記端末へのリンクの追加を示すために使用される指示情報と、
前記端末へのリンクの転送を示すために使用される指示情報と、
前記端末へのリンクの切替えを示すために使用される指示情報と
のコンテンツのうちの任意の１つを備える請求項８７乃至９８のいずれか一項に記載の基地局。
【請求項１００】
前記端末へのリンクの前記追加は、具体的には、前記端末と前記ターゲット基地局との間のリンクを前記端末に追加することであり、
前記端末へのリンクの前記転送は、具体的には、前記ソース基地局はマクロ基地局であり、前記ターゲット基地局がマイクロ基地局である場合、接続がすでに確立されている前記端末とマイクロ基地局との間のリンクを、前記端末と前記ターゲット基地局との間のリンクに転送することであり、または、前記ソース基地局はマイクロ基地局であり、前記ターゲット基地局がマイクロ基地局である場合、前記端末と前記ソース基地局との間のリンクを、前記端末と前記ターゲット基地局との間のリンクに転送することであり、
前記端末へのリンクの前記切替えは、具体的には、前記端末を前記ソース基地局に接続されたリンクから前記ターゲット基地局に接続されたリンクに切り替えることである請求項９９に記載の基地局。
【請求項１０１】
前記ソース基地局はマクロ基地局もしくはマイクロ基地局であり、前記ターゲット基地局はマイクロ基地局であるか、または、
前記マクロ基地局はプライマリ基地局であり、前記マイクロ基地局はセカンダリ基地局である請求項８７乃至１００のいずれか一項に記載の基地局。
【請求項１０２】
端末によって送信されたリンク変更を示す情報を受信するように構成されたトランシーバユニットと、
前記リンク変更を示す前記情報を処理するように構成された処理ユニットと
を備える基地局。
【請求項１０３】
前記処理ユニットは、
前記リンク変更を示す前記情報を受け入れると決定した場合、前記ソース基地局および前記端末とのリンク変更処理を実行するように構成される請求項１０２に記載の基地局。
【請求項１０４】
前記トランシーバユニットは、
ターゲット基地局によって、前記端末によって送信された前記リンク変更を示し、前記ソース基地局の識別子を備える前記情報を受信すること、または、
ターゲット基地局によって、前記ソース基地局の識別子と、前記端末によって送信された前記リンク変更を示す前記情報とを受信すること
を行うように構成される請求項１０３に記載の基地局。
【請求項１０５】
前記トランシーバユニットは、
前記端末によって送信された、前記端末が前記ソース基地局に接続されたときに接続された他のマイクロ基地局の識別子を受信するようにさらに構成され、
前記処理ユニットは、
前記他のマイクロ基地局において起動される必要があるマイクロ基地局を決定し、起動される必要がある前記決定されたマイクロ基地局を起動するようにさらに構成される請求項１０３または１０４に記載の基地局。
【請求項１０６】
前記トランシーバユニットは、
前記基地局のキャリアまたはセルの機能を示す情報をブロードキャストするようにさらに構成される請求項１０３乃至１０５のいずれか一項に記載の基地局。
【請求項１０７】
前記機能を示す前記情報は、マルチ接続機能指示情報、多入力多出力ＭＩＭＯ技術機能指示情報、二重接続機能指示情報、および受信機機能がサポートされていることを示す指示情報のうちの少なくとも１つであり得る請求項１０６に記載の基地局。
【請求項１０８】
前記トランシーバユニットは、
リンク変更要求を前記ソース基地局に送信することと、
前記ソース基地局によって返されたリンク変更応答を受信することと、
前記ソース基地局によって送信されたリンク変更処理完了コマンドを受信することと
を行うように構成され、
前記リンク変更応答を返した後、前記ソース基地局は、無線リソース制御ＲＲＣ接続設定コマンドを前記端末に送信し、前記端末によって送信されたＲＲＣ接続設定完了応答を受信した後、前記ソース基地局によって前記リンク変更処理完了コマンドが送信される請求項１０３乃至１０７のいずれか一項に記載の基地局。
【請求項１０９】
前記処理ユニットは、
前記トランシーバユニットが、前記ソース基地局によって返された前記リンク変更応答を受信した後、および、前記トランシーバユニットが、前記ソース基地局によって送信された前記リンク変更処理完了コマンドを受信する前に、前記ソース基地局とのベアラパスを切り替えるようにさらに構成される請求項１０８に記載の基地局。
【請求項１１０】
前記リンク変更を示す前記情報は、
前記端末へのリンクの追加を示すために使用される指示情報と、
前記端末へのリンクの転送を示すために使用される指示情報と、
前記端末へのリンクの切替えを示すために使用される指示情報と
のコンテンツのうちの任意の１つを備える請求項１０２乃至１０９のいずれか一項に記載の基地局。
【請求項１１１】
前記端末へのリンクの前記追加は、具体的には、前記端末と前記ターゲット基地局との間のリンクを前記端末に追加することであり、
前記端末へのリンクの前記転送は、具体的には、前記ソース基地局はマクロ基地局であり、前記ターゲット基地局がマイクロ基地局である場合、接続がすでに確立されている前記端末とマイクロ基地局との間のリンクを、前記端末と前記ターゲット基地局との間のリンクに転送することであり、または、前記ソース基地局はマイクロ基地局であり、前記ターゲット基地局がマイクロ基地局である場合、前記端末と前記ソース基地局との間のリンクを、前記端末と前記ターゲット基地局との間のリンクに転送することであり、
前記端末へのリンクの前記切替えは、具体的には、前記端末を前記ソース基地局に接続されたリンクから前記ターゲット基地局に接続されたリンクに切り替えることである請求項１１０に記載の基地局。
【請求項１１２】
前記ソース基地局はマクロ基地局もしくはマイクロ基地局であり、前記ターゲット基地局はマイクロ基地局であるか、または、
前記マクロ基地局はプライマリ基地局であり、前記マイクロ基地局はセカンダリ基地局である請求項１０２乃至１１１のいずれか一項に記載の基地局。
【発明の詳細な説明】
【技術分野】
【０００１】
本発明は、ワイヤレス通信技術の分野に関し、具体的には、マイクロ基地局に基づく接続動作方法、端末、および基地局に関する。
【背景技術】
【０００２】
二重接続性（Ｄｕａｌ  ｃｏｎｎｅｃｔｉｖｉｔｙ、略してＤＣ）は、マイクロ基地局を使用することによってネットワークを強化するための先進技術である。基本的な考え方は、端末がマクロ基地局およびマイクロ基地局に同時に接続できるようにすることである。マクロ基地局は、端末の移動性を制御し、異なるマイクロ基地局の間で端末が頻繁に移動することによって引き起こされる過剰なハンドオーバ処理およびシグナリングオーバーヘッドを回避することができる。他方では、マクロ基地局は、大部分のデータをマイクロ基地局にオフロードすることができるので、端末は、マイクロ基地局からデータを取得し、それによって、端末とマイクロ基地局との間で高いデータ速度を達成する。さらに、端末からマイクロ基地局までの距離が短いため、端末の送信電力も低減され得、より多くの電力を節約することができる。この概念は、基地局間キャリアアグリゲーション（ｅＮＢ間キャリアアグリゲーション、ｅＮＢ間ＣＡ）、制御ユーザプレーンスプリット（Ｃｏｎｔｒｏｌ−Ｕｓｅｒ  ｐｌａｎｅ  ｓｐｌｉｔ）、マルチストリーム（ｍｕｌｔｉ−ｓｔｒｅａｍ）などとも呼ばれる。
【０００３】
従来技術では、端末がマクロ基地局に接続され、ターゲットマイクロ基地局への接続を追加する必要がある場合、その処理は以下のとおりである。
【０００４】
端末は、隣接するマイクロ基地局を定期的に測定し、隣接するマイクロ基地局の測定報告をマクロ基地局に定期的に報告し、マクロ基地局が、端末によって報告された測定報告に従って、端末はターゲットマイクロ基地局への接続を追加する必要があると決定した場合、マクロ基地局は、ターゲットマイクロ基地局にマイクロ基地局追加要求を送信し、次いで、ターゲット基地局は、マクロ基地局にマイクロ基地局追加応答を返し、次いで、マクロ基地局とターゲットマイクロ基地局はリンク変更処理に入り、マクロ基地局とターゲットマイクロ基地局のリンク変更処理が完了した後、端末はターゲットマイクロ基地局にランダムにアクセスする。
【０００５】
このように、端末は、隣接するマイクロ基地局の測定報告をマクロ基地局に定期的に報告し、マクロ基地局は、端末によって報告された測定報告に従って、端末がターゲットマイクロ基地局への接続を追加する必要があるかどうかを決定する。この場合、端末は、隣接するマイクロ基地局の測定報告を定期的に報告するので、端末の負荷が大きく増加し、端末のサービス送信効率に影響が与えられる。
【発明の概要】
【発明が解決しようとする課題】
【０００６】
要約すると、端末とマイクロ基地局との間でリンクを変更した場合、端末の負荷を軽減するために使用されるマイクロ基地局に基づく接続動作解決策が緊急に求められる。
【０００７】
本発明の実施形態は、端末とマイクロ基地局との間でリンクを変更した場合の端末の負荷を軽減するために、マイクロ基地局に基づく接続動作方法、端末、および基地局を提供する。
【０００８】
本発明の一実施形態は、マイクロ基地局に基づく接続動作方法であって、
端末によって、少なくとも１つの隣接する基地局を測定して、少なくとも１つの隣接する基地局の測定値を取得するステップと、
少なくとも１つの隣接する基地局の測定値に従って、少なくとも１つの隣接する基地局にあらかじめ設定されたルールを満たす少なくとも１つの隣接する基地局が存在すると決定した場合、端末によって、リンク変更を示す情報をソース基地局に送信するステップと
を含む方法を提供する。
【０００９】
任意選択で、リンク変更を示す情報は、リンク変更コマンドであり得る。この場合、リンク変更を示す情報を受信した後、ソース基地局はリンク変更処理を直接実行し、リンク変更を示す情報を受け入れるかどうかを決定する処理は行わない。言い換えれば、この場合、端末は、リンク変更処理を実行するかどうかを決定する。
【００１０】
別の任意の実装形態では、リンク変更を示す情報は、リンク変更要求であり得る。この場合、リンク変更を示す情報を受信した後、ソース基地局は、リンク変更を示す情報を受け入れるかどうかを決定する処理を実行し、リンク変更を示す情報を受け入れるときにリンク変更処理を実行する。言い換えれば、この場合、ソース基地局は、リンク変更処理を実行するかどうかを決定する。
【００１１】
任意選択で、ソース基地局がリンク変更を示す情報を受け入れるか、またはソース基地局がリンク変更を示す情報を受信した後、ソース基地局は、あらかじめ設定されたルールを満たす少なくとも１つの隣接する基地局におけるターゲット基地局を決定し、ターゲット基地局および端末とのリンク変更処理を実行する。
【００１２】
任意選択で、ソース基地局がリンク変更を示す情報を受け入れると決定した場合、ソース基地局が、あらかじめ設定されたルールを満たす少なくとも１つの隣接する基地局におけるターゲット基地局を決定し、ターゲット基地局および端末とのリンク変更処理を実行することを可能にするために、リンク変更を示す情報が使用される。
【００１３】
任意選択で、端末によって、リンク変更を示す情報をソース基地局に送信するステップは、
端末によって、リンク変更を示し、あらかじめ設定されたルールを満たす少なくとも１つの隣接する基地局の識別子を含む情報をソース基地局に送信するステップ、または、
端末によって、あらかじめ設定されたルールを満たす少なくとも１つの隣接する基地局の識別子と、リンク変更を示す情報とをソース基地局に送信するステップ
を含む。
【００１４】
任意選択で、端末によって、少なくとも１つの隣接する基地局にあらかじめ設定されたルールを満たす少なくとも１つの隣接する基地局が存在することを決定する前に、本方法は、
ソース基地局がマクロ基地局である場合、端末によって、ソース基地局によって送信され、端末がリンク変更を示す情報を送信することが許可されていることを示すために使用される指示情報を受信するステップ、または、
ソース基地局がマイクロ基地局である場合、端末によって、マクロ基地局または端末が接続されているソース基地局によって送信され、端末がリンク変更を示す情報を送信することが許可されていることを示すために使用される指示情報を受信するステップ
をさらに含む。
【００１５】
任意選択で、端末がリンク変更を示す情報を送信することが許可されていることを示すために使用される指示情報は、以下の情報のうちの任意の１つまたは複数である。
あらかじめ設定されたルールを示すために使用される情報と、
あらかじめ設定されたルールに含まれるしきい値を示すために使用される情報と、
端末が少なくとも１つの隣接する基地局を測定することを可能にするために使用される測定要求と、
端末がリンク変更を示す情報を送信することを可能にする情報と、
リンク変更を示す情報をソース基地局またはターゲット基地局に送信するように端末に指示するために使用される指示情報。
【００１６】
任意選択で、あらかじめ設定されたルールは以下のうちの少なくとも１つである。
満たされる必要があるしきい値に関する情報、および、
隣接する基地局のキャリアまたはセルの機能を示す情報。
【００１７】
任意選択で、しきい値に関する情報は、移動状態推定ＭＳＥのパラメータ範囲、および／または端末の無線アクセス技術ＲＡＴのパラメータ範囲を含む。
【００１８】
任意選択で、少なくとも１つの隣接する基地局の測定値は、以下のうちの少なくとも１つを含む。
少なくとも１つの隣接する基地局を測定することによって端末によって取得された測定結果と、
少なくとも１つの隣接する基地局によってブロードキャストされ、少なくとも１つの隣接する基地局のキャリアまたはセルが機能を有するかどうかを示すために使用される指示情報。
【００１９】
任意選択で、機能を示す情報は、以下のコンテンツのうちの少なくとも１つである。
マルチ接続機能指示情報、多入力多出力ＭＩＭＯ技術機能指示情報、および受信機機能がサポートされていることを示す指示情報のうちの少なくとも１つ。
【００２０】
任意選択で、端末によって、リンク変更を示す情報をソース基地局に送信するステップの後、本方法は、
ソース基地局が、リンク変更を示す情報を受け入れると決定し、あらかじめ設定されたルールを満たす少なくとも１つの隣接する基地局におけるターゲット基地局を決定し、ターゲット基地局および端末とのリンク変更処理を実行した後に、端末によって、ターゲット基地局にランダムにアクセスするステップをさらに含む。
【００２１】
任意選択で、端末によって、リンク変更を示す情報をソース基地局に送信するステップの後、本方法は、
端末によって、ソース基地局によって送信された無線リソース制御ＲＲＣ接続設定コマンドを受信するステップと、
ＲＲＣ接続設定コマンドに従ってＲＲＣ接続設定を実行した後、端末によって、ＲＲＣ接続設定完了応答をソース基地局に送信するステップと
をさらに含む。
【００２２】
任意選択で、本方法は、
端末が、あらかじめ設定された持続時間内に、ソース基地局によって返され、ソース基地局がリンク変更を示す情報を受け入れることを示すために使用される応答メッセージを受信しない場合、
端末によって、少なくとも１つの隣接する基地局を再度測定して、少なくとも１つの隣接する基地局の測定値を取得するステップと、
少なくとも１つの隣接する基地局の測定値に従って、少なくとも１つの隣接する基地局にあらかじめ設定されたルールを満たす少なくとも１つの隣接する基地局が存在すると決定した場合、端末によって、リンク変更を示す情報をソース基地局に送信するステップと
をさらに含む。
【００２３】
任意選択で、リンク変更を示す情報は、以下のコンテンツのうちの任意の１つを含む。
端末へのリンクの追加を示すために使用される指示情報と、
端末へのリンクの転送を示すために使用される指示情報と、
端末へのリンクの切替えを示すために使用される指示情報。
【００２４】
任意選択で、端末へのリンクの追加は、具体的には、端末とターゲット基地局との間のリンクを端末に追加することであり、
端末へのリンクの転送は、具体的には、ソース基地局がマクロ基地局であり、ターゲット基地局がマイクロ基地局である場合、接続がすでに確立されている端末とマイクロ基地局との間のリンクを、端末とターゲット基地局との間のリンクに転送することであり、または、ソース基地局がマイクロ基地局であり、ターゲット基地局がマイクロ基地局である場合、端末とソース基地局との間のリンクを、端末とターゲット基地局との間のリンクに転送することであり、
端末へのリンクの切替えは、具体的には、端末をソース基地局に接続されたリンクからターゲット基地局に接続されたリンクに切り替えることである。
【００２５】
任意選択で、ソース基地局はマクロ基地局もしくはマイクロ基地局であり、ターゲット基地局はマイクロ基地局であるか、または、
マクロ基地局はプライマリ基地局であり、マイクロ基地局はセカンダリ基地局である。
【００２６】
本発明のこの実施形態では、端末が、少なくとも１つの隣接する基地局にあらかじめ設定されたルールを満たす少なくとも１つの隣接する基地局が存在すると決定した場合、端末は、リンク変更を示す情報を端末が接続されているソース基地局に送信する。前述の処理において、端末は、リンク変更を示す情報を開始する。したがって、端末は、測定値をソース基地局に報告する必要はなくてよく、代わりに、端末自体が測定値に従って決定を実行し、あらかじめ設定されたルールを満たす基地局が存在すると決定した場合、リンク変更を示す情報を開始して、それによって端末とターゲット基地局との間のリンク変更を実施する。この解決策では、端末は、測定値をソース基地局に報告し、ソース基地局が、報告された測定値に従って、リンク変更を示す情報が開始されるべきかどうかを決定できるようにする必要はない。したがって、端末の負荷が軽減され、端末のサービス送信効率が向上する。
【００２７】
本発明の一実施形態は、マイクロ基地局に基づく接続動作方法であって、
端末によって、少なくとも１つの隣接する基地局を測定して、少なくとも１つの隣接する基地局の測定値を取得するステップと、
少なくとも１つの隣接する基地局の測定値に従って、少なくとも１つの隣接する基地局にあらかじめ設定されたルールを満たすターゲット基地局が存在すると決定した場合、端末によって、リンク変更を示す情報をターゲット基地局に送信するステップと
を含む方法を提供する。
【００２８】
任意選択で、ターゲット基地局がリンク変更を示す情報を受け入れると決定した場合、リンク変更を示す情報は、ターゲット基地局がソース基地局および端末とのリンク変更処理を実行することを可能にするために使用される。
【００２９】
任意選択で、端末によって、リンク変更を示す情報をターゲット基地局に送信するステップは、
端末によって、リンク変更を示し、ソース基地局の識別子を含む情報をターゲット基地局に送信するステップ、または、
端末によって、ソース基地局の識別子と、リンク変更を示す情報とをターゲット基地局に送信するステップ
を含む。
【００３０】
任意選択で、端末によって、少なくとも１つの隣接する基地局にあらかじめ設定されたルールを満たすターゲット基地局が存在することを決定する前に、本方法は、
ソース基地局がマクロ基地局である場合、端末によって、ソース基地局によって送信され、端末がリンク変更を示す情報を送信することが許可されていることを示すために使用される指示情報を受信するステップ、または、
ソース基地局がマイクロ基地局である場合、端末によって、マクロ基地局または端末が接続されているソース基地局によって送信され、端末がリンク変更を示す情報を送信することが許可されていることを示すために使用される指示情報を受信するステップ
をさらに含む。
【００３１】
任意選択で、端末がリンク変更を示す情報を送信することが許可されていることを示すために使用される指示情報は、以下の情報のうちの任意の１つまたは複数である。
あらかじめ設定されたルールを示すために使用される情報と、
あらかじめ設定されたルールに含まれるしきい値を示すために使用される情報と、
端末が少なくとも１つの隣接する基地局を測定することを可能にするために使用される測定要求と、
端末がリンク変更を示す情報を送信することを可能にする情報と、
リンク変更を示す情報をソース基地局またはターゲット基地局に送信するように端末に指示するために使用される指示情報。
【００３２】
任意選択で、あらかじめ設定されたルールは以下のうちの少なくとも１つである。
満たされる必要があるしきい値に関する情報、および、
隣接する基地局のキャリアまたはセルの機能を示す情報。
【００３３】
任意選択で、しきい値に関する情報は、移動状態推定ＭＳＥのパラメータ範囲、および／または端末の無線アクセス技術ＲＡＴのパラメータ範囲を含む。
【００３４】
任意選択で、少なくとも１つの隣接する基地局の測定値は、以下のうちの少なくとも１つを含む。
少なくとも１つの隣接する基地局を測定することによって端末によって取得された測定結果と、
少なくとも１つの隣接する基地局によってブロードキャストされ、少なくとも１つの隣接する基地局のキャリアまたはセルが機能を有するかどうかを示すために使用される指示情報。
【００３５】
任意選択で、機能を示す情報は、マルチ接続機能指示情報、多入力多出力ＭＩＭＯ技術機能指示情報、二重接続機能指示情報、および受信機機能がサポートされていることを示す指示情報のうちの少なくとも１つであり得る。
【００３６】
任意選択で、端末によって、リンク変更を示す情報をターゲット基地局に送信するステップの後、本方法は、
端末によって、ターゲット基地局にランダムにアクセスするステップと、
端末によって、端末がソース基地局に接続されたときに接続された他のマイクロ基地局の識別子をターゲット基地局に送信し、ターゲット基地局が、他のマイクロ基地局において起動される必要があるマイクロ基地局を決定できるようにするステップと
をさらに含む。
【００３７】
任意選択で、端末によって、リンク変更を示す情報をターゲット基地局に送信するステップの後、本方法は、
端末によって、ソース基地局によって送信された無線リソース制御ＲＲＣ接続設定コマンドを受信するステップと、
ＲＲＣ接続設定コマンドに従ってＲＲＣ接続設定を実行した後、端末によって、ＲＲＣ接続設定完了応答をソース基地局に送信するステップと
をさらに含む。
【００３８】
任意選択で、本方法は、
端末が、あらかじめ設定された持続時間内に、ターゲット基地局によって返され、ターゲット基地局がリンク変更を示す情報を受け入れることを示すために使用される応答メッセージを受信しない場合、
端末によって、少なくとも１つの隣接する基地局を再度測定して、少なくとも１つの隣接する基地局の測定値を取得するステップと、
少なくとも１つの隣接する基地局の測定値に従って、少なくとも１つの隣接する基地局にあらかじめ設定されたルールを満たす新しいターゲット基地局が存在すると決定した場合、端末によって、リンク変更を示す情報を新しいターゲット基地局に送信するステップと
をさらに含む。
【００３９】
任意選択で、リンク変更を示す情報は、以下のコンテンツのうちの任意の１つを含む。
端末へのリンクの追加を示すために使用される指示情報と、
端末へのリンクの転送を示すために使用される指示情報と、
端末へのリンクの切替えを示すために使用される指示情報。
【００４０】
任意選択で、端末へのリンクの追加は、具体的には、端末とターゲット基地局との間のリンクを端末に追加することであり、
端末へのリンクの転送は、具体的には、ソース基地局がマクロ基地局であり、ターゲット基地局がマイクロ基地局である場合、接続がすでに確立されている端末とマイクロ基地局との間のリンクを、端末とターゲット基地局との間のリンクに転送することであり、または、ソース基地局がマイクロ基地局であり、ターゲット基地局がマイクロ基地局である場合、端末とソース基地局との間のリンクを、端末とターゲット基地局との間のリンクに転送することであり、
端末へのリンクの切替えは、具体的には、端末をソース基地局に接続されたリンクからターゲット基地局に接続されたリンクに切り替えることである。
【００４１】
任意選択で、ソース基地局はマクロ基地局もしくはマイクロ基地局であり、ターゲット基地局はマイクロ基地局であるか、または、
マクロ基地局はプライマリ基地局であり、マイクロ基地局はセカンダリ基地局である。
【００４２】
本発明のこの実施形態では、端末が、少なくとも１つの隣接する基地局の測定値に従って、少なくとも１つの隣接する基地局にあらかじめ設定されたルールを満たすターゲット基地局が存在すると決定した場合、端末は、リンク変更を示す情報をターゲット基地局に送信する。前述の処理において、端末は、リンク変更を示す情報を開始する。したがって、端末は、測定値をソース基地局に報告する必要はなくてよく、代わりに、端末自体が測定値に従って決定を実行し、あらかじめ設定されたルールを満たす基地局が存在すると決定した場合、リンク変更を示す情報を開始して、それによって端末とターゲット基地局との間のリンク変更を実施する。この解決策では、端末は、測定値をソース基地局に報告し、ソース基地局が、報告された測定値に従って、リンク変更を示す情報が開始されるべきかどうかを決定できるようにする必要はない。したがって、端末の負荷が軽減され、端末のサービス送信効率が向上する。
【００４３】
本発明の一実施形態は、マイクロ基地局に基づく接続動作方法であって、
ソース基地局によって、端末によって送信されたリンク変更を示す情報を受信するステップと、
ソース基地局によって、リンク変更を示す情報を処理するステップと
を含む方法を提供する。
【００４４】
任意選択で、ソース基地局によって、リンク変更を示す情報を処理するステップは、
リンク変更を示す情報を受け入れると決定した場合、ソース基地局によって、あらかじめ設定されたルールを満たす少なくとも１つの隣接する基地局におけるターゲット基地局を決定するステップと、
ソース基地局によって、ターゲット基地局および端末とのリンク変更処理を実行するステップと
を含む。
【００４５】
任意選択で、ソース基地局によって、端末によって送信されたリンク変更を示す情報を受信するステップは、
ソース基地局によって、端末によって送信されたリンク変更を示し、あらかじめ設定されたルールを満たす少なくとも１つの隣接する基地局の識別子を含む情報を受信するステップ、または、
ソース基地局によって、あらかじめ設定されたルールを満たす少なくとも１つの隣接する基地局の識別子と、端末によって送信されたリンク変更を示す情報とを受信するステップ
を含む。
【００４６】
任意選択で、ソース基地局によって、端末によって送信されたリンク変更を示す情報を受信するステップの前に、本方法は、
ソース基地局によって、端末がリンク変更を示す情報を送信することが許可されていることを示すために使用される指示情報を端末に送信するステップをさらに含む。
【００４７】
任意選択で、端末がリンク変更を示す情報を送信することが許可されていることを示すために使用される指示情報は、以下の情報のうちの任意の１つまたは複数である。
あらかじめ設定されたルールを示すために使用される情報と、
あらかじめ設定されたルールに含まれるしきい値を示すために使用される情報と、
端末が少なくとも１つの隣接する基地局を測定することを可能にするために使用される測定要求と、
端末がリンク変更を示す情報を送信することを可能にする情報と、
リンク変更を示す情報をソース基地局またはターゲット基地局に送信するように端末に指示するために使用される指示情報。
【００４８】
任意選択で、あらかじめ設定されたルールは以下のうちの少なくとも１つである。
満たされる必要があるしきい値に関する情報、および、
隣接する基地局のキャリアまたはセルの機能を示す情報。
【００４９】
任意選択で、しきい値に関する情報は、移動状態推定ＭＳＥのパラメータ範囲、および／または端末の無線アクセス技術ＲＡＴのパラメータ範囲を含む。
【００５０】
任意選択で、少なくとも１つの隣接する基地局の測定値は、以下のうちの少なくとも１つを含む。
少なくとも１つの隣接する基地局を測定することによって端末によって取得された測定結果と、
少なくとも１つの隣接する基地局によってブロードキャストされ、少なくとも１つの隣接する基地局のキャリアまたはセルが機能を有するかどうかを示すために使用される指示情報。
【００５１】
任意選択で、機能を示す情報は、マルチ接続機能指示情報、多入力多出力ＭＩＭＯ技術機能指示情報、二重接続機能指示情報、および受信機機能がサポートされていることを示す指示情報のうちの少なくとも１つであり得る。
【００５２】
任意選択で、ソース基地局によって、端末によって送信されたリンク変更を示す情報を受信するステップの後、本方法は、
ソース基地局によって、無線リソース制御ＲＲＣ接続設定コマンドを端末に送信するステップと、
端末がＲＲＣ接続設定コマンドに従ってＲＲＣ接続設定を実行した後、ソース基地局によって、端末によって送信されたＲＲＣ接続設定完了応答を受信するステップと
をさらに含む。
【００５３】
任意選択で、ソース基地局によって、端末によって送信されたリンク変更を示す情報を受信するステップの後、本方法は、
ソース基地局によって、リンク変更要求をターゲット基地局に送信するステップと、
ソース基地局によって、ターゲット基地局によって返されたリンク変更応答を受信するステップと、
リンク変更応答を受信した後、ソース基地局によって、無線リソース制御ＲＲＣ接続設定コマンドを端末に送信するステップと、
端末によって送信されたＲＲＣ接続設定完了応答を受信した後、ソース基地局によって、リンク変更処理完了コマンドをターゲット基地局に送信し、端末がターゲット基地局にランダムにアクセスできるようにするステップと
を含む。
【００５４】
任意選択で、ソース基地局がマイクロ基地局である場合、
リンク変更応答を受信した後、ソース基地局によって、ＲＲＣ接続設定コマンドを端末に送信するステップの前に、本方法は、
ソース基地局によって、端末が接続されているマクロ基地局にリンク変更指示を送信するステップと、
ソース基地局によって、ターゲット基地局とのベアラパスを切り替えるステップと
をさらに含む。
【００５５】
任意選択で、リンク変更を示す情報は、以下のコンテンツのうちの任意の１つを含む。
端末へのリンクの追加を示すために使用される指示情報と、
端末へのリンクの転送を示すために使用される指示情報と、
端末へのリンクの切替えを示すために使用される指示情報。
【００５６】
任意選択で、端末へのリンクの追加は、具体的には、端末とターゲット基地局との間のリンクを端末に追加することであり、
端末へのリンクの転送は、具体的には、ソース基地局がマクロ基地局であり、ターゲット基地局がマイクロ基地局である場合、接続がすでに確立されている端末とマイクロ基地局との間のリンクを、端末とターゲット基地局との間のリンクに転送することであり、または、ソース基地局がマイクロ基地局であり、ターゲット基地局がマイクロ基地局である場合、端末とソース基地局との間のリンクを、端末とターゲット基地局との間のリンクに転送することであり、
端末へのリンクの切替えは、具体的には、端末をソース基地局に接続されたリンクからターゲット基地局に接続されたリンクに切り替えることである。
【００５７】
任意選択で、ソース基地局はマクロ基地局もしくはマイクロ基地局であり、ターゲット基地局はマイクロ基地局であるか、または、
マクロ基地局はプライマリ基地局であり、マイクロ基地局はセカンダリ基地局である。
【００５８】
本発明のこの実施形態では、端末が、少なくとも１つの隣接する基地局の測定値に従って、少なくとも１つの隣接する基地局にあらかじめ設定されたルールを満たすターゲット基地局が存在すると決定した場合、端末は、リンク変更を示す情報をターゲット基地局に送信する。前述の処理において、端末は、リンク変更を示す情報を開始する。したがって、端末は、測定値をソース基地局に報告する必要はなくてよく、代わりに、端末自体が測定値に従って決定を実行し、あらかじめ設定されたルールを満たす基地局が存在すると決定した場合、リンク変更を示す情報を開始して、それによって端末とターゲット基地局との間のリンク変更を実施する。この解決策では、端末は、測定値をソース基地局に報告し、ソース基地局が、報告された測定値に従って、リンク変更を示す情報が開始されるべきかどうかを決定できるようにする必要はない。したがって、端末の負荷が軽減され、端末のサービス送信効率が向上する。
【００５９】
本発明の一実施形態は、マイクロ基地局に基づく接続動作方法であって、
ターゲット基地局によって、端末によって送信されたリンク変更を示す情報を受信するステップと、
ターゲット基地局によって、リンク変更を示す情報を処理するステップと
を含む方法を提供する。
【００６０】
任意選択で、ターゲット基地局によって、リンク変更を示す情報を処理するステップは、
リンク変更を示す情報を受け入れると決定した場合、ターゲット基地局によって、ソース基地局および端末とのリンク変更処理を実行するステップを含む。
【００６１】
任意選択で、ターゲット基地局によって、端末によって送信されたリンク変更を示す情報をターゲット基地局に受信するステップは、
ターゲット基地局によって、端末によって送信されたリンク変更を示し、ソース基地局の識別子を含む情報を受信するステップ、または、
ターゲット基地局によって、ソース基地局の識別子と、端末によって送信されたリンク変更を示す情報とを受信するステップ
を含む。
【００６２】
任意選択で、ターゲット基地局によって、端末によって送信されたリンク変更を示す情報を受信するステップの後、本方法は、
ターゲット基地局によって、端末によって送信された、端末がソース基地局に接続されたときに接続された他のマイクロ基地局の識別子を受信するステップと、
ターゲット基地局によって、他のマイクロ基地局において起動される必要があるマイクロ基地局を決定し、起動される必要がある決定されたマイクロ基地局を起動するステップと
をさらに含む。
【００６３】
任意選択で、ターゲット基地局によって、端末によって送信されたリンク変更を示す情報を受信するステップの前に、本方法は、
ターゲット基地局によって、ターゲット基地局のキャリアまたはセルの機能を示す情報をブロードキャストするステップをさらに含む。
【００６４】
任意選択で、機能を示す情報は、マルチ接続機能指示情報、多入力多出力ＭＩＭＯ技術機能指示情報、二重接続機能指示情報、および受信機機能がサポートされていることを示す指示情報のうちの少なくとも１つであり得る。
【００６５】
任意選択で、ターゲット基地局によって、ソース基地局および端末とのリンク変更処理を実行するステップは、
ターゲット基地局によって、リンク変更要求をソース基地局に送信するステップと、
ターゲット基地局によって、ソース基地局によって返されたリンク変更応答を受信するステップと、
ターゲット基地局によって、ソース基地局によって送信されたリンク変更処理完了コマンドを受信するステップと
を含み、
リンク変更応答を返した後、ソース基地局が、無線リソース制御ＲＲＣ接続設定コマンドを端末に送信し、端末によって送信されたＲＲＣ接続設定完了応答を受信した後、ソース基地局によってリンク変更処理完了コマンドが送信される。
【００６６】
任意選択で、ソース基地局がマイクロ基地局である場合、
ターゲット基地局によって、ソース基地局によって返されたリンク変更応答を受信するステップの後、および、ターゲット基地局によって、ソース基地局によって送信されたリンク変更処理完了コマンドを受信するステップの前に、本方法は、
ターゲット基地局によって、ソース基地局とのベアラパスを切り替えるステップをさらに含む。
【００６７】
任意選択で、リンク変更を示す情報は、以下のコンテンツのうちの任意の１つを含む。
端末へのリンクの追加を示すために使用される指示情報と、
端末へのリンクの転送を示すために使用される指示情報と、
端末へのリンクの切替えを示すために使用される指示情報。
【００６８】
任意選択で、端末へのリンクの追加は、具体的には、端末とターゲット基地局との間のリンクを端末に追加することであり、
端末へのリンクの転送は、具体的には、ソース基地局がマクロ基地局であり、ターゲット基地局がマイクロ基地局である場合、接続がすでに確立されている端末とマイクロ基地局との間のリンクを、端末とターゲット基地局との間のリンクに転送することであり、または、ソース基地局がマイクロ基地局であり、ターゲット基地局がマイクロ基地局である場合、端末とソース基地局との間のリンクを、端末とターゲット基地局との間のリンクに転送することであり、
端末へのリンクの切替えは、具体的には、端末をソース基地局に接続されたリンクからターゲット基地局に接続されたリンクに切り替えることである。
【００６９】
任意選択で、ソース基地局はマクロ基地局もしくはマイクロ基地局であり、ターゲット基地局はマイクロ基地局であるか、または、マクロ基地局はプライマリ基地局であり、マイクロ基地局はセカンダリ基地局である。
【００７０】
本発明のこの実施形態では、端末が、少なくとも１つの隣接する基地局の測定値に従って、少なくとも１つの隣接する基地局にあらかじめ設定されたルールを満たすターゲット基地局が存在すると決定した場合、端末は、リンク変更を示す情報をターゲット基地局に送信する。前述の処理において、端末は、リンク変更を示す情報を開始する。したがって、端末は、測定値をソース基地局に報告する必要はなくてよく、代わりに、端末自体が測定値に従って決定を実行し、あらかじめ設定されたルールを満たす基地局が存在すると決定した場合、リンク変更を示す情報を開始して、それによって端末とターゲット基地局との間のリンク変更を実施する。この解決策では、端末は、測定値をソース基地局に報告し、ソース基地局が、報告された測定値に従って、リンク変更を示す情報が開始されるべきかどうかを決定できるようにする必要はない。したがって、端末の負荷が軽減され、端末のサービス送信効率が向上する。
【００７１】
本発明の一実施形態は、
少なくとも１つの隣接する基地局を測定して、少なくとも１つの隣接する基地局の測定値を取得するステップと、
少なくとも１つの隣接する基地局の測定値に従って、少なくとも１つの隣接する基地局にあらかじめ設定されたルールを満たす少なくとも１つの隣接する基地局が存在すると決定した場合、トランシーバユニットを使用することによって、リンク変更を示す情報をソース基地局に送信するステップと
の処理を実行するために、メモリ内のプログラムを読み取るように構成された処理ユニットと、
リンク変更を示す情報をソース基地局に送信するように構成されたトランシーバユニットと
を含む端末を提供する。
【００７２】
任意選択で、ソース基地局がリンク変更を示す情報を受け入れると決定した場合、ソース基地局が、あらかじめ設定されたルールを満たす少なくとも１つの隣接する基地局におけるターゲット基地局を決定し、ターゲット基地局および端末とのリンク変更処理を実行することを可能にするために、リンク変更を示す情報が使用される。
【００７３】
任意選択で、トランシーバユニットは、
リンク変更を示し、あらかじめ設定されたルールを満たす少なくとも１つの隣接する基地局の識別子を含む情報をソース基地局に送信すること、または、
あらかじめ設定されたルールを満たす少なくとも１つの隣接する基地局の識別子と、リンク変更を示す情報とをソース基地局に送信すること
を行うように構成される。
【００７４】
任意選択で、トランシーバユニットは、
ソース基地局がマクロ基地局である場合、ソース基地局によって送信され、トランシーバユニットがリンク変更を示す情報を送信することが許可されていることを示すために使用される指示情報を受信すること、または、
ソース基地局がマイクロ基地局である場合、マクロ基地局または端末が接続されているソース基地局によって送信され、トランシーバユニットがリンク変更を示す情報を送信することが許可されていることを示すために使用される指示情報を受信すること
を行うようにさらに構成される。
【００７５】
任意選択で、トランシーバユニットがリンク変更を示す情報を送信することが許可されていることを示すために使用される指示情報は、以下の情報のうちの任意の１つまたは複数である。
あらかじめ設定されたルールを示すために使用される情報と、
あらかじめ設定されたルールに含まれるしきい値を示すために使用される情報と、
処理ユニットが少なくとも１つの隣接する基地局を測定することを可能にするために使用される測定要求と、
トランシーバユニットがリンク変更を示す情報を送信することを可能にする情報と、
リンク変更を示す情報をソース基地局またはターゲット基地局に送信するようにトランシーバユニットに指示するために使用される指示情報。
【００７６】
任意選択で、あらかじめ設定されたルールは以下のうちの少なくとも１つである。
満たされる必要があるしきい値に関する情報、および、
隣接する基地局のキャリアまたはセルの機能を示す情報。
【００７７】
任意選択で、しきい値に関する情報は、移動状態推定ＭＳＥのパラメータ範囲、および／または端末の無線アクセス技術ＲＡＴのパラメータ範囲を含む。
【００７８】
任意選択で、少なくとも１つの隣接する基地局の測定値は、以下のうちの少なくとも１つを含む。
少なくとも１つの隣接する基地局を測定することによって端末によって取得された測定結果と、
少なくとも１つの隣接する基地局によってブロードキャストされ、少なくとも１つの隣接する基地局のキャリアまたはセルが機能を有するかどうかを示すために使用される指示情報。
【００７９】
任意選択で、機能を示す情報は、以下のコンテンツのうちの少なくとも１つである。
マルチ接続機能指示情報、多入力多出力ＭＩＭＯ技術機能指示情報、および受信機機能がサポートされていることを示す指示情報のうちの少なくとも１つ。
【００８０】
任意選択で、処理ユニットは、
ソース基地局が、リンク変更を示す情報を受け入れると決定し、あらかじめ設定されたルールを満たす少なくとも１つの隣接する基地局におけるターゲット基地局を決定し、ターゲット基地局および端末とのリンク変更処理を実行した後に、ターゲット基地局にランダムにアクセスするようにさらに構成される。
【００８１】
任意選択で、トランシーバユニットは、
ソース基地局によって送信された無線リソース制御ＲＲＣ接続設定コマンドを受信することと、
ＲＲＣ接続設定コマンドに従ってＲＲＣ接続設定を実行した後、ＲＲＣ接続設定完了応答をソース基地局に送信することと
を行うようにさらに構成される。
【００８２】
任意選択で、処理ユニットは、
トランシーバユニットが、あらかじめ設定された持続時間内に、ソース基地局によって返され、ソース基地局がリンク変更を示す情報を受け入れることを示すために使用される応答メッセージを受信しない場合、
少なくとも１つの隣接する基地局を再度測定して、少なくとも１つの隣接する基地局の測定値を取得することと、
少なくとも１つの隣接する基地局の測定値に従って、少なくとも１つの隣接する基地局にあらかじめ設定されたルールを満たす少なくとも１つの隣接する基地局が存在すると決定した場合、トランシーバユニットを使用することによって、リンク変更を示す情報をソース基地局に送信することと
を行うようにさらに構成される。
【００８３】
任意選択で、リンク変更を示す情報は、以下のコンテンツのうちの任意の１つを含む。
端末へのリンクの追加を示すために使用される指示情報と、
端末へのリンクの転送を示すために使用される指示情報と、
端末へのリンクの切替えを示すために使用される指示情報。
【００８４】
任意選択で、端末へのリンクの追加は、具体的には、端末とターゲット基地局との間のリンクを端末に追加することであり、
端末へのリンクの転送は、具体的には、ソース基地局がマクロ基地局であり、ターゲット基地局がマイクロ基地局である場合、接続がすでに確立されている端末とマイクロ基地局との間のリンクを、端末とターゲット基地局との間のリンクに転送することであり、または、ソース基地局がマイクロ基地局であり、ターゲット基地局がマイクロ基地局である場合、端末とソース基地局との間のリンクを、端末とターゲット基地局との間のリンクに転送することであり、
端末へのリンクの切替えは、具体的には、端末をソース基地局に接続されたリンクからターゲット基地局に接続されたリンクに切り替えることである。
【００８５】
任意選択で、ソース基地局はマクロ基地局もしくはマイクロ基地局であり、ターゲット基地局はマイクロ基地局であるか、または、マクロ基地局はプライマリ基地局であり、マイクロ基地局はセカンダリ基地局である。
【００８６】
前述の内容から分かるように、端末が、少なくとも１つの隣接する基地局にあらかじめ設定されたルールを満たす少なくとも１つの隣接する基地局が存在すると決定した場合、端末は、リンク変更を示す情報を端末が接続されているソース基地局に送信する。前述の処理において、端末は、リンク変更を示す情報を開始する。したがって、端末は、測定値をソース基地局に報告する必要はなくてよく、代わりに、端末自体が測定値に従って決定を実行し、あらかじめ設定されたルールを満たす基地局が存在すると決定した場合、リンク変更を示す情報を開始して、それによって端末とターゲット基地局との間のリンク変更を実施する。この解決策では、端末は、測定値をソース基地局に報告し、ソース基地局が、報告された測定値に従って、リンク変更を示す情報が開始されるべきかどうかを決定できるようにする必要はない。したがって、端末の負荷が軽減され、端末のサービス送信効率が向上する。
【００８７】
本発明の一実施形態は、
少なくとも１つの隣接する基地局を測定して、少なくとも１つの隣接する基地局の測定値を取得するステップと、
少なくとも１つの隣接する基地局の測定値に従って、少なくとも１つの隣接する基地局にあらかじめ設定されたルールを満たすターゲット基地局が存在すると決定した場合、トランシーバユニットを使用することによって、リンク変更を示す情報をターゲット基地局に送信するステップと
の処理を実行するために、メモリ内のプログラムを読み取るように構成された処理ユニットと、
リンク変更を示す情報をターゲット基地局に送信するように構成されたトランシーバユニットと
を含む端末を提供する。
【００８８】
任意選択で、本発明のこの実施形態では、処理ユニットはプロセッサであり得、トランシーバユニットは送受信機能を有するトランシーバであり得る。
【００８９】
任意選択で、ターゲット基地局がリンク変更を示す情報を受け入れると決定した場合、リンク変更を示す情報は、ターゲット基地局がソース基地局および端末とのリンク変更処理を実行することを可能にするために使用される。
【００９０】
任意選択で、トランシーバユニットは、
リンク変更を示し、ソース基地局の識別子を含む情報をターゲット基地局に送信すること、または、
ソース基地局の識別子と、リンク変更を示す情報とをターゲット基地局に送信すること
を行うように構成される。
【００９１】
任意選択で、トランシーバユニットは、
ソース基地局がマクロ基地局である場合、ソース基地局によって送信され、トランシーバユニットがリンク変更を示す情報を送信することが許可されていることを示すために使用される指示情報を受信すること、または、
ソース基地局がマイクロ基地局である場合、マクロ基地局または端末が接続されているソース基地局によって送信され、トランシーバユニットがリンク変更を示す情報を送信することが許可されていることを示すために使用される指示情報を受信すること
を行うようにさらに構成される。
【００９２】
任意選択で、トランシーバユニットがリンク変更を示す情報を送信することが許可されていることを示すために使用される指示情報は、以下の情報のうちの任意の１つまたは複数である。
あらかじめ設定されたルールを示すために使用される情報と、
あらかじめ設定されたルールに含まれるしきい値を示すために使用される情報と、
処理ユニットが少なくとも１つの隣接する基地局を測定することを可能にするために使用される測定要求と、
トランシーバユニットがリンク変更を示す情報を送信することを可能にする情報と、
リンク変更を示す情報をソース基地局またはターゲット基地局に送信するようにトランシーバユニットに指示するために使用される指示情報。
【００９３】
任意選択で、あらかじめ設定されたルールは以下のうちの少なくとも１つである。
満たされる必要があるしきい値に関する情報、および、
隣接する基地局のキャリアまたはセルの機能を示す情報。
【００９４】
任意選択で、しきい値に関する情報は、移動状態推定ＭＳＥのパラメータ範囲、および／または端末の無線アクセス技術ＲＡＴのパラメータ範囲を含む。
【００９５】
任意選択で、少なくとも１つの隣接する基地局の測定値は、以下のうちの少なくとも１つを含む。
少なくとも１つの隣接する基地局を測定することによって端末によって取得された測定結果と、
少なくとも１つの隣接する基地局によってブロードキャストされ、少なくとも１つの隣接する基地局のキャリアまたはセルが機能を有するかどうかを示すために使用される指示情報。
【００９６】
任意選択で、機能を示す情報は、マルチ接続機能指示情報、多入力多出力ＭＩＭＯ技術機能指示情報、二重接続機能指示情報、および受信機機能がサポートされていることを示す指示情報のうちの少なくとも１つであり得る。
【００９７】
任意選択で、処理ユニットは、
ターゲット基地局にランダムにアクセスすることと、
端末がソース基地局に接続されたときに、トランシーバユニットを使用することによって、接続された他のマイクロ基地局の識別子をターゲット基地局に送信し、ターゲット基地局が、他のマイクロ基地局において起動される必要があるマイクロ基地局を決定できるようにすることと
を行うようにさらに構成される。
【００９８】
任意選択で、トランシーバユニットは、
ソース基地局によって送信された無線リソース制御ＲＲＣ接続設定コマンドを受信することと、
ＲＲＣ接続設定コマンドに従ってＲＲＣ接続設定を実行した後、ＲＲＣ接続設定完了応答をソース基地局に送信することと
を行うようにさらに構成される。
【００９９】
任意選択で、処理ユニットは、
トランシーバユニットが、あらかじめ設定された持続時間内に、ターゲット基地局によって返され、ターゲット基地局がリンク変更を示す情報を受け入れることを示すために使用される応答メッセージを受信しない場合、
少なくとも１つの隣接する基地局を再度測定して少なくとも１つの隣接する基地局の測定値を取得するステップと、
少なくとも１つの隣接する基地局の測定値に従って、少なくとも１つの隣接する基地局にあらかじめ設定されたルールを満たす新しいターゲット基地局が存在すると決定した場合、トランシーバユニットを使用することによって、リンク変更を示す情報を新しいターゲット基地局に送信するステップと
をさらに含む。
【０１００】
任意選択で、リンク変更を示す情報は、以下のコンテンツのうちの任意の１つを含む。
端末へのリンクの追加を示すために使用される指示情報と、
端末へのリンクの転送を示すために使用される指示情報と、
端末へのリンクの切替えを示すために使用される指示情報。
【０１０１】
任意選択で、端末へのリンクの追加は、具体的には、端末とターゲット基地局との間のリンクを端末に追加することであり、
端末へのリンクの転送は、具体的には、ソース基地局がマクロ基地局であり、ターゲット基地局がマイクロ基地局である場合、接続がすでに確立されている端末とマイクロ基地局との間のリンクを、端末とターゲット基地局との間のリンクに転送することであり、または、ソース基地局がマイクロ基地局であり、ターゲット基地局がマイクロ基地局である場合、端末とソース基地局との間のリンクを、端末とターゲット基地局との間のリンクに転送することであり、
端末へのリンクの切替えは、具体的には、端末をソース基地局に接続されたリンクからターゲット基地局に接続されたリンクに切り替えることである。
【０１０２】
任意選択で、ソース基地局はマクロ基地局もしくはマイクロ基地局であり、ターゲット基地局はマイクロ基地局であるか、または、マクロ基地局はプライマリ基地局であり、マイクロ基地局はセカンダリ基地局である。
【０１０３】
前述の内容から分かるように、端末が、少なくとも１つの隣接する基地局の測定値に従って、少なくとも１つの隣接する基地局にあらかじめ設定されたルールを満たすターゲット基地局が存在すると決定した場合、端末は、リンク変更を示す情報をターゲット基地局に送信する。前述の処理において、端末は、リンク変更を示す情報を開始する。したがって、端末は、測定値をソース基地局に報告する必要はなくてよく、代わりに、端末自体が測定値に従って決定を実行し、あらかじめ設定されたルールを満たす基地局が存在すると決定した場合、リンク変更を示す情報を開始して、それによって端末とターゲット基地局との間のリンク変更を実施する。この解決策では、端末は、測定値をソース基地局に報告し、ソース基地局が、報告された測定値に従って、リンク変更を示す情報が開始されるべきかどうかを決定できるようにする必要はない。したがって、端末の負荷が軽減され、端末のサービス送信効率が向上する。
【０１０４】
本発明の一実施形態は、
端末によって送信されたリンク変更を示す情報を受信するように構成されたトランシーバユニットと、
リンク変更を示す情報を処理するように構成された処理ユニットと
を含む基地局を提供する。
【０１０５】
任意選択で、本発明のこの実施形態では、処理ユニットはプロセッサであり得、トランシーバユニットは送受信機能を有するトランシーバであり得る。
【０１０６】
任意選択で、処理ユニットは、
リンク変更を示す情報を受け入れると決定した場合、あらかじめ設定されたルールを満たす少なくとも１つの隣接する基地局におけるターゲット基地局を決定することと、
ターゲット基地局および端末とのリンク変更処理を実行することと
を行うように構成される。
【０１０７】
任意選択で、トランシーバユニットは、
端末によって送信されたリンク変更を示し、あらかじめ設定されたルールを満たす少なくとも１つの隣接する基地局の識別子を含む情報を受信すること、または、
あらかじめ設定されたルールを満たす少なくとも１つの隣接する基地局の識別子と、端末によって送信されたリンク変更を示す情報とを受信すること
を行うように構成される。
【０１０８】
任意選択で、トランシーバユニットは、
端末がリンク変更を示す情報を送信することが許可されていることを示すために使用される指示情報を端末に送信するようにさらに構成される。
【０１０９】
任意選択で、端末がリンク変更を示す情報を送信することが許可されていることを示すために使用される指示情報は、以下の情報のうちの任意の１つまたは複数である。
あらかじめ設定されたルールを示すために使用される情報と、
あらかじめ設定されたルールに含まれるしきい値を示すために使用される情報と、
端末が少なくとも１つの隣接する基地局を測定することを可能にするために使用される測定要求と、
端末がリンク変更を示す情報を送信することを可能にする情報と、
リンク変更を示す情報をソース基地局またはターゲット基地局に送信するように端末に指示するために使用される指示情報。
【０１１０】
任意選択で、あらかじめ設定されたルールは以下のうちの少なくとも１つである。
満たされる必要があるしきい値に関する情報、および、
隣接する基地局のキャリアまたはセルの機能を示す情報。
【０１１１】
任意選択で、しきい値に関する情報は、移動状態推定ＭＳＥのパラメータ範囲、および／または端末の無線アクセス技術ＲＡＴのパラメータ範囲を含む。
【０１１２】
任意選択で、少なくとも１つの隣接する基地局の測定値は、以下のうちの少なくとも１つを含む。
少なくとも１つの隣接する基地局を測定することによって端末によって取得された測定結果と、
少なくとも１つの隣接する基地局によってブロードキャストされ、少なくとも１つの隣接する基地局のキャリアまたはセルが機能を有するかどうかを示すために使用される指示情報。
【０１１３】
任意選択で、機能を示す情報は、マルチ接続機能指示情報、多入力多出力ＭＩＭＯ技術機能指示情報、二重接続機能指示情報、および受信機機能がサポートされていることを示す指示情報のうちの少なくとも１つであり得る。
【０１１４】
任意選択で、トランシーバユニットは、
無線リソース制御ＲＲＣ接続設定コマンドを端末に送信することと、
端末がＲＲＣ接続設定コマンドに従ってＲＲＣ接続設定を実行した後、端末によって送信されたＲＲＣ接続設定完了応答を受信することと
を行うようにさらに構成される。
【０１１５】
任意選択で、トランシーバユニットは、
リンク変更要求をターゲット基地局に送信することと、
ターゲット基地局によって返されたリンク変更応答を受信することと、
リンク変更応答を受信した後、無線リソース制御ＲＲＣ接続設定コマンドを端末に送信することと、
端末によって送信されたＲＲＣ接続設定完了応答を受信した後、リンク変更処理完了コマンドをターゲット基地局に送信し、端末がターゲット基地局にランダムにアクセスできるようにすることと
を行うようにさらに構成される。
【０１１６】
任意選択で、トランシーバユニットは、
リンク変更応答を受信した後、ＲＲＣ接続設定コマンドを端末に送信する前に、
端末が接続されているマクロ基地局にリンク変更指示を送信することをさらに含むことを行うようにさらに構成され、
処理ユニットは、
ターゲット基地局とのベアラパスを切り替えるようにさらに構成される。
【０１１７】
任意選択で、リンク変更を示す情報は、以下のコンテンツのうちの任意の１つを含む。
端末へのリンクの追加を示すために使用される指示情報と、
端末へのリンクの転送を示すために使用される指示情報と、
端末へのリンクの切替えを示すために使用される指示情報。
【０１１８】
任意選択で、端末へのリンクの追加は、具体的には、端末とターゲット基地局との間のリンクを端末に追加することであり、
端末へのリンクの転送は、具体的には、ソース基地局がマクロ基地局であり、ターゲット基地局がマイクロ基地局である場合、接続がすでに確立されている端末とマイクロ基地局との間のリンクを、端末とターゲット基地局との間のリンクに転送することであり、または、ソース基地局がマイクロ基地局であり、ターゲット基地局がマイクロ基地局である場合、端末とソース基地局との間のリンクを、端末とターゲット基地局との間のリンクに転送することであり、
端末へのリンクの切替えは、具体的には、端末をソース基地局に接続されたリンクからターゲット基地局に接続されたリンクに切り替えることである。
【０１１９】
任意選択で、ソース基地局はマクロ基地局もしくはマイクロ基地局であり、ターゲット基地局はマイクロ基地局であるか、または、マクロ基地局はプライマリ基地局であり、マイクロ基地局はセカンダリ基地局である。
【０１２０】
前述の内容から分かるように、端末が、少なくとも１つの隣接する基地局にあらかじめ設定されたルールを満たす少なくとも１つの隣接する基地局が存在すると決定した場合、端末は、リンク変更を示す情報を端末が接続されているソース基地局に送信する。前述の処理において、端末は、リンク変更を示す情報を開始する。したがって、端末は、測定値をソース基地局に報告する必要はなくてよく、代わりに、端末自体が測定値に従って決定を実行し、あらかじめ設定されたルールを満たす基地局が存在すると決定した場合、リンク変更を示す情報を開始して、それによって端末とターゲット基地局との間のリンク変更を実施する。この解決策では、端末は、測定値をソース基地局に報告し、ソース基地局が、報告された測定値に従って、リンク変更を示す情報が開始されるべきかどうかを決定できるようにする必要はない。したがって、端末の負荷が軽減され、端末のサービス送信効率が向上する。
【０１２１】
本発明の一実施形態は、
以下の処理を実行するためにメモリ内のプログラムを読み取るように構成された、プロセッサであり得る処理ユニットと、
端末によって送信されたリンク変更を示す情報を受信するように構成されたトランシーバユニットと、
リンク変更を示す情報を処理するように構成された処理ユニットと
を含む基地局を提供する。
【０１２２】
任意選択で、本発明のこの実施形態では、処理ユニットはプロセッサであり得、トランシーバユニットは送受信機能を有するトランシーバであり得る。
【０１２３】
任意選択で、処理ユニットは、
リンク変更を示す情報を受け入れると決定した場合、ソース基地局および端末とのリンク変更処理を実行するように構成される。
【０１２４】
任意選択で、トランシーバユニットは、
端末によって送信されたリンク変更を示し、ソース基地局の識別子を含む情報を受信すること、または、
ソース基地局の識別子と、端末によって送信されたリンク変更を示す情報とを受信すること
を行うように構成される。
【０１２５】
任意選択で、トランシーバユニットは、
端末によって送信された、端末がソース基地局に接続されたときに接続された他のマイクロ基地局の識別子を受信するようにさらに構成され、
処理ユニットは、
他のマイクロ基地局において起動される必要があるマイクロ基地局を決定し、起動される必要がある決定されたマイクロ基地局を起動するようにさらに構成される。
【０１２６】
任意選択で、トランシーバユニットは、
基地局のキャリアまたはセルの機能を示す情報をブロードキャストするようにさらに構成される。
【０１２７】
任意選択で、機能を示す情報は、マルチ接続機能指示情報、多入力多出力ＭＩＭＯ技術機能指示情報、二重接続機能指示情報、および受信機機能がサポートされていることを示す指示情報のうちの少なくとも１つであり得る。
【０１２８】
任意選択で、トランシーバユニットは、
リンク変更要求をソース基地局に送信することと、
ソース基地局によって返されたリンク変更応答を受信することと、
ソース基地局によって送信されたリンク変更処理完了コマンドを受信することと
を行うように構成され、
リンク変更応答を返した後、ソース基地局が、無線リソース制御ＲＲＣ接続設定コマンドを端末に送信し、端末によって送信されたＲＲＣ接続設定完了応答を受信した後、ソース基地局によってリンク変更処理完了コマンドが送信される。
【０１２９】
任意選択で、処理ユニットは、
トランシーバユニットが、ソース基地局によって返されたリンク変更応答を受信した後、および、トランシーバユニットが、ソース基地局によって送信されたリンク変更処理完了コマンドを受信する前に、ソース基地局とのベアラパスを切り替えるようにさらに構成される。
【０１３０】
任意選択で、リンク変更を示す情報は、以下のコンテンツのうちの任意の１つを含む。
端末へのリンクの追加を示すために使用される指示情報と、
端末へのリンクの転送を示すために使用される指示情報と、
端末へのリンクの切替えを示すために使用される指示情報。
【０１３１】
任意選択で、端末へのリンクの追加は、具体的には、端末とターゲット基地局との間のリンクを端末に追加することであり、
端末へのリンクの転送は、具体的には、ソース基地局がマクロ基地局であり、ターゲット基地局がマイクロ基地局である場合、接続がすでに確立されている端末とマイクロ基地局との間のリンクを、端末とターゲット基地局との間のリンクに転送することであり、または、ソース基地局がマイクロ基地局であり、ターゲット基地局がマイクロ基地局である場合、端末とソース基地局との間のリンクを、端末とターゲット基地局との間のリンクに転送することであり、
端末へのリンクの切替えは、具体的には、端末をソース基地局に接続されたリンクからターゲット基地局に接続されたリンクに切り替えることである。
【０１３２】
任意選択で、ソース基地局はマクロ基地局もしくはマイクロ基地局であり、ターゲット基地局はマイクロ基地局であるか、または、マクロ基地局はプライマリ基地局であり、マイクロ基地局はセカンダリ基地局である。
【発明の効果】
【０１３３】
前述の内容から分かるように、端末が、少なくとも１つの隣接する基地局の測定値に従って、少なくとも１つの隣接する基地局にあらかじめ設定されたルールを満たすターゲット基地局が存在すると決定した場合、端末は、リンク変更を示す情報をターゲット基地局に送信する。前述の処理において、端末は、リンク変更を示す情報を開始する。したがって、端末は、測定値をソース基地局に報告する必要はなくてよく、代わりに、端末自体が測定値に従って決定を実行し、あらかじめ設定されたルールを満たす基地局が存在すると決定した場合、リンク変更を示す情報を開始して、それによって端末とターゲット基地局との間のリンク変更を実施する。この解決策では、端末は、測定値をソース基地局に報告し、ソース基地局が、報告された測定値に従って、リンク変更を示す情報が開始されるべきかどうかを決定できるようにする必要はない。したがって、端末の負荷が軽減され、端末のサービス送信効率が向上する。
【図面の簡単な説明】
【０１３４】
本発明の実施形態における技術的解決策をより明確に説明するために、以下で、実施形態を説明するために必要な添付の図面を簡単に説明する。
【０１３５】
【図１】本発明の一実施形態が適用可能なシステムの概略的なアーキテクチャ図である。
【図２ａ】本発明の一実施形態による、マイクロ基地局に基づく接続動作方法の概略的なフローチャートである。
【図２ｂ−１】本発明の一実施形態による、マイクロ基地局に基づく接続動作方法の概略的なフローチャートである。
【図２ｂ−２】本発明の一実施形態による、マイクロ基地局に基づく接続動作方法の概略的なフローチャートである。
【図２ｃ−１】本発明の一実施形態による、マイクロ基地局に基づく接続動作方法の概略的なフローチャートである。
【図２ｃ−２】本発明の一実施形態による、マイクロ基地局に基づく接続動作方法の概略的なフローチャートである。
【図２ｄ−１】本発明の一実施形態による、マイクロ基地局に基づく接続動作方法の概略的なフローチャートである。
【図２ｄ−２】本発明の一実施形態による、マイクロ基地局に基づく接続動作方法の概略的なフローチャートである。
【図３ａ】本発明の一実施形態による、マイクロ基地局に基づく接続動作方法の概略的なフローチャートである。
【図３ｂ】本発明の一実施形態による、マイクロ基地局に基づく接続動作方法の概略的なフローチャートである。
【図３ｃ−１】本発明の一実施形態による、マイクロ基地局に基づく接続動作方法の概略的なフローチャートである。
【図３ｃ−２】本発明の一実施形態による、マイクロ基地局に基づく接続動作方法の概略的なフローチャートである。
【図４】本発明の一実施形態による、端末の概略的な構成図である。
【図５】本発明の一実施形態による、端末の概略的な構成図である。
【図６】本発明の一実施形態による、基地局の概略的な構成図である。
【図７】本発明の一実施形態による、基地局の概略的な構成図である。
【発明を実施するための形態】
【０１３６】
本発明の目的、技術的解決法、および利点を、より明瞭に、またより理解しやすくするために、以下で、添付の図面および実施形態を参照して本発明をさらに詳しく説明する。本明細書に記載された特定の実施形態は、本発明を説明するために使用されているに過ぎず、本発明を限定することが意図されるものではないことを理解されたい。
【０１３７】
図１は、本発明の一実施形態が適用可能なシステムの概略的なアーキテクチャ図である。図１に示されるように、端末１０４は、マクロ基地局１０１のカバレッジ内に配置されている。この場合、端末１０４は、マクロ基地局１０１に接続されている。さらに、たとえば図１におけるマイクロ基地局１０３およびマイクロ基地局１０４などの複数のマイクロ基地局がマクロ基地局１０１のカバレッジ内に配置されている。端末１０４は、マクロ基地局１０１に基づいて接続されてもよく、マクロ基地局１０１のカバレッジ内でマイクロ基地局に接続されてもよい。たとえば、端末１０４は、マクロ基地局１０１とマイクロ基地局１０２の両方に接続されている。端末１０４がマクロ基地局１０１に接続された後、端末１０４とマクロ基地局１０１との間のリンクが確立される。この場合、端末１０４がマイクロ基地局１０２との接続を確立することを希望する場合、端末１０４は、マイクロ基地局１０２とのリンクを追加（Ａｄｄ）するか、またはリンクを転送（ｔｒａｎｓｆｅｒ）する必要がある。この場合、端末１０４がマイクロ基地局１０２との接続を確立しているが、端末１０４がマイクロ基地局１０１にハンドオーバされる必要があり、端末１０４は、端末１０４は、マイクロ基地局１０２に接続されたリンクから、マイクロ基地局１０１に接続されたリンクに切り替える（変更する）必要がある。
【０１３８】
本発明のこの実施形態は、複数のシナリオに適用可能である。この実施形態が仮想セルの概念に適用可能であり、端末が仮想セル内に配置されている場合、端末は通常、主送信点またはクラスタヘッド（ｃｌｕｓｔｅｒ  ｈｅａｄ）との無線リソース制御（Ｒａｄｉｏ  Ｒｅｓｏｕｒｃｅ  Ｃｏｎｔｒｏｌ、略してＲＲＣ）リンクを維持する。端末が仮想セル内のリンクを追加、変更、転送、または切り替えるとき、端末は通常、主送信点またはクラスタヘッドと情報を交換する必要がある。たとえば、仮想セル内の端末がマイクロ基地局間でハンドオーバされる必要がある場合、端末は、マクロ基地局以外の主送信点またはクラスタヘッドと情報を交換する必要がある。非仮想セルのシナリオでは、端末がマイクロ基地局間でハンドオーバされるとき、端末は、マクロ基地局と情報を交換する必要がある。
【０１３９】
本明細書における様々な態様は、端末および／または基地局を参照して説明される。ワイヤレス端末またはワイヤード端末を含む端末は、ユーザに音声および／またはデータ接続を提供するデバイス（ｄｅｖｉｃｅ）である。ワイヤレス端末は、ワイヤレス接続機能を有するハンドヘルドデバイスであってもよく、ワイヤレスモデムに接続された別の処理デバイスであってもよく、無線アクセスネットワークを使用することによって１つまたは複数のコアネットワークと通信するモバイル端末であってもよい。たとえば、ワイヤレス端末は、モバイル電話（または、「セルラー」電話と呼ばれる）であってもよく、モバイル端末を有するコンピュータであってもよい。別の例では、ワイヤレス端末は、ポータブル、ポケットサイズ、ハンドヘルド、コンピュータ内蔵型、または車載モバイル装置であってもよい。別の例として、ワイヤレス端末は、移動局（ｍｏｂｉｌｅ  ｓｔａｔｉｏｎ）、アクセスポイント（ａｃｃｅｓｓ  ｐｏｉｎｔ）、またはユーザ機器（ｕｓｅｒ  ｅｑｕｉｐｍｅｎｔ、略してＵＥ）の一部であってもよい。
【０１４０】
一方、従来技術では、明らかに、マクロ基地局は、端末によって送信された測定報告における測定値および他のパラメータに従って、リンク変更を開始するかどうかを決定する必要がある。この場合、他のパラメータも端末によって報告される必要があり、他のパラメータは、端末の移動速度などのパラメータであってもよく、端末によってサポートされるキャリアタイプおよび無線アクセス技術（Ｒａｄｉｏ  Ａｃｃｅｓｓ  Ｔｅｃｈｎｏｌｏｇｙ、略してＲＡＴ）タイプなどのパラメータであってもよい。この場合、端末が測定値をマクロ基地局に報告する際に遅延が生じさせられる。大量の測定値が送信されるため、マクロ基地局が受信した測定値に応じて決定を行う際に遅延があり、さらに、端末のリンク変更に遅延が生じさせられる。より多くの端末が存在する場合、端末のリンク変更にはより長い遅延がある。しかしながら、端末のリンク変更は、遅延により高い要件を課し、特にマルチホップ通信において、より短い遅延が予想される。
【０１４１】
他方では、端末は、測定報告における測定値および上述の他の測定値を報告する必要があり、したがって、端末側のネットワーク負荷が増大される。第３に、マクロ基地局が端末のリンクを変更するかどうかを決定する際には、端末の負荷も考慮される必要がある。しかしながら、端末の負荷は常に変化する。したがって、端末がマクロ基地局に負荷パラメータを送信し、マクロ基地局が決定を行う際に、端末の負荷が再び変化した可能性がある。その結果、マクロ基地局の決定は不正確である。
【０１４２】
したがって、本発明の一実施形態では、端末が、少なくとも１つの隣接する基地局にあらかじめ設定されたルールを満たす少なくとも１つの隣接する基地局が存在すると決定した場合、端末は、リンク変更を示す情報を端末が接続されているソース基地局に送信するか、または、端末が、少なくとも１つの隣接する基地局の測定値に従って、少なくとも１つの隣接する基地局にあらかじめ設定されたルールを満たすターゲット基地局が存在すると決定した場合、端末は、リンク変更を示す情報をターゲット基地局に送信する。この処理では、端末は、リンク変更を示す情報を開始する。一方、マクロ基地局のカバレッジ内に大量のマイクロ基地局が存在し、端末がリンク切替えの問題に頻繁に遭遇する場合、端末は、測定報告における測定値および他の測定値に従って直接決定することができ、端末の移動性パラメータおよび端末によってサポートされるキャリアタイプなどのパラメータなどの他の測定値がすべて端末によって学習されることができ、測定報告における測定値も端末自体によって測定を通じて取得される。端末は、他のデバイスが多数の測定値を端末に送信することを要求しない。したがって、リンク切替え処理の遅延が大幅に低減され、特にマルチホップ通信の遅延が低減される。他方では、端末は測定値をマクロ基地局に報告する必要がなく、マクロ基地局がリンク切替えの決定を行うため、端末の負荷が軽減され、端末のサービス送信効率が向上する。
【０１４３】
本発明のこの実施形態は、複数のシナリオに適用可能である。たとえば、端末は、マクロ基地局からマクロ基地局にハンドオーバされる。本発明のこの実施形態では、以下のシナリオが説明のための例として使用される。
【０１４４】
端末はマクロ基地局に接続され、端末は、端末とマイクロ基地局との間にリンクを追加する必要がある。この場合、マクロ基地局はソース基地局であり、追加されるべきマイクロ基地局はターゲット基地局である。仮想セルの概念では、この場合、ソース基地局は主送信点またはクラスタヘッドであり、すなわち、ソース基地局はマイクロ基地局であり、追加されるべきマイクロ基地局はターゲット基地局である。
【０１４５】
あるいは、端末はマクロ基地局とマイクロ基地局の両方に接続される。この場合、端末は、あるマイクロ基地局から別のマイクロ基地局に変更または転送する必要がある。この場合、２つのマイクロ基地局の両方がマクロ基地局のカバレッジ内にある。この場合、ソース基地局はマイクロ基地局であり、変更または転送されるべきマイクロ基地局はターゲット基地局である。
【０１４６】
あるいは、端末はマクロ基地局に接続される。この場合、端末は別のマクロ基地局にハンドオーバされる必要がある。この場合、ソース基地局はマクロ基地局であり、ハンドオーバされるべきマクロ基地局はターゲット基地局である。
【０１４７】
本発明のこの実施形態では、マクロ基地局はプライマリ基地局であり、すべてのマイクロ基地局はセカンダリ基地局（Ｓｅｃｏｎｄａｒｙ  ｅＮｏｄｅＢ）である。
【０１４８】
図２ａは、本発明の一実施形態による、マイクロ基地局に基づく接続動作方法の概略的なフローチャートの例を示している。
【０１４９】
前述の説明に基づいて、図２ａに示されるように、本発明の一実施形態は、以下のステップを含むマイクロ基地局に基づく接続動作方法を提供する。
【０１５０】
ステップ２０１：端末は、少なくとも１つの隣接する基地局を測定して、少なくとも１つの隣接する基地局の測定値を取得する。任意選択で、少なくとも１つの隣接する基地局は、端末が現在監視することができる基地局である。任意選択で、少なくとも１つの隣接する基地局は、端末が現在接続されているソース基地局の隣接する基地局である。
【０１５１】
ステップ２０２：少なくとも１つの隣接する基地局の測定値に従って、少なくとも１つの隣接する基地局にあらかじめ設定されたルールを満たす少なくとも１つの隣接する基地局が存在すると決定した場合、端末がリンク変更を示す情報をソース基地局に送信する。
【０１５２】
任意選択で、リンク変更を示す情報は、リンク変更コマンドであり得る。この場合、リンク変更を示す情報を受信した後、ソース基地局はリンク変更処理を直接実行し、リンク変更を示す情報を受け入れるかどうかを決定する処理は行わない。言い換えれば、この場合、端末は、リンク変更処理を実行するかどうかを決定する。
【０１５３】
別の任意の実装形態では、リンク変更を示す情報は、リンク変更要求であり得る。この場合、リンク変更を示す情報を受信した後、ソース基地局は、リンク変更を示す情報を受け入れるかどうかを決定する処理を実行し、リンク変更を示す情報を受け入れるときにリンク変更処理を実行する。言い換えれば、この場合、ソース基地局は、リンク変更処理を実行するかどうかを決定する。
【０１５４】
任意選択で、ソース基地局がリンク変更を示す情報を受け入れるか、またはソース基地局がリンク変更を示す情報を受信した後、ソース基地局は、あらかじめ設定されたルールを満たす少なくとも１つの隣接する基地局におけるターゲット基地局を決定し、ターゲット基地局および端末とのリンク変更処理を実行する。
【０１５５】
上記の説明に基づいて、リンク変更を示す情報は、端末によって開始される情報である。任意選択で、ソース基地局がリンク変更を示す情報を受け入れると決定した場合、ソース基地局が、あらかじめ設定されたルールを満たす少なくとも１つの隣接する基地局におけるターゲット基地局を決定し、ターゲット基地局および端末とのリンク変更処理を実行することを可能にするために、リンク変更を示す情報が使用される。
【０１５６】
本発明のこの実施形態の適用可能な範囲を拡張するために、本発明のこの実施形態では、ソース基地局は、マクロ基地局であってもマイクロ基地局であってもよく、ターゲット基地局もまた、マクロ基地局であってもマイクロ基地局であってもよい。ソース基地局はマクロ基地局またはマイクロ基地局であり、ターゲット基地局はマイクロ基地局であることが好ましい。任意選択で、マクロ基地局はプライマリ基地局であり、マイクロ基地局はセカンダリ基地局である。
【０１５７】
任意選択で、ステップ２０２において、端末は、少なくとも１つの隣接する基地局の測定値に従って、少なくとも１つの隣接する基地局にあらかじめ設定されたルールを満たす少なくとも１つの隣接する基地局が存在するかどうかを決定する。別の任意の実装形態は、端末は、少なくとも１つの隣接する基地局の測定値と端末のパラメータに従って、少なくとも１つの隣接する基地局にあらかじめ設定されたルールを満たす少なくとも１つの隣接する基地局が存在するかどうかを決定し、少なくとも１つの隣接する基地局にあらかじめ設定されたルールを満たす少なくとも１つの隣接する基地局が存在すると決定した場合、リンク変更を示す情報をソース基地局に送信する。
【０１５８】
任意選択で、集中非仮想セルの場合、ソース基地局はマクロ基地局であり、ターゲット基地局はマイクロ基地局である。分散仮想セルの場合、ソース基地局はマイクロ基地局であり、ターゲット基地局はマイクロ基地局である。
【０１５９】
任意選択で、ソース基地局に少なくとも１つの隣接する基地局を迅速に決定させ、リンク変更効率をさらに向上させるために、端末がリンク変更を示す情報をソース基地局に送信することは、
端末が、リンク変更を示し、あらかじめ設定されたルールを満たす少なくとも１つの隣接する基地局の識別子を含む情報をソース基地局に送信するか、または、端末が、あらかじめ設定されたルールを満たす少なくとも１つの隣接する基地局の識別子と、リンク変更を示す情報とをソース基地局に送信することを含む。
【０１６０】
任意選択で、ソース基地局が、リンク変更を示す情報を受け入れると決定した場合、ソース基地局が端末によって送信されたリンク変更を示す情報を受信することは、
ソース基地局が、端末によって送信され、あらかじめ設定されたルールを満たす少なくとも１つの隣接する基地局の識別子を含むリンク変更を示す情報を受信すること、または、ソース基地局が、あらかじめ設定されたルールを満足する少なくとも１つの隣接する基地局の識別子と、端末によって送信されたリンク変更を示す情報とを受信することを含む。
【０１６１】
具体的には、本発明のこの実施形態では、端末が、あらかじめ設定されたルールを満たす少なくとも１つの隣接する基地局の識別子を、リンク変更を示す情報に追加し、情報をソース基地局に送信してもよく、端末が、シグナリングの別個の部分または他のシグナリングを使用することによって、あらかじめ設定されたルールを満たす少なくとも１つの隣接する基地局の識別子をソース基地局に送信してもよい。
【０１６２】
本発明のこの実施形態では、任意選択で、任意の実装形態は、リンク変更を示す情報を送信した後、ソース基地局が端末をトリガしてリンク変更を完了するまで、端末はソース基地局のカバレッジ内で正常に動作し続ける。別の任意の実装形態は次のとおりである。端末が、あらかじめ設定された持続時間内に、ソース基地局によって返され、ソース基地局がリンク変更を示す情報を受け入れることを示すために使用される応答メッセージを受信しない場合、
端末は、少なくとも１つの隣接する基地局を再度測定して、少なくとも１つの隣接する基地局の測定値を取得し、少なくとも１つの隣接する基地局の測定値に従って、少なくとも１つの隣接する基地局にあらかじめ設定されたルールを満たす少なくとも１つの隣接する基地局が存在すると決定した場合、端末は、リンク変更を示す情報をソース基地局に送信する。本発明のこの実施形態では、あらかじめ設定された持続時間は経験値、たとえば５０秒または２分である。
【０１６３】
言い換えれば、端末が、リンク変更を示す情報を初めて開始するが、５分などのあらかじめ設定された持続時間内に、ソース基地局によって返され、ソース基地局がリンク変更を示す情報を受け入れることを示すために使用される応答メッセージを受信しない場合、端末は、２回目のリンク変更を示す情報を開始する処理に再び入る。この場合、端末は、少なくとも１つの隣接する基地局の測定値を取得するために、現在接続されているソース基地局の、監視され得る少なくとも１つの隣接する基地局を再び測定する必要があり、少なくとも１つの隣接する基地局の測定値に従って、少なくとも１つの隣接する基地局にあらかじめ設定されたルールを満たす少なくとも１つの隣接する基地局が存在すると決定した場合、端末は、リンク変更を示す情報をソース基地局に送信する。
【０１６４】
他方では、端末がリンク変更を示す情報を初めて開始し、あらかじめ設定された持続時間内に、ソース基地局によって返され、ソース基地局がリンク変更を示す情報を受け入れないことを示すために使用される応答メッセージを受信した場合、端末は、２回目のリンク変更を示す情報を開始する処理に再び入る。別の可能な実施形態では、端末がリンク変更を示す情報を初めて開始し、あらかじめ設定された持続時間内に、ソース基地局によって返され、ソース基地局がリンク変更を示す情報を受け入れることを示すために使用される応答メッセージを受信すると、端末はリンク変更処理に入る。
【０１６５】
任意選択で、本発明のこの実施形態では、端末は、現在接続されているソース基地局の少なくとも１つの隣接する基地局を定期的に測定する。任意選択で、少なくとも１つの隣接する基地局の測定値は、以下のうちの少なくとも１つを含む。少なくとも１つの隣接する基地局を測定することによって端末によって取得された測定結果と、少なくとも１つの隣接する基地局によってブロードキャストされ、少なくとも１つの隣接する基地局のキャリアまたはセルが機能を有するかどうかを示すために使用される指示情報。少なくとも１つの隣接する基地局を測定することによって端末によって取得された測定結果は、たとえば、基準信号受信電力（Ｒｅｆｅｒｅｎｃｅ  Ｓｉｇｎａｌ  Ｒｅｃｅｉｖｅｄ  Ｐｏｗｅｒ、略してＲＳＲＰ）、チャネル状態情報（Ｃｈａｎｎｅｌ  Ｓｔａｔｅ  Ｉｎｆｏｒｍａｔｉｏｎ、略してＣＳＩ）、および基準信号受信品質（Ｒｅｆｅｒｅｎｃｅ  Ｓｉｇｎａｌ  Ｒｅｃｅｉｖｅｄ  Ｑｕａｌｉｔｙ、略してＲＳＲＱ）であり得る。任意選択で、測定値は、他のパラメータ、たとえば、隣接する基地局によってサポートされるキャリアの特徴、およびワイヤレスサービス機能が保有されているかどうかを示すパラメータをさらに含む。そのようなパラメータは、隣接する基地局による連続的なブロードキャストを通じて取得される。
【０１６６】
任意選択で、少なくとも１つの隣接する基地局によってブロードキャストされ、少なくとも１つの隣接する基地局のキャリアまたはセルの保有されている、または保有されていない機能を示すために使用される指示情報は、以下の内容のうちの少なくとも１つである。
マルチ接続機能指示情報、多入力多出力（Ｍｕｌｔｉ−Ｉｎｐｕｔ−Ｍｕｌｔｉ−Ｏｕｔｐｕｔ、略してＭＩＭＯ）技術機能指示情報、および受信機機能がサポートされていることを示す指示情報のうちの少なくとも１つ。
【０１６７】
任意選択で、隣接する基地局によってブロードキャストされるマルチ接続機能指示情報は、隣接する基地局がマルチ接続機能をサポートすること、または隣接する基地局がマルチ接続機能をサポートしないことを含む。マルチ接続は、シングル接続以外の二重接続または三重接続などの接続モードであり得る。隣接する基地局によってブロードキャストされるＭＩＭＯ機能指示情報は、隣接する基地局がＭＩＭＯ機能を有するか、または隣接する基地局がＭＩＭＯ機能を有さないことであり得る。隣接する基地局によってブロードキャストされる受信機機能サポートは、具体的には、隣接する基地局のセルまたはキャリアが高度受信機をサポートしているかどうかを示す。この場合、端末は、端末自体が高度な受信機を有するかどうかを対応して決定する必要がある。高度な受信機は、セル固有の基準信号（Ｃｅｌｌ−ｓｐｅｃｉｆｉｃ  ｒｅｆｅｒｅｎｃｅ  ｓｉｇｎａｌ、略してＣＲＳ）の干渉をキャンセルできる受信機である。たとえば、隣接する基地局が、隣接する基地局のセルまたはキャリアが高度な受信機をサポートできることをブロードキャストする場合、およびこの場合、端末もまた高度な受信機をサポートでき、端末は、隣接する基地局をターゲット基地局として選択することを考慮し得る。
【０１６８】
任意選択で、少なくとも１つの隣接する基地局の測定値および端末のいくつかのパラメータに従って、少なくとも１つの隣接する基地局にあらかじめ設定されたルールを満たす少なくとも１つの隣接する基地局が存在すると決定した場合、端末は、リンク変更を示す情報をソース基地局に送信する。端末のいくつかのパラメータは、移動状態推定（ｍｏｂｉｌｉｔｙ  ｓｔａｔｅ  ｅｓｔｉｍａｔｉｏｎ、略してＭＳＥ）および移動速度などのパラメータであるか、または、端末によってサポートされるキャリアタイプおよび無線アクセス技術（Ｒａｄｉｏ  Ａｃｃｅｓｓ  Ｔｅｃｈｎｏｌｏｇｙ、略してＲＡＴ）タイプなどのパラメータである。
【０１６９】
任意選択で、端末は、端末が接続されているマクロ基地局によって送信されたあらかじめ設定されたルールを受信する。非仮想セルでは、端末が接続されているマクロ基地局はソース基地局であり得る。仮想セルでは、ソース基地局はマイクロ基地局である。図２ｂ−１および図２ｂ−２は、本発明の一実施形態による、マイクロ基地局に基づく接続動作方法の概略的なフローチャートの例を示している。図２ｂ−１および図２ｂ−２に示されるように、分散セルにおいて、端末は、マクロ基地局およびソース基地局（Ｓｏｕｒｃｅ  ｅＮＢ）に接続されている。ソース基地局の隣接する基地局は、それぞれ隣接する基地局１（ターゲット１）および隣接する基地局２（ターゲット２）である。ソース基地局、隣接する基地局１、および隣接する基地局２はマイクロ基地局であってもよく、ターゲット基地局によってサポートされ得る特徴Ｘは、あらかじめ設定されたルール内に存在する。隣接する基地局１は特徴Ｘをサポートしており、隣接する基地局２は特徴Ｘをサポートしていない（特徴Ｘ：ターゲット１サポート、ターゲット２非サポート）。特徴Ｘは、たとえば、二重接続機能であり得る。本方法は、以下のステップを含む。
【０１７０】
ステップ２２０１：端末は、ソース基地局および／またはマクロ基地局によって送信されたシステム情報（ｓｙｓｔｅｍ  ｉｎｆｏｒｍａｔｉｏｎ）を受信し、システム情報はあらかじめ設定されたルールおよび他のルールを含み、あらかじめ設定されたルールは信号品質しきい値を含み得、他のルールはターゲット基地局によってサポートされ得る特徴Ｘであり得る。システム情報は、隣接する基地局１が特徴Ｘをサポートし、隣接する基地局２が特徴Ｘをサポートしないという情報を含み得、または、システム情報は、隣接する基地局１が特徴Ｘをサポートし、隣接する基地局２が特徴Ｘをサポートしないという情報を含まなくてよいが、情報は隣接する基地局１と隣接する基地局２によってそれぞれブロードキャストされ、したがって、端末によって検出される。
【０１７１】
ステップ２２０２：端末は、隣接する基地局１の信号を定期的に測定し、隣接する基地局１の信号品質がハンドオーバ基準に到達できるかどうか（測定：ターゲット１の無線品質がハンドオーバをサポートするために十分良いかどうか）を決定し、隣接する基地局２の信号を測定し、隣接する基地局２の信号品質がハンドオーバ基準に到達できるかどうか（測定：ターゲット２の無線品質がハンドオーバをサポートするために十分良いかどうか）を決定する。
【０１７２】
ステップ２２０３：ソース基地局、隣接する基地局１、および隣接する基地局２の信号品質、ならびに機能Ｘがサポートされているかどうかを検討する（ソースの無線品質、ターゲット１の無線品質、およびターゲット２の無線品質、ならびに機能Ｘのサポート／非サポートを考慮する）。端末は、隣接する基地局１と隣接する基地局２の両方の信号品質が信号品質しきい値よりも大きいと決定する。しかしながら、隣接する基地局１は特徴Ｘをサポートしているが、隣接する基地局２は特徴Ｘをサポートしていないため、端末は最終的に、最終的に隣接する基地局１をターゲット基地局として決定し、すなわち、ターゲット基地局はハンドオーバ基準に到達することができる。
【０１７３】
ステップ２２０４：端末は、リンク変更を示す情報をソース基地局に送信する。たとえば、端末は、ソース基地局から隣接基地局１へのハンドオーバ要求（ソースからターゲット１へのハンドオーバ要求）をソース基地局に送信し得る。
【０１７４】
任意選択で、従来技術との適合性を高めるために、本発明のこの実施形態では、端末は２つの機能を有し得る。１つの機能は、従来技術における機能であり、すなわち、端末は隣接する基地局を測定し、測定報告をフィードバックし、マクロ基地局がリンク変更を示す情報を開始するかどうかを決定できるようにする。他の機能は、本発明のこの実施形態における端末によるリンク変更を示す情報を開始する機能であり、すなわち、端末はもはやマクロ基地局に測定報告を報告しないが、測定報告を局所的に記憶し、端末自体がリンク変更を示す情報を開始するかどうかを決定する。
【０１７５】
具体的には、任意の実装形態では、端末は、リンク変更を示す情報を開始する機能を有するようにあらかじめ設定され得る。別の任意の実装形態は、ソース基地局がマクロ基地局である場合、端末は、ソース基地局によって送信され、端末がリンク変更を示す情報を送信することが許可されていることを示すために使用される指示情報を受信するか、または、ソース基地局がマイクロ基地局である場合、端末は、マクロ基地局または端末が接続されているソース基地局によって送信され、端末がリンク変更を示す情報を送信することが許可されていることを示すために使用される指示情報を受信する。すなわち、ソース基地局が端末によって送信されたリンク変更を示す情報を受信する前に、ソース基地局は、端末がリンク変更を示す情報を送信することが許可されていることを示すために使用される指示情報を端末に送信する。
【０１７６】
具体的には、端末がリンク変更を示す情報を送信することが許可されていることを示すために使用される指示情報は、何らかのシステム情報を使用することによって送信され得、たとえば、マスタ情報ブロック（Ｍａｓｔｅｒ  Ｉｎｆｏｒｍａｔｉｏｎ  Ｂｌｏｃｋ、略してＭＩＢ）情報、システム情報ブロック（Ｓｙｓｔｅｍ  Ｉｎｆｏｒｍａｔｉｏｎ  Ｂｌｏｃｋ、略してＳＩＢ）、または専用ＲＲＣメッセージにおいて送信される。あるいは、端末がリンク変更を示す情報を送信することが許可されていることを示すために使用される指示情報は、シグナリングの別個の部分を使用することによって送信される。
【０１７７】
任意選択で、端末がリンク変更を示す情報を送信することが許可されていることを示すために使用される指示情報は、明示的な指示情報、たとえば、端末がリンク変更を示す情報を送信することを可能にする情報であってもよく、たとえば、マクロ基地局が、端末がリンク変更を示す情報を送信することを可能にするシグナリングの一部を端末に送信し、または、リンク変更を示す情報をソース基地局またはターゲット基地局に送信するように端末に指示するために使用される指示情報であってもよい。たとえば、マクロ基地局は、端末がリンク変更を示す情報をソース基地局に送信することを要求するシグナリングの一部を、端末に送信する。具体的には、ソース基地局は、端末がリンク変更を示す情報を開始する機能を有することを示し得るだけでなく、端末について、端末は、リンク変更を示す情報を特定の宛先、たとえばソース基地局またはターゲット基地局に送信する必要があることも指定し得る。具体的には、端末がリンク変更を示す情報を送信することが許可されていることを示すために使用される指示情報が明示的な指示情報である場合、マクロ基地局が、追加的なシグナリングを使用することによって、あらかじめ設定されたルールを端末に送信してもよく、端末とマクロ基地局があらかじめ設定されたルールに事前に合意してもよく、または、マクロ基地局が、情報の一部を使用することによって、あらかじめ設定されたルール、および端末がリンク変更を示す情報を送信することが許可されていることを示すために使用される指示情報を端末に送信する。
【０１７８】
任意選択で、端末がリンク変更を示す情報を送信することが許可されていることを示すために使用される指示情報はまた、暗示的な指示情報であり得る。たとえば、端末がリンク変更を示す情報を送信することが許可されていることを示すために使用される指示情報は、あらかじめ設定されたルールを示すために使用される情報である。たとえば、あらかじめ設定されたルールは二重接続がサポートされており、ソース基地局はシグナリングの一部を端末に送信し、あらかじめ設定されたルールはターゲット基地局が二重接続をサポートすることを要求する。あるいは、端末がリンク変更を示す情報を送信することが許可されていることを示すために使用される指示情報は、あらかじめ設定されたルールに含まれるしきい値を示すために使用される情報である。たとえば、しきい値は信号品質しきい値であり、ソース基地局はシグナリングの一部を端末に送信し、あらかじめ設定されたルールは、ターゲット基地局の信号品質が信号品質しきい値の範囲内にあることを要求する。あるいは、端末がリンク変更を示す情報を送信することが許可されていることを示すために使用される指示情報は、端末が少なくとも１つの隣接する基地局を測定することを可能にするために使用される測定要求である。たとえば、ソース基地局は、シグナリングの一部を端末に送信し、端末は、少なくとも１つの隣接する基地局を測定する必要がある。すなわち、端末があらかじめ設定されたルールを示すために使用される情報を受信した場合、ソース基地局は、端末がリンク変更を示す情報を開始することを可能にすると考えられるので、端末はリンク変更処理に入る。あるいは、端末が少なくとも１つの隣接する基地局を測定することを可能にするために使用される測定要求を受信した場合、端末がリンク変更を示す情報を開始する機能を有すると考えられるので、端末はリンク変更処理に入る。
【０１７９】
任意選択で、あらかじめ設定されたルールは以下のうちの少なくとも１つである。
満たされる必要があるしきい値に関する情報、および隣接する基地局のキャリアまたはセルの機能を示す情報。
【０１８０】
任意選択で、しきい値に関する情報は、移動状態推定ＭＳＥのパラメータ範囲、および／または端末の無線アクセス技術ＲＡＴのパラメータ範囲を含む。
【０１８１】
たとえば、あらかじめ設定されたルールは、満たされる必要があるしきい値に関する情報であり、しきい値に関する情報は、移動状態推定ＭＳＥのパラメータ範囲を含み、この場合、端末があらかじめ設定されたルールの要件を満たす場合、端末のＭＳＥは、あらかじめ設定されたルールのＭＳＥのパラメータ範囲内にある。
【０１８２】
任意選択で、機能を示す情報は、マルチ接続機能指示情報、多入力多出力ＭＩＭＯ技術機能指示情報、二重接続機能指示情報、および受信機機能がサポートされていることを示す指示情報のうちの少なくとも１つであり得る。
【０１８３】
任意選択で、隣接する基地局によってブロードキャストされるマルチ接続機能指示情報は、隣接する基地局がマルチ接続機能をサポートすること、または隣接する基地局がマルチ接続機能をサポートしないことを含む。マルチ接続は、シングル接続以外の二重接続または三重接続などの接続モードであり得る。隣接する基地局によってブロードキャストされるＭＩＭＯ機能指示情報は、隣接する基地局がＭＩＭＯ機能を有するか、または隣接する基地局がＭＩＭＯ機能を有さないことであり得る。隣接する基地局によってブロードキャストされる受信機機能サポートは、具体的には、隣接する基地局のセルまたはキャリアが高度受信機をサポートしているかどうかを示す。この場合、端末は、端末自体が高度な受信機を有するかどうかを対応して決定する必要がある。高度な受信機は、セル固有の基準信号（Ｃｅｌｌ−ｓｐｅｃｉｆｉｃ  ｒｅｆｅｒｅｎｃｅ  ｓｉｇｎａｌ、略してＣＲＳ）の干渉をキャンセルできる受信機である。たとえば、隣接する基地局が、隣接する基地局のセルまたはキャリアが高度な受信機をサポートできることをブロードキャストする場合、およびこの場合、端末もまた高度な受信機をサポートでき、端末は、隣接する基地局をターゲット基地局として選択することを考慮し得る。
【０１８４】
任意選択で、端末が、リンク変更を示す情報を端末が接続されているソース基地局に送信した後、ソース基地局は、端末によって送信されたリンク変更を示す情報を受信し、ソース基地局は、リンク変更を示す情報を処理する。
【０１８５】
任意選択で、ソース基地局がリンク変更を示す情報を処理することは、
リンク変更を示す情報を受け入れると決定した場合、ソース基地局は、あらかじめ設定されたルールを満たす少なくとも１つの隣接する基地局におけるターゲット基地局を決定し、ソース基地局は、ターゲット基地局および端末とのリンク変更処理を実行する。
【０１８６】
任意選択で、端末が、リンク変更を示す情報を端末が接続されているソース基地局に送信した後、本方法は、
ソース基地局が、リンク変更を示す情報を受け入れると決定し、あらかじめ設定されたルールを満たす少なくとも１つの隣接する基地局におけるターゲット基地局を決定し、ターゲット基地局および端末とのリンク変更処理を実行した後に、端末がターゲット基地局にランダムにアクセスする（Ｒａｎｄｏｍ  Ａｃｃｅｓｓ  Ｃｈａｎｎｅｌ、略してＲＡＣＨ）ことをさらに含む。
【０１８７】
任意選択で、リンク変更を示す情報は、以下のコンテンツのうちの任意の１つを含む。
端末へのリンクの追加を示すために使用される指示情報と、端末へのリンクの転送を示すために使用される指示情報と、端末へのリンクの切替えを示すために使用される指示情報。
【０１８８】
任意選択で、端末へのリンクの追加は、具体的には、端末とターゲット基地局との間のリンクを端末に追加することであり、
端末へのリンクの転送は、具体的には、ソース基地局がマクロ基地局であり、ターゲット基地局がマイクロ基地局である場合、接続がすでに確立されている端末とマイクロ基地局との間のリンクを、端末とターゲット基地局との間のリンクに転送することであり、または、ソース基地局がマイクロ基地局であり、ターゲット基地局がマイクロ基地局である場合、端末とソース基地局との間のリンクを、端末とターゲット基地局との間のリンクに転送することであり、
端末へのリンクの切替えは、具体的には、端末をソース基地局に接続されたリンクからターゲット基地局に接続されたリンクに切り替えることである。
【０１８９】
たとえば、端末がマクロ基地局に接続され、マイクロ基地局１にも接続され、ターゲット基地局がマイクロ基地局２である場合、端末によって送信されたリンク変更を示す情報が、端末へのリンクの追加を示すために使用される指示情報であることは、この場合、端末は、端末とマイクロ基地局２との間に新しいリンクを確立する必要があるが、端末とマクロ基地局との間のリンクが切断されておらず、端末とマイクロ基地局１との間のリンクは切断されてもされなくてもよく、本明細書では、端末とマイクロ基地局１との間のリンクは処理されないということである。
【０１９０】
端末がマクロ基地局に接続され、マイクロ基地局１にも接続され、ターゲット基地局がマイクロ基地局２である場合、端末によって送信されたリンク変更を示す情報が、端末へのリンクの転送を示すために使用される指示情報であることは、この場合、端末は、端末とマイクロ基地局２との間に新しいリンクを確立する必要があるが、端末とマクロ基地局との間のリンクが切断されておらず、端末とマイクロ基地局１との間のリンクは切断されているということである。
【０１９１】
端末がマクロ基地局１に接続され、ターゲット基地局がマクロ基地局２である場合、端末によって送信されたリンク変更を示す情報が、端末へのリンクの切替えを示すために使用される指示情報であることは、この場合、端末は、端末とマクロ基地局２との間に新しいリンクを確立する必要があるが、端末とマクロ基地局１との間のリンクが切断されているということである。
【０１９２】
リンク変更を示す情報は、たとえば、セカンダリ基地局追加要求（ＳｅＮＢ追加要求）など、端末へのリンクの追加を示すために使用される指示情報であってもよく、リンク変更を示す情報は、たとえば、セカンダリ基地局変更要求（ＳｅＮＢ変更／転送要求）など、端末へのリンクの転送を示すために使用される指示情報であってもよく、リンク変更を示す情報は、たとえば、セカンダリ基地局変更要求（ＳｅＮＢ転送要求）など、端末へのリンクの転送を示すために使用される指示情報であってもよい。
【０１９３】
任意選択で、ソース基地局が、端末によって送信されたリンク変更を示す情報を受信した後、ソース基地局は、無線リソース制御ＲＲＣ接続設定コマンドを端末に送信し、また、ソース基地局は、端末がＲＲＣ接続設定コマンドに従ってＲＲＣ接続設定を実行した後、端末によって送信されたＲＲＣ接続設定完了応答を受信する。
【０１９４】
すなわち、任意選択で、端末がリンク変更を示す情報をソース基地局に送信した後、端末は、ソース基地局によって送信された無線リソース制御ＲＲＣ接続設定コマンドを受信し、ＲＲＣ接続設定コマンドに従ってＲＲＣ接続設定を実行した後、端末は、ＲＲＣ接続設定完了応答をソース基地局に送信する。
【０１９５】
任意選択で、ソース基地局が、端末によって送信されたリンク変更を示す情報を受信した後、本方法は、
ソース基地局が、リンク変更要求をターゲット基地局に送信し、ソース基地局が、ターゲット基地局によって返されたリンク変更応答を受信し、リンク変更応答を受信した後、ソース基地局が、無線リソース制御ＲＲＣ接続設定コマンドを端末に送信し、端末によって送信されたＲＲＣ接続設定完了応答を受信した後、ソース基地局が、リンク変更処理完了コマンドをターゲット基地局に送信し、端末がターゲット基地局にランダムにアクセスできるようにすることを含む。
【０１９６】
任意選択で、ソース基地局がマイクロ基地局である場合、リンク変更応答を受信した後、ソース基地局が、ＲＲＣ接続設定コマンドを端末に送信する前に、本方法は、
ソース基地局が、端末が接続されているマクロ基地局にリンク変更指示を送信し、ソース基地局が、ターゲット基地局とのベアラパスを切り替えることをさらに含む。
【０１９７】
前述の方法手順をより明確に説明するために、図２ｃ−１および図２ｃ−２は、本発明の一実施形態による、マイクロ基地局に基づく接続動作方法の概略的なフローチャートの例を示している。図２ｃ−１および図２ｃ−２に示されるように、図２ｃ−１および図２ｃ−２において、マイクロ基地局は集中的に分散される。この場合、ソース基地局はマクロ基地局（Ｍａｃｒｏ  ｅＮＢ）であり、ターゲット基地局は第２のマイクロ基地局である。接続動作方法は、以下のステップを含む。
【０１９８】
ステップ２３０１：マクロ基地局は、あらかじめ設定されたルールと、端末がリンク変更を示す情報を送信することが許可されていることを示すために使用される指示情報とを端末に送信し、たとえば、あらかじめ設定されたルール（開始ルール付きの測定制御）で測定制御を送信し得る。
【０１９９】
ステップ２３０２：端末は、マクロ基地局の隣接する基地局を測定し、隣接する基地局の測定報告における測定値と、隣接する基地局の、隣接する基地局によってブロードキャストされたいくつかの取得されたパラメータと、端末のいくつかのパラメータとに従って、あらかじめ設定されたルールを満たす少なくとも１つの隣接する基地局が存在するかどうかを総合的に決定し、少なくとも１つの隣接する基地局にあらかじめ設定されたルールを満たす少なくとも１つの隣接する基地局が存在すると決定した場合、端末はステップ２３０３を実行し、少なくとも１つの隣接する基地局にあらかじめ設定されたルールを満たす少なくとも１つの隣接する基地局が存在しないと決定した場合、端末はステップ２３０２の実行を継続する。
【０２００】
ステップ２３０３：端末は、リンク変更を示す情報をマクロ基地局に送信し、リンク変更を示す情報は、あらかじめ設定されたルールを満たす少なくとも１つの隣接する基地局の識別子を含む。
【０２０１】
ステップ２３０４：マクロ基地局が、リンク変更を示す情報を受け入れると決定した場合、マクロ基地局は、あらかじめ設定されたルールを満たす少なくとも１つの隣接する基地局の識別子に従って、あらかじめ設定されたルールを満たす少なくとも１つの隣接する基地局における、およびあらかじめ設定されたルールを満たし、あらかじめ設定されたルールを満たす少なくとも１つの隣接する基地局の識別子に対応するターゲット基地局を決定し、すなわち、ターゲット基地局が第２のマイクロ基地局であると決定し、マクロ基地局は、第２のマイクロ基地局にリンク変更要求を送信し、たとえば、リンク追加または転送要求（ＳｅＮＢ２追加／転送要求）を第２のマイクロ基地局に送信する。
【０２０２】
ステップ２３０５：マクロ基地局は、第２のマイクロ基地局によって返されたリンク変更応答を受信する。たとえば、第２のマイクロ基地局は、マクロ基地局にリンク追加または転送応答（ＳｅＮＢ２追加／転送要求確認応答）を返す。
【０２０３】
ステップ２３０６：マクロ基地局は、無線リソース制御ＲＲＣ接続設定コマンド（ＲＲＣ  ｃｏｎｎｅｃｔｉｏｎ  Ｒｅｃｏｎｆｉｇｕｒａｔｉｏｎ）を端末に送信する。
【０２０４】
ステップ２３０７：マクロ基地局は、端末によって送信されたＲＲＣ接続設定完了応答（ＲＲＣ  Ｃｏｎｎｅｃｔｉｏｎ  Ｒｅｃｏｎｆｉｇｕｒａｔｉｏｎ  Ｃｏｍｐｌｅｔｅ）を受信する。
【０２０５】
ステップ２３０８：マクロ基地局は、リンク変更処理完了コマンド（ＳｅＮＢ  Ｒｅｃｏｎｆｉｇｕｒａｔｉｏｎ  Ｃｏｍｐｌｅｔｅ）を第２のマイクロ基地局に送信する。
【０２０６】
ステップ２３０９：端末は、第２のマイクロ基地局にランダムにアクセスする（Ｒａｎｄｏｍ  Ａｃｃｅｓｓ  Ｐｒｏｃｅｄｕｒｅ）。
【０２０７】
前述の方法手順をより明確に説明するために、図２ｄ−１および図２ｄ−２は、本発明の一実施形態による、マイクロ基地局に基づく接続動作方法の概略的なフローチャートの例を示している。図２ｄ−１および図２ｄ−２に示されるように、図２ｄ−１および図２ｄ−２において、マイクロ基地局は分散方式で分散される。この場合、ソース基地局は主送信点またはクラスタヘッドであり、すなわち、ソース基地局は第１のマイクロ基地局であり、ターゲット基地局は第２のマイクロ基地局である。接続動作方法は、以下のステップを含む。
【０２０８】
ステップ２４０１：マクロ基地局は、あらかじめ設定されたルールと、端末がリンク変更を示す情報を送信することが許可されていることを示すために使用される指示情報とを端末に送信する。
【０２０９】
ステップ２４０２：端末は、第１のマイクロ基地局の隣接する基地局を測定し、隣接する基地局の測定報告における測定値と、隣接する基地局の、隣接する基地局によってブロードキャストされたいくつかの取得されたパラメータと、端末のいくつかのパラメータとに従って、あらかじめ設定されたルールを満たす少なくとも１つの隣接する基地局が存在するかどうかを総合的に決定し、少なくとも１つの隣接する基地局にあらかじめ設定されたルールを満たす少なくとも１つの隣接する基地局が存在すると決定した場合、端末はステップ２４０３を実行し、少なくとも１つの隣接する基地局にあらかじめ設定されたルールを満たす少なくとも１つの隣接する基地局が存在しないと決定した場合、端末はステップ２４０２の実行を継続する。
【０２１０】
ステップ２４０３：端末は、リンク変更を示す情報を第１のマイクロ基地局に送信し、リンク変更を示す情報は、あらかじめ設定されたルールを満たす少なくとも１つの隣接する基地局の識別子を含む。
【０２１１】
ステップ２４０４：マイクロ基地局が、リンク変更を示す情報を受け入れると決定した場合、第１のマイクロ基地局は、あらかじめ設定されたルールを満たす少なくとも１つの隣接する基地局の識別子に従って、あらかじめ設定されたルールを満たす少なくとも１つの隣接する基地局における、およびあらかじめ設定されたルールを満たし、あらかじめ設定されたルールを満たす少なくとも１つの隣接する基地局の識別子に対応するターゲット基地局を決定し、すなわち、ターゲット基地局が第２のマイクロ基地局であると決定し、第１のマイクロ基地局は、第２のマイクロ基地局にリンク変更要求を送信する。
【０２１２】
ステップ２４０５：第１のマイクロ基地局は、第２のマイクロ基地局によって返されたリンク変更応答を受信する。
【０２１３】
ステップ２４０６：第１のマイクロ基地局は、リンク変更を示す情報を、端末が接続されているマクロ基地局に送信する。任意選択で、サービングゲートウェイ（Ｓｅｒｖｉｎｇ  ＧａｔｅＷａｙ、略してＳＧＷ）は、セカンダリセルグループ（Ｓｅｃｏｎｄａｒｙ  Ｃｅｌｌ  Ｇｒｏｕｐ、略してＳＣＧ）ベアラデータを第１のマイクロ基地局に転送し、マクロ基地局および／または第１のマイクロ基地局は、スプリットベアラ（ｓｐｌｉｔ  ｂｅａｒｅｒ）データを第２のマイクロ基地局に転送し、スプリットベアラデータはベアラデータの１つのタイプである。
【０２１４】
ステップ２４０７：第１のマイクロ基地局は、第２のマイクロ基地局とのベアラパスを切り替える。具体的には、第１のマイクロ基地局は、第２のマイクロ基地局とのベアラパスを切り替え、マクロ基地局がベアラパスの切替えを開始するまで、ゲートウェイまたは第１のマイクロ基地局が第２のマイクロ基地局にデータをオフロードする。具体的には、第１のマイクロ基地局、第２のマイクロ基地局、およびＳＧＷは、ＳＣＧベアラパスを切り替え、マクロ基地局、第１のマイクロ基地局、第２のマイクロ基地局、およびＳＧＷは、スプリットベアラパスを切り替え、サービングゲートウェイは、スプリット（ｓｐｌｉｔ）ベアラデータをマクロ基地局に送信し、マクロ基地局はスプリット（ｓｐｌｉｔ）ベアラデータを第２のマイクロ基地局に送信する。
【０２１５】
ステップ２４０８：第１のマイクロ基地局は、無線リソース制御ＲＲＣ接続設定コマンドを端末に送信する。
【０２１６】
ステップ２４０９：第１のマイクロ基地局は、端末によって送信されたＲＲＣ接続設定完了応答を受信する。
【０２１７】
ステップ２４１０：第１のマイクロ基地局は、リンク変更処理完了コマンドを第２のマイクロ基地局に送信する。
【０２１８】
ステップ２４１１：端末は、第２のマイクロ基地局にランダムにアクセスする。
【０２１９】
図２ｃ−１および図２ｃ−１、ならびに図２ｄ−１および図２ｄ−１における方法は、端末が、第１のマイクロ基地局に接続されたリンクから第２のマイクロ基地局に接続されたリンクに切り替えるまたは転送する必要がある場合、および端末がマクロ基地局に接続されているが、端末と第２のマイクロ基地局との間にリンクをさらに追加する必要がある場合に使用され得る。端末が、第１のマイクロ基地局に接続されたリンクから第２のマイクロ基地局に接続されたリンクに切り替えるまたは転送する必要がある場合、端末がターゲット基地局にランダムにアクセスした後、端末はソース基地局から切断される必要がある。
【０２２０】
前述の内容から分かるように、端末が、少なくとも１つの隣接する基地局にあらかじめ設定されたルールを満たす少なくとも１つの隣接する基地局が存在すると決定した場合、端末は、リンク変更を示す情報を端末が接続されているソース基地局に送信するか、または、端末が、少なくとも１つの隣接する基地局の測定値に従って、少なくとも１つの隣接する基地局にあらかじめ設定されたルールを満たすターゲット基地局が存在すると決定した場合、端末は、リンク変更を示す情報をターゲット基地局に送信する。前述の処理において、端末は、リンク変更を示す情報を開始する。したがって、端末は、測定値をソース基地局に報告する必要はなくてよく、代わりに、端末自体が測定値に従って決定を実行し、あらかじめ設定されたルールを満たす基地局が存在すると決定した場合、リンク変更を示す情報を開始して、それによって端末とターゲット基地局との間のリンク変更を実施する。この解決策では、端末は、測定値をソース基地局に報告し、ソース基地局が、報告された測定値に従って、リンク変更を示す情報が開始されるべきかどうかを決定できるようにする必要はない。したがって、端末の負荷が軽減され、端末のサービス送信効率が向上する。
【０２２１】
図３ａは、本発明の一実施形態による、マイクロ基地局に基づく接続動作方法の概略的なフローチャートの例を示している。
【０２２２】
同じ概念に基づいて、図３ａに示されるように、本発明の一実施形態は、以下のステップを含むマイクロ基地局に基づく接続動作方法を提供する。
【０２２３】
ステップ３０１：端末は、少なくとも１つの隣接する基地局を測定して、少なくとも１つの隣接する基地局の測定値を取得する。
【０２２４】
ステップ３０２：少なくとも１つの隣接する基地局の測定値に従って、少なくとも１つの隣接する基地局にあらかじめ設定されたルールを満たすターゲット基地局が存在すると決定した場合、端末は、リンク変更を示す情報をターゲット基地局に送信する。
【０２２５】
任意選択で、リンク変更を示す情報は、リンク変更コマンドであり得る。この場合、リンク変更を示す情報を受信した後、ターゲット基地局はリンク変更処理を直接実行し、リンク変更を示す情報を受け入れるかどうかを決定する処理は行わない。言い換えれば、この場合、端末は、リンク変更処理を実行するかどうかを決定する。
【０２２６】
別の任意の実装形態では、リンク変更を示す情報は、リンク変更要求であり得る。この場合、リンク変更を示す情報を受信した後、ターゲット基地局は、リンク変更を示す情報を受け入れるかどうかを決定する処理を実行し、リンク変更を示す情報を受け入れるときにリンク変更処理を実行する。言い換えれば、この場合、ターゲット基地局は、リンク変更処理を実行するかどうかを決定する。
【０２２７】
任意選択で、ターゲット基地局がリンク変更を示す情報を受け入れる場合、または、ターゲット基地局がリンク変更を示す情報を受信した後にターゲット基地局がリンク変更を示す情報を受け入れると決定した場合、ターゲット基地局は、ソース基地局および端末とのリンク変更処理を実行する。
【０２２８】
上記の説明に基づいて、リンク変更を示す情報は、端末によって開始される情報である。任意選択で、ターゲット基地局がリンク変更を示す情報を受け入れると決定した場合、リンク変更を示す情報は、ターゲット基地局がソース基地局および端末とのリンク変更処理を実行することを可能にするために使用される。
【０２２９】
本発明のこの実施形態の適用可能な範囲を拡張するために、本発明のこの実施形態では、ソース基地局は、マクロ基地局であってもマイクロ基地局であってもよく、ターゲット基地局もまた、マクロ基地局であってもマイクロ基地局であってもよい。ソース基地局はマクロ基地局またはマイクロ基地局であり、ターゲット基地局はマイクロ基地局であることが好ましい。任意選択で、マクロ基地局はプライマリ基地局であり、マイクロ基地局はセカンダリ基地局である。
【０２３０】
任意選択で、ステップ３０２において、端末は、少なくとも１つの隣接する基地局の測定値に従って、少なくとも１つの隣接する基地局にあらかじめ設定されたルールを満たす少なくとも１つの隣接する基地局が存在するかどうかを決定する。別の任意の実装形態は、端末は、少なくとも１つの隣接する基地局の測定値と端末のパラメータに従って、少なくとも１つの隣接する基地局にあらかじめ設定されたルールを満たすターゲット基地局が存在するかどうかを決定し、少なくとも１つの隣接する基地局にあらかじめ設定されたルールを満たすターゲット基地局が存在すると決定した場合、リンク変更を示す情報をターゲット基地局に送信する。
【０２３１】
任意選択で、集中非仮想セルの場合、ソース基地局はマクロ基地局であり、ターゲット基地局はマイクロ基地局である。分散仮想セルの場合、ソース基地局はマイクロ基地局であり、ターゲット基地局はマイクロ基地局である。
【０２３２】
任意選択で、ソース基地局が隣接する基地局を迅速に決定させ、リンク変更効率をさらに向上するために、端末がリンク変更を示す情報をターゲット基地局に送信することは、
端末が、リンク変更を示し、ソース基地局の識別子を含む情報をターゲット基地局に送信すること、または、端末が、ソース基地局の識別子と、リンク変更を示す情報とをターゲット基地局に送信することを含む。
【０２３３】
これに対応して、ターゲット基地局が端末によって送信されたリンク変更を示す情報を受信することは、
ターゲット基地局が、端末によって送信され、ソース基地局の識別子を含むリンク変更を示す情報を受信すること、または、ターゲット基地局が、ソース基地局の識別子と、端末によって送信されたリンク変更を示す情報とを受信することを含む。
【０２３４】
具体的には、本発明のこの実施形態では、端末が、ソース基地局の識別子を、リンク変更を示す情報に追加し、情報をソース基地局に送信してもよく、端末が、シグナリングの別個の部分または他のシグナリングを使用することによって、ソース基地局の識別子をソース基地局に送信してもよい。
【０２３５】
本発明のこの実施形態では、任意選択で、任意の実装形態は、リンク変更を示す情報を送信した後、ターゲット基地局が端末をトリガしてリンク変更を完了するまで、端末はソース基地局のカバレッジ内で正常に動作し続ける。別の任意の実装形態は次のとおりである。端末が、あらかじめ設定された持続時間内に、ターゲット基地局によって返され、ターゲット基地局がリンク変更を示す情報を受け入れることを示すために使用される応答メッセージを受信しない場合、
端末は、少なくとも１つの隣接する基地局を再度測定して、少なくとも１つの隣接する基地局の測定値を取得し、少なくとも１つの隣接する基地局の測定値に従って、少なくとも１つの隣接する基地局にあらかじめ設定されたルールを満たす新しいターゲット基地局が存在すると決定した場合、端末は、リンク変更を示す情報を新しいターゲット基地局に送信する。
【０２３６】
任意選択で、新しいターゲット基地局および以前に決定されたターゲット基地局は、同じであってもよく、異なっていてもよい。本発明のこの実施形態では、あらかじめ設定された持続時間は経験値、たとえば５０秒または２分である。
【０２３７】
言い換えれば、端末が、リンク変更を示す情報を初めて開始するが、５分などのあらかじめ設定された持続時間内に、ターゲット基地局によって返され、ターゲット基地局がリンク変更を示す情報を受け入れることを示すために使用される応答メッセージを受信しない場合、端末は、２回目のリンク変更を示す情報を開始する処理に再び入る。この場合、端末は、少なくとも１つの隣接する基地局の測定値を取得するために、現在接続されているソース基地局の、監視され得る少なくとも１つの隣接する基地局を再び測定する必要があり、少なくとも１つの隣接する基地局の測定値に従って、少なくとも１つの隣接する基地局にあらかじめ設定されたルールを満たす新しいターゲット基地局が存在すると決定した場合、端末は、リンク変更を示す情報を新しいターゲット基地局に送信する。
【０２３８】
他方では、端末がリンク変更を示す情報を初めて開始し、あらかじめ設定された持続時間内に、ターゲット基地局によって返され、ターゲット基地局がリンク変更を示す情報を受け入れないことを示すために使用される応答メッセージを受信した場合、端末は、２回目のリンク変更を示す情報を開始する処理に再び入る。別の可能な実施形態では、端末がリンク変更を示す情報を初めて開始し、あらかじめ設定された持続時間内に、ソース基地局によって返され、ソース基地局がリンク変更を示す情報を受け入れることを示すために使用される応答メッセージを受信すると、端末はリンク変更処理に入る。
【０２３９】
任意選択で、本発明のこの実施形態では、端末は、現在接続されているソース基地局の少なくとも１つの隣接する基地局を定期的に測定する。任意選択で、少なくとも１つの隣接する基地局の測定値は、以下のうちの少なくとも１つを含む。少なくとも１つの隣接する基地局を測定することによって端末によって取得された測定結果と、少なくとも１つの隣接する基地局によってブロードキャストされ、少なくとも１つの隣接する基地局のキャリアまたはセルが機能を有するかどうかを示すために使用される指示情報。少なくとも１つの隣接する基地局を測定することによって端末によって取得された測定結果は、たとえば、基準信号受信電力（Ｒｅｆｅｒｅｎｃｅ  Ｓｉｇｎａｌ  Ｒｅｃｅｉｖｅｄ  Ｐｏｗｅｒ、略してＲＳＲＰ）、チャネル状態情報（Ｃｈａｎｎｅｌ  Ｓｔａｔｅ  Ｉｎｆｏｒｍａｔｉｏｎ、略してＣＳＩ）、および基準信号受信品質（Ｒｅｆｅｒｅｎｃｅ  Ｓｉｇｎａｌ  Ｒｅｃｅｉｖｅｄ  Ｑｕａｌｉｔｙ、略してＲＳＲＱ）であり得る。任意選択で、測定値は、他のパラメータ、たとえば、隣接する基地局によってサポートされるキャリアの特徴、およびワイヤレスサービス機能が保有されているかどうかを示すパラメータをさらに含む。そのようなパラメータは、隣接する基地局による連続的なブロードキャストを通じて取得される。
【０２４０】
任意選択で、少なくとも１つの隣接する基地局によってブロードキャストされ、少なくとも１つの隣接する基地局のキャリアまたはセルの保有されている、または保有されていない機能を示すために使用される指示情報は、以下の内容のうちの少なくとも１つである。
マルチ接続機能指示情報、多入力多出力（Ｍｕｌｔｉ−Ｉｎｐｕｔ−Ｍｕｌｔｉ−Ｏｕｔｐｕｔ、略してＭＩＭＯ）技術機能指示情報、および受信機機能がサポートされていることを示す指示情報のうちの少なくとも１つ。
【０２４１】
ターゲット基地局は、少なくとも１つの隣接する基地局のうちの１つであるため、任意選択で、ターゲット基地局が、端末によって送信されたリンク変更を示す情報を受信する前に、ターゲット基地局は、ターゲット基地局のキャリアまたはセルの機能を示す情報をブロードキャストする。
【０２４２】
任意選択で、隣接する基地局によってブロードキャストされるマルチ接続機能指示情報は、隣接する基地局がマルチ接続機能をサポートすること、または隣接する基地局がマルチ接続機能をサポートしないことを含む。マルチ接続は、シングル接続以外の二重接続または三重接続などの接続モードであり得る。隣接する基地局によってブロードキャストされるＭＩＭＯ機能指示情報は、隣接する基地局がＭＩＭＯ機能を有するか、または隣接する基地局がＭＩＭＯ機能を有さないことであり得る。隣接する基地局によってブロードキャストされる受信機機能サポートは、具体的には、隣接する基地局のセルまたはキャリアが高度受信機をサポートしているかどうかを示す。この場合、端末は、端末自体が高度な受信機を有するかどうかを対応して決定する必要がある。高度な受信機は、セル固有の基準信号（Ｃｅｌｌ−ｓｐｅｃｉｆｉｃ  ｒｅｆｅｒｅｎｃｅ  ｓｉｇｎａｌ、略してＣＲＳ）の干渉をキャンセルできる受信機である。たとえば、隣接する基地局が、隣接する基地局のセルまたはキャリアが高度な受信機をサポートできることをブロードキャストする場合、およびこの場合、端末もまた高度な受信機をサポートでき、端末は、隣接する基地局をターゲット基地局として選択することを考慮し得る。
【０２４３】
任意選択で、少なくとも１つの隣接する基地局の測定値および端末のいくつかのパラメータに従って、少なくとも１つの隣接する基地局にあらかじめ設定されたルールを満たす少なくとも１つの隣接する基地局が存在すると決定した場合、端末は、リンク変更を示す情報をソース基地局に送信する。端末のいくつかのパラメータは、移動状態推定（ｍｏｂｉｌｉｔｙ  ｓｔａｔｅ  ｅｓｔｉｍａｔｉｏｎ、略してＭＳＥ）および移動速度などのパラメータであるか、または、端末によってサポートされるキャリアタイプおよび無線アクセス技術（Ｒａｄｉｏ  Ａｃｃｅｓｓ  Ｔｅｃｈｎｏｌｏｇｙ、略してＲＡＴ）タイプなどのパラメータである。
【０２４４】
任意選択で、端末は、端末が接続されているマクロ基地局によって送信されたあらかじめ設定されたルールを受信する。非仮想セルでは、端末が接続されているマクロ基地局はソース基地局であり得る。仮想セルでは、ソース基地局はマイクロ基地局である。詳細な説明については、前述の内容および図２ｂ−１および図２ｂ−２に関連する内容を参照されたい。詳細は本明細書ではこれ以上説明されない。
【０２４５】
任意選択で、従来技術との適合性を高めるために、本発明のこの実施形態では、端末は２つの機能を有し得る。１つの機能は、従来技術における機能であり、すなわち、端末は隣接する基地局を測定し、測定報告をフィードバックし、マクロ基地局がリンク変更を示す情報を開始するかどうかを決定できるようにする。他の機能は、本発明のこの実施形態における端末の機能であり、すなわち、端末はもはやマクロ基地局に測定報告を報告しないが、測定報告を局所的に記憶し、端末自体がリンク変更を示す情報を開始するかどうかを決定する。
【０２４６】
具体的には、任意の実装形態では、端末は、リンク変更を示す情報を開始する機能を有するようにあらかじめ設定され得る。別の任意の実装形態は、ソース基地局がマクロ基地局である場合、端末は、ソース基地局によって送信され、端末がリンク変更を示す情報を送信することが許可されていることを示すために使用される指示情報を受信するか、または、ソース基地局がマイクロ基地局である場合、端末は、マクロ基地局または端末が接続されているソース基地局によって送信され、端末がリンク変更を示す情報を送信することが許可されていることを示すために使用される指示情報を受信する。すなわち、ソース基地局が端末によって送信されたリンク変更を示す情報を受信する前に、ソース基地局は、端末がリンク変更を示す情報を送信することが許可されていることを示すために使用される指示情報を端末に送信する。
【０２４７】
具体的には、端末がリンク変更を示す情報を送信することが許可されていることを示すために使用される指示情報は、何らかのシステム情報を使用することによって送信され得、たとえば、マスタ情報ブロック（Ｍａｓｔｅｒ  Ｉｎｆｏｒｍａｔｉｏｎ  Ｂｌｏｃｋ、略してＭＩＢ）情報、システム情報ブロック（Ｓｙｓｔｅｍ  Ｉｎｆｏｒｍａｔｉｏｎ  Ｂｌｏｃｋ、略してＳＩＢ）、または専用ＲＲＣメッセージにおいて送信される。あるいは、端末がリンク変更を示す情報を送信することが許可されていることを示すために使用される指示情報は、シグナリングの別個の部分を使用することによって送信される。
【０２４８】
任意選択で、端末がリンク変更を示す情報を送信することが許可されていることを示すために使用される指示情報は、明示的な指示情報、たとえば、端末がリンク変更を示す情報を送信することを可能にする情報であってもよく、たとえば、マクロ基地局が、端末がリンク変更を示す情報を送信することを可能にするシグナリングの一部を端末に送信し、または、リンク変更を示す情報をソース基地局またはターゲット基地局に送信するように端末に指示するために使用される指示情報であってもよい。たとえば、マクロ基地局は、端末がリンク変更を示す情報をソース基地局に送信することを要求するシグナリングの一部を、端末に送信する。具体的には、ソース基地局は、端末がリンク変更を示す情報を開始する機能を有することを示し得るだけでなく、端末について、端末は、リンク変更を示す情報を特定の宛先、たとえばソース基地局またはターゲット基地局に送信する必要があることも指定し得る。具体的には、端末がリンク変更を示す情報を送信することが許可されていることを示すために使用される指示情報が明示的な指示情報である場合、マクロ基地局が、追加的なシグナリングを使用することによって、あらかじめ設定されたルールを端末に送信してもよく、端末とマクロ基地局があらかじめ設定されたルールに事前に合意してもよく、または、マクロ基地局が、情報の一部を使用することによって、あらかじめ設定されたルール、および端末がリンク変更を示す情報を送信することが許可されていることを示すために使用される指示情報を端末に送信する。
【０２４９】
任意選択で、端末がリンク変更を示す情報を送信することが許可されていることを示すために使用される指示情報はまた、暗示的な指示情報であり得る。たとえば、端末がリンク変更を示す情報を送信することが許可されていることを示すために使用される指示情報は、あらかじめ設定されたルールを示すために使用される情報である。たとえば、あらかじめ設定されたルールは二重接続がサポートされており、ソース基地局はシグナリングの一部を端末に送信し、あらかじめ設定されたルールはターゲット基地局が二重接続をサポートすることを要求する。あるいは、端末がリンク変更を示す情報を送信することが許可されていることを示すために使用される指示情報は、あらかじめ設定されたルールに含まれるしきい値を示すために使用される情報である。たとえば、しきい値は信号品質しきい値であり、ソース基地局はシグナリングの一部を端末に送信し、あらかじめ設定されたルールは、ターゲット基地局の信号品質が信号品質しきい値の範囲内にあることを要求する。あるいは、端末がリンク変更を示す情報を送信することが許可されていることを示すために使用される指示情報は、端末が少なくとも１つの隣接する基地局を測定することを可能にするために使用される測定要求である。たとえば、ソース基地局は、シグナリングの一部を端末に送信し、端末は、少なくとも１つの隣接する基地局を測定する必要がある。すなわち、端末があらかじめ設定されたルールを示すために使用される情報を受信した場合、ソース基地局は、端末がリンク変更を示す情報を開始することを可能にすると考えられるので、端末はリンク変更処理に入る。あるいは、端末が少なくとも１つの隣接する基地局を測定することを可能にするために使用される測定要求を受信した場合、端末がリンク変更を示す情報を開始する機能を有すると考えられるので、端末はリンク変更処理に入る。
【０２５０】
任意選択で、あらかじめ設定されたルールは以下のうちの少なくとも１つである。
満たされる必要があるしきい値に関する情報、および隣接する基地局のキャリアまたはセルの機能を示す情報。
【０２５１】
任意選択で、しきい値に関する情報は、移動状態推定ＭＳＥのパラメータ範囲、および／または端末の無線アクセス技術ＲＡＴのパラメータ範囲を含む。
【０２５２】
たとえば、あらかじめ設定されたルールは、満たされる必要があるしきい値に関する情報であり、しきい値に関する情報は、移動状態推定ＭＳＥのパラメータ範囲を含み、この場合、端末があらかじめ設定されたルールの要件を満たす場合、端末のＭＳＥは、あらかじめ設定されたルールのＭＳＥのパラメータ範囲内にある。
【０２５３】
任意選択で、機能を示す情報は、マルチ接続機能指示情報、多入力多出力ＭＩＭＯ技術機能指示情報、二重接続機能指示情報、および受信機機能がサポートされていることを示す指示情報のうちの少なくとも１つであり得る。
【０２５４】
任意選択で、隣接する基地局によってブロードキャストされるマルチ接続機能指示情報は、隣接する基地局がマルチ接続機能をサポートすること、または隣接する基地局がマルチ接続機能をサポートしないことを含む。マルチ接続は、シングル接続以外の二重接続または三重接続などの接続モードであり得る。隣接する基地局によってブロードキャストされるＭＩＭＯ機能指示情報は、隣接する基地局がＭＩＭＯ機能を有するか、または隣接する基地局がＭＩＭＯ機能を有さないことであり得る。隣接する基地局によってブロードキャストされる受信機機能サポートは、具体的には、隣接する基地局のセルまたはキャリアが高度受信機をサポートしているかどうかを示す。この場合、端末は、端末自体が高度な受信機を有するかどうかを対応して決定する必要がある。高度な受信機は、セル固有の基準信号（Ｃｅｌｌ−ｓｐｅｃｉｆｉｃ  ｒｅｆｅｒｅｎｃｅ  ｓｉｇｎａｌ、略してＣＲＳ）の干渉をキャンセルできる受信機である。たとえば、隣接する基地局が、隣接する基地局のセルまたはキャリアが高度な受信機をサポートできることをブロードキャストする場合、およびこの場合、端末もまた高度な受信機をサポートでき、端末は、隣接する基地局をターゲット基地局として選択することを考慮し得る。
【０２５５】
任意選択で、端末がリンク変更を示す情報をターゲット基地局に送信した後、ターゲット基地局は、端末によって送信されたリンク変更を示す情報を受信し、ターゲット基地局はリンク変更を示す情報を処理する。
【０２５６】
任意選択で、ターゲット基地局がリンク変更を示す情報を処理することは、
ターゲット基地局がリンク変更を示す情報を受け入れると決定した場合、ターゲット基地局がソース基地局および端末とのリンク変更処理を実行することを含む。
【０２５７】
任意選択で、端末は、ターゲット基地局にランダムにアクセスし、端末がソース基地局に接続されたときに、端末は、接続された他のマイクロ基地局の識別子をターゲット基地局に送信し、ターゲット基地局が、他のマイクロ基地局において起動される必要があるマイクロ基地局を決定できるようにする。これに対応して、ターゲット基地局が端末によって送信されたリンク変更を示す情報を受信した後、ターゲット基地局は、端末によって送信された、端末がソース基地局に接続されたときに接続された他のマイクロ基地局の識別子を受信し、ターゲット基地局は、他のマイクロ基地局において起動されることが必要なマイクロ基地局を決定し、起動される必要がある決定されたマイクロ基地局を起動する。
【０２５８】
すなわち、ターゲット基地局が端末によって送信されたリンク変更を示す情報を受信した後、ターゲット基地局は、端末によって送信された、端末がソース基地局に接続されたときに接続された他のマイクロ基地局の識別子を受信し、ターゲット基地局は、他のマイクロ基地局において起動されることが必要なマイクロ基地局を決定し、起動される必要がある決定されたマイクロ基地局を起動する。
【０２５９】
たとえば、端末はマクロ基地局にアクセスし、さらに、第１のマイクロ基地局、第２のマイクロ基地局、および第３のマイクロ基地局にアクセスする。このとき、端末は、第１のマイクロ基地局から第５のマイクロ基地局にハンドオーバされる必要があり、すなわち、第１のマイクロ基地局はソース基地局であり、第５のマイクロ基地局はターゲット基地局である。端末が第５のマイクロ基地局に正常にハンドオーバされると、端末は第１のマイクロ基地局から切断される。この場合、端末と第２のマイクロ基地局との間の接続、および端末と第３のマイクロ基地局との間の接続は非アクティブ状態にある。端末は、第２のマイクロ基地局および第３のマイクロ基地局の識別子を第５のマイクロ基地局に送信し、第５のマイクロ基地局は、第５のマイクロ基地局がどのマイクロ基地局を起動する必要があるかを決定する。一般に、第５のマイクロ基地局は、第５のマイクロ基地局に近いマイクロ基地局を起動する。たとえば、第３のマイクロ基地局は第５のマイクロ基地局に近いが、第２のマイクロ基地局は第５のマイクロ基地局から遠い。この場合、第５のマイクロ基地局は、第３のマイクロ基地局を起動することを決定する。
【０２６０】
任意選択で、リンク変更を示す情報は、以下のコンテンツのうちの任意の１つを含む。
端末へのリンクの追加を示すために使用される指示情報と、端末へのリンクの転送を示すために使用される指示情報と、端末へのリンクの切替えを示すために使用される指示情報。
【０２６１】
任意選択で、端末へのリンクの追加は、具体的には、端末とターゲット基地局との間のリンクを端末に追加することであり、
端末へのリンクの転送は、具体的には、ソース基地局がマクロ基地局であり、ターゲット基地局がマイクロ基地局である場合、接続がすでに確立されている端末とマイクロ基地局との間のリンクを、端末とターゲット基地局との間のリンクに転送することであり、または、ソース基地局がマイクロ基地局であり、ターゲット基地局がマイクロ基地局である場合、端末とソース基地局との間のリンクを、端末とターゲット基地局との間のリンクに転送することであり、
端末へのリンクの切替えは、具体的には、端末をソース基地局に接続されたリンクからターゲット基地局に接続されたリンクに切り替えることである。
【０２６２】
たとえば、端末がマクロ基地局に接続され、マイクロ基地局１にも接続され、ターゲット基地局がマイクロ基地局２である場合、端末によって送信されたリンク変更を示す情報が、端末へのリンクの追加を示すために使用される指示情報であることは、この場合、端末は、端末とマイクロ基地局２との間に新しいリンクを確立する必要があるが、端末とマクロ基地局との間のリンクが切断されておらず、端末とマイクロ基地局１との間のリンクは切断されてもされなくてもよく、本明細書では、端末とマイクロ基地局１との間のリンクは処理されないということである。
【０２６３】
端末がマクロ基地局に接続され、マイクロ基地局１にも接続され、ターゲット基地局がマイクロ基地局２である場合、端末によって送信されたリンク変更を示す情報が、端末へのリンクの転送を示すために使用される指示情報であることは、この場合、端末は、端末とマイクロ基地局２との間に新しいリンクを確立する必要があるが、端末とマクロ基地局との間のリンクが切断されておらず、端末とマイクロ基地局１との間のリンクは切断されているということである。
【０２６４】
端末がマクロ基地局１に接続され、ターゲット基地局がマクロ基地局２である場合、端末によって送信されたリンク変更を示す情報が、端末へのリンクの切替えを示すために使用される指示情報であることは、この場合、端末は、端末とマクロ基地局２との間に新しいリンクを確立する必要があるが、端末とマクロ基地局１との間のリンクが切断されているということである。
【０２６５】
リンク変更を示す情報は、たとえば、セカンダリ基地局追加要求（ＳｅＮＢ追加要求）など、端末へのリンクの追加を示すために使用される指示情報であってもよく、リンク変更を示す情報は、たとえば、セカンダリ基地局変更要求（ＳｅＮＢ変更／転送要求）など、端末へのリンクの転送を示すために使用される指示情報であってもよく、リンク変更を示す情報は、たとえば、セカンダリ基地局変更要求（ＳｅＮＢ転送要求）など、端末へのリンクの転送を示すために使用される指示情報であってもよい。
【０２６６】
任意選択で、端末がリンク変更を示す情報をターゲット基地局に送信した後、本方法は、
端末が、ソース基地局によって送信された無線リソース制御ＲＲＣ接続設定コマンドを受信すること、および、ＲＲＣ接続設定コマンドに従ってＲＲＣ接続設定を実行した後、端末が、ＲＲＣ接続設定完了応答をソース基地局に送信することをさらに含む。
【０２６７】
任意選択で、ターゲット基地局が、ソース基地局および端末とのリンク変更処理を実行することは、
ターゲット基地局がリンク変更要求をソース基地局に送信し、ターゲット基地局がソース基地局によって返されたリンク変更応答を受信し、ターゲット基地局がソース基地局によって送信されたリンク変更処理完了コマンドを受信することを含み、
リンク変更応答を返した後、ソース基地局が、無線リソース制御ＲＲＣ接続設定コマンドを端末に送信し、端末によって送信されたＲＲＣ接続設定完了応答を受信した後、ソース基地局によってリンク変更処理完了コマンドが送信される。
【０２６８】
任意選択で、ソース基地局がマイクロ基地局である場合、
ターゲット基地局が、ソース基地局によって返されたリンク変更応答を受信した後、および、ターゲット基地局が、ソース基地局によって送信されたリンク変更処理完了コマンドを受信する前に、本方法は、ターゲット基地局が、ソース基地局とのベアラパスを切り替えることをさらに含む。
【０２６９】
前述の方法手順をより明確に説明するために、図３ｂは、本発明の一実施形態による、マイクロ基地局に基づく接続動作方法の概略的なフローチャートの例を示している。図３ｂに示されるように、図３ｂにおいて、マイクロ基地局は集中的に分散される。この場合、ソース基地局はマクロ基地局であり、ターゲット基地局は第２のマイクロ基地局である。接続動作方法は、以下のステップを含む。
【０２７０】
ステップ３２０１：マクロ基地局は、あらかじめ設定されたルールと、端末がリンク変更を示す情報を送信することが許可されていることを示すために使用される指示情報とを端末に送信する。
【０２７１】
ステップ３２０２：端末は、マクロ基地局の隣接する基地局を測定し、隣接する基地局の測定報告における測定値と、隣接する基地局の、隣接する基地局によってブロードキャストされたいくつかの取得されたパラメータと、端末のいくつかのパラメータとに従って、あらかじめ設定されたルールを満たす少なくとも１つの隣接する基地局が存在するかどうかを総合的に決定し、あらかじめ設定されたルールを満たすターゲット基地局が少なくとも１つの隣接する基地局に存在すると決定した場合、端末はステップ３２０３を実行し、あらかじめ設定されたルールを満たすターゲット基地局が少なくとも１つの隣接する基地局に存在しないと決定した場合、端末はステップ３２０２の実行を継続する。
【０２７２】
ステップ３２０３：ターゲット基地局が第２のマイクロ基地局である場合、端末は、第２のマイクロ基地局にランダムにアクセスし、端末は、リンク変更を示す情報を第２のマイクロ基地局に送信し、リンク変更を示す情報は、マクロ基地局の識別子を含む。
【０２７３】
ステップ３２０４：第２のマイクロ基地局がリンク変更を示す情報を受け入れると決定した場合、第２のマイクロ基地局はリンク変更要求をマクロ基地局に送信する。
【０２７４】
ステップ３２０５：第２のマイクロ基地局は、マクロ基地局によって返されたリンク変更応答を受信する。
【０２７５】
ステップ３２０６：マクロ基地局は、無線リソース制御ＲＲＣ接続設定コマンドを端末に送信する。
【０２７６】
ステップ３２０７：マクロ基地局は、端末によって送信されたＲＲＣ接続設定完了応答を受信する。
【０２７７】
ステップ３２０８：マクロ基地局は、リンク変更処理完了コマンドを第２のマイクロ基地局に送信する。
【０２７８】
前述の方法手順をより明確に説明するために、図３ｃ−１および図３ｃ−２は、本発明の一実施形態による、マイクロ基地局に基づく接続動作方法の概略的なフローチャートの例を示している。図３ｃ−１および図３ｃ−２に示されるように、図３ｃ−１および図３ｃ−２において、マイクロ基地局は分散方式で分散される。この場合、ソース基地局は主送信点またはクラスタヘッドであり、すなわち、ソース基地局は第１のマイクロ基地局であり、ターゲット基地局は第２のマイクロ基地局である。接続動作方法は、以下のステップを含む。
【０２７９】
ステップ３３０１：マクロ基地局は、あらかじめ設定されたルールと、端末がリンク変更を示す情報を送信することが許可されていることを示すために使用される指示情報とを端末に送信する。
【０２８０】
ステップ３３０２：端末は、第１のマイクロ基地局の隣接する基地局を測定し、隣接する基地局の測定報告における測定値と、隣接する基地局の、隣接する基地局によってブロードキャストされたいくつかの取得されたパラメータと、端末のいくつかのパラメータとに従って、あらかじめ設定されたルールを満たす少なくとも１つの隣接する基地局が存在するかどうかを総合的に決定し、あらかじめ設定されたルールを満たすターゲット基地局が少なくとも１つの隣接する基地局に存在すると決定した場合、端末はステップ３３０３を実行し、あらかじめ設定されたルールを満たすターゲット基地局が少なくとも１つの隣接する基地局に存在しないと決定した場合、端末はステップ３３０２の実行を継続する。
【０２８１】
ステップ３２０３：ターゲット基地局が第２のマイクロ基地局である場合、端末は、第２のマイクロ基地局にランダムにアクセスし、端末は、リンク変更を示す情報を第２のマイクロ基地局に送信し、リンク変更を示す情報は、第１のマイクロ基地局の識別子を含む。
【０２８２】
ステップ３３０４：第２のマイクロ基地局がリンク変更を示す情報を受け入れると決定すると、第２のマイクロ基地局はリンク変更要求を第１のマイクロ基地局に送信する。
【０２８３】
ステップ３３０５：第２のマイクロ基地局は、第１のマイクロ基地局によって返されたリンク変更応答を受信する。
【０２８４】
ステップ３３０６：第１のマイクロ基地局は、リンク変更を示す情報を、端末が接続されているマクロ基地局に送信する。任意選択で、サービングゲートウェイ（Ｓｅｒｖｉｎｇ  ＧａｔｅＷａｙ、略してＳＧＷ）は、セカンダリセルグループ（Ｓｅｃｏｎｄａｒｙ  Ｃｅｌｌ  Ｇｒｏｕｐ、略してＳＣＧ）ベアラデータを第１のマイクロ基地局に転送し、マクロ基地局および／または第１のマイクロ基地局は、スプリット（ｓｐｌｉｔ）ベアラデータを第２のマイクロ基地局に転送する。
【０２８５】
ステップ３３０７：第１のマイクロ基地局は、第２のマイクロ基地局とのベアラパスを切り替える。具体的には、第１のマイクロ基地局は、第２のマイクロ基地局とのベアラパスを切り替え、マクロ基地局がベアラパスの切替えを開始するまで、ゲートウェイまたは第１のマイクロ基地局が第２のマイクロ基地局にデータをオフロードする。具体的には、第１のマイクロ基地局、第２のマイクロ基地局、およびＳＧＷは、ＳＣＧベアラパスを切り替え、マクロ基地局、第１のマイクロ基地局、第２のマイクロ基地局、およびＳＧＷは、スプリット（ｓｐｌｉｔ）ベアラパスを切り替え、サービングゲートウェイは、スプリット（ｓｐｌｉｔ）ベアラデータをマクロ基地局に送信し、マクロ基地局はスプリット（ｓｐｌｉｔ）ベアラデータを第２のマイクロ基地局に送信し、サービングゲートウェイはＳＧＷベアラデータを第２のマイクロ基地局に送信する。
【０２８６】
ステップ３３０８：第１のマイクロ基地局は、無線リソース制御ＲＲＣ接続設定コマンドを端末に送信する。
【０２８７】
ステップ３３０９：第１のマイクロ基地局は、端末によって送信されたＲＲＣ接続設定完了応答を受信する。
【０２８８】
ステップ３３１０：第１のマイクロ基地局は、リンク変更処理完了コマンドを第２のマイクロ基地局に送信する。
【０２８９】
図３ｂ、ならびに図３ｃ−１および図３ｃ−１における方法は、端末が、第１のマイクロ基地局に接続されたリンクから第２のマイクロ基地局に接続されたリンクに切り替えるまたは転送する必要がある場合、および端末がマクロ基地局に接続されているが、端末と第２のマイクロ基地局との間にリンクをさらに追加する必要がある場合に使用され得る。端末が、第１のマイクロ基地局に接続されたリンクから第２のマイクロ基地局に接続されたリンクに切り替えるまたは転送する必要がある場合、端末がターゲット基地局にランダムにアクセスした後、端末はソース基地局から切断される必要がある。
【０２９０】
前述の内容から分かるように、端末が、少なくとも１つの隣接する基地局にあらかじめ設定されたルールを満たす少なくとも１つの隣接する基地局が存在すると決定した場合、端末は、リンク変更を示す情報を端末が接続されているソース基地局に送信するか、または、端末が、少なくとも１つの隣接する基地局の測定値に従って、少なくとも１つの隣接する基地局にあらかじめ設定されたルールを満たすターゲット基地局が存在すると決定した場合、端末は、リンク変更を示す情報をターゲット基地局に送信する。前述の処理において、端末は、リンク変更を示す情報を開始する。したがって、端末は、測定値をソース基地局に報告する必要はなくてよく、代わりに、端末自体が測定値に従って決定を実行し、あらかじめ設定されたルールを満たす基地局が存在すると決定した場合、リンク変更を示す情報を開始して、それによって端末とターゲット基地局との間のリンク変更を実施する。この解決策では、端末は、測定値をソース基地局に報告し、ソース基地局が、報告された測定値に従って、リンク変更を示す情報が開始されるべきかどうかを決定できるようにする必要はない。したがって、端末の負荷が軽減され、端末のサービス送信効率が向上する。
【０２９１】
図４は、本発明の一実施形態による、端末の概略的な構成図の例を示している。
【０２９２】
同じ概念に基づいて、本発明の一実施形態は、前述の方法を実行するように構成された端末を提供する。図４に示されるように、端末４００は、処理ユニット４０１と、トランシーバユニット４０３と、メモリ４０２とを含む。
【０２９３】
処理ユニット４０１はプロセッサであり得、
少なくとも１つの隣接する基地局を測定して、少なくとも１つの隣接する基地局の測定値を取得するステップと、
少なくとも１つの隣接する基地局の測定値に従って、少なくとも１つの隣接する基地局にあらかじめ設定されたルールを満たす少なくとも１つの隣接する基地局が存在すると決定した場合、トランシーバユニット４０３を使用することによって、リンク変更を示す情報をソース基地局に送信するステップと
の処理を実行するために、メモリ４０２内のプログラムを読み取るように構成される。
【０２９４】
トランシーバユニット４０３は、リンク変更を示す情報をソース基地局に送信するように構成される。
【０２９５】
任意選択で、本発明のこの実施形態では、処理ユニット４０１はプロセッサであり得、トランシーバユニット４０３は送受信機能を有するトランシーバであり得る。
【０２９６】
任意選択で、ソース基地局がリンク変更を示す情報を受け入れると決定した場合、ソース基地局が、あらかじめ設定されたルールを満たす少なくとも１つの隣接する基地局におけるターゲット基地局を決定し、ターゲット基地局および端末とのリンク変更処理を実行することを可能にするために、リンク変更を示す情報が使用される。
【０２９７】
任意選択で、トランシーバユニット４０３は、
リンク変更を示し、あらかじめ設定されたルールを満たす少なくとも１つの隣接する基地局の識別子を含む情報をソース基地局に送信すること、または、
あらかじめ設定されたルールを満たす少なくとも１つの隣接する基地局の識別子と、リンク変更を示す情報とをソース基地局に送信すること
を行うように構成される。
【０２９８】
任意選択で、トランシーバユニット４０３は、
ソース基地局がマクロ基地局である場合、ソース基地局によって送信され、トランシーバユニット４０３がリンク変更を示す情報を送信することが許可されていることを示すために使用される指示情報を受信すること、または、
ソース基地局がマイクロ基地局である場合、マクロ基地局または端末が接続されているソース基地局によって送信され、トランシーバユニット４０３がリンク変更を示す情報を送信することが許可されていることを示すために使用される指示情報を受信すること
を行うようにさらに構成される。
【０２９９】
任意選択で、トランシーバユニット４０３がリンク変更を示す情報を送信することが許可されていることを示すために使用される指示情報は、以下の情報のうちの任意の１つまたは複数である。
あらかじめ設定されたルールを示すために使用される情報と、
あらかじめ設定されたルールに含まれるしきい値を示すために使用される情報と、
処理ユニット４０１が少なくとも１つの隣接する基地局を測定することを可能にするために使用される測定要求と、
トランシーバユニット４０３がリンク変更を示す情報を送信することを可能にする情報と、
リンク変更を示す情報をソース基地局またはターゲット基地局に送信するようにトランシーバユニット４０３に指示するために使用される指示情報。
【０３００】
任意選択で、あらかじめ設定されたルールは以下のうちの少なくとも１つである。
満たされる必要があるしきい値に関する情報、および、
隣接する基地局のキャリアまたはセルの機能を示す情報。
【０３０１】
任意選択で、しきい値に関する情報は、移動状態推定ＭＳＥのパラメータ範囲、および／または端末の無線アクセス技術ＲＡＴのパラメータ範囲を含む。
【０３０２】
任意選択で、少なくとも１つの隣接する基地局の測定値は、以下のうちの少なくとも１つを含む。
少なくとも１つの隣接する基地局を測定することによって処理ユニット４０１によって取得された測定結果と、
少なくとも１つの隣接する基地局によってブロードキャストされ、少なくとも１つの隣接する基地局のキャリアまたはセルが機能を有するかどうかを示すために使用される指示情報。
【０３０３】
任意選択で、機能を示す情報は、以下のコンテンツのうちの少なくとも１つである。
マルチ接続機能指示情報、多入力多出力ＭＩＭＯ技術機能指示情報、および受信機機能がサポートされていることを示す指示情報のうちの少なくとも１つ。
【０３０４】
任意選択で、処理ユニット４０１は、
ソース基地局が、リンク変更を示す情報を受け入れると決定し、あらかじめ設定されたルールを満たす少なくとも１つの隣接する基地局におけるターゲット基地局を決定し、ターゲット基地局および端末とのリンク変更処理を実行した後に、ターゲット基地局にランダムにアクセスするようにさらに構成される。
【０３０５】
任意選択で、トランシーバユニット４０３は、
ソース基地局によって送信された無線リソース制御ＲＲＣ接続設定コマンドを受信することと、
ＲＲＣ接続設定コマンドに従ってＲＲＣ接続設定を実行した後、ＲＲＣ接続設定完了応答をソース基地局に送信することと
を行うようにさらに構成される。
【０３０６】
任意選択で、処理ユニット４０１は、
トランシーバユニット４０３が、あらかじめ設定された持続時間内に、ソース基地局によって返され、ソース基地局がリンク変更を示す情報を受け入れることを示すために使用される応答メッセージを受信しない場合、
少なくとも１つの隣接する基地局を再度測定して、少なくとも１つの隣接する基地局の測定値を取得することと、
少なくとも１つの隣接する基地局の測定値に従って、少なくとも１つの隣接する基地局にあらかじめ設定されたルールを満たす少なくとも１つの隣接する基地局が存在すると決定した場合、トランシーバユニット４０３を使用することによって、リンク変更を示す情報をソース基地局に送信することと
を行うようにさらに構成される。
【０３０７】
任意選択で、リンク変更を示す情報は、以下のコンテンツのうちの任意の１つを含む。
端末へのリンクの追加を示すために使用される指示情報と、
端末へのリンクの転送を示すために使用される指示情報と、
端末へのリンクの切替えを示すために使用される指示情報。
【０３０８】
任意選択で、端末へのリンクの追加は、具体的には、端末とターゲット基地局との間のリンクを端末に追加することであり、
端末へのリンクの転送は、具体的には、ソース基地局がマクロ基地局であり、ターゲット基地局がマイクロ基地局である場合、接続がすでに確立されている端末とマイクロ基地局との間のリンクを、端末とターゲット基地局との間のリンクに転送することであり、または、ソース基地局がマイクロ基地局であり、ターゲット基地局がマイクロ基地局である場合、端末とソース基地局との間のリンクを、端末とターゲット基地局との間のリンクに転送することであり、
端末へのリンクの切替えは、具体的には、端末をソース基地局に接続されたリンクからターゲット基地局に接続されたリンクに切り替えることである。
【０３０９】
任意選択で、ソース基地局はマクロ基地局もしくはマイクロ基地局であり、ターゲット基地局はマイクロ基地局であるか、または、マクロ基地局はプライマリ基地局であり、マイクロ基地局はセカンダリ基地局である。
【０３１０】
バスアーキテクチャは、具体的には、プロセッサによって表される１つまたは複数のプロセッサの様々な回路と、メモリ４０２によって表されるメモリ４０２とを相互接続するために、任意の数の相互接続バスおよびブリッジを含み得る。バスアーキテクチャは、周辺デバイス、電圧レギュレータ、および電力管理回路などの様々な他の回路をさらに相互接続し得る。これらはすべて当該技術分野においてよく知られており、したがって本明細書ではこれ以上説明されない。バスインターフェースはインターフェースを提供する。トランシーバは複数の要素であり得、すなわち、送信媒体上の様々な他の装置と通信するためのユニットを提供する送信器およびトランシーバを含み得る。プロセッサは、バスアーキテクチャ管理および一般的な処理を担当する。メモリ４０２は、プロセッサが動作を実行するときに使用されるデータを記憶し得る。
【０３１１】
前述の内容から分かるように、端末が、少なくとも１つの隣接する基地局にあらかじめ設定されたルールを満たす少なくとも１つの隣接する基地局が存在すると決定した場合、端末は、リンク変更を示す情報を端末が接続されているソース基地局に送信する。前述の処理において、端末は、リンク変更を示す情報を開始する。したがって、端末は、測定値をソース基地局に報告する必要はなくてよく、代わりに、端末自体が測定値に従って決定を実行し、あらかじめ設定されたルールを満たす基地局が存在すると決定した場合、リンク変更を示す情報を開始して、それによって端末とターゲット基地局との間のリンク変更を実施する。この解決策では、端末は、測定値をソース基地局に報告し、ソース基地局が、報告された測定値に従って、リンク変更を示す情報が開始されるべきかどうかを決定できるようにする必要はない。したがって、端末の負荷が軽減され、端末のサービス送信効率が向上する。
【０３１２】
図５は、本発明の一実施形態による、別の端末の概略的な構成図の例を示している。
【０３１３】
同じ概念に基づいて、本発明の一実施形態は、前述の方法を実行するように構成された端末を提供する。図５に示されるように、端末５００は、処理ユニット５０１と、トランシーバユニット５０３と、メモリ５０２とを含む。
【０３１４】
処理ユニット５０１はプロセッサであり得、
少なくとも１つの隣接する基地局を測定して、少なくとも１つの隣接する基地局の測定値を取得するステップと、
少なくとも１つの隣接する基地局の測定値に従って、少なくとも１つの隣接する基地局にあらかじめ設定されたルールを満たすターゲット基地局が存在すると決定した場合、トランシーバユニット５０３を使用することによって、リンク変更を示す情報をターゲット基地局に送信するステップと
の処理を実行するために、メモリ５０２内のプログラムを読み取るように構成される。
【０３１５】
トランシーバユニット５０３は、リンク変更を示す情報をターゲット基地局に送信するように構成される。
【０３１６】
任意選択で、本発明のこの実施形態では、処理ユニット５０１はプロセッサであり得、トランシーバユニット５０３は送受信機能を有するトランシーバであり得る。
【０３１７】
任意選択で、ターゲット基地局がリンク変更を示す情報を受け入れると決定した場合、リンク変更を示す情報は、ターゲット基地局がソース基地局および端末とのリンク変更処理を実行することを可能にするために使用される。
【０３１８】
任意選択で、トランシーバユニット５０３は、
リンク変更を示し、ソース基地局の識別子を含む情報をターゲット基地局に送信すること、または、
ソース基地局の識別子と、リンク変更を示す情報とをターゲット基地局に送信すること
を行うように構成される。
【０３１９】
任意選択で、トランシーバユニット５０３は、
ソース基地局がマクロ基地局である場合、ソース基地局によって送信され、トランシーバユニット５０３がリンク変更を示す情報を送信することが許可されていることを示すために使用される指示情報を受信すること、または、
ソース基地局がマイクロ基地局である場合、マクロ基地局または端末が接続されているソース基地局によって送信され、トランシーバユニット５０３がリンク変更を示す情報を送信することが許可されていることを示すために使用される指示情報を受信すること
を行うようにさらに構成される。
【０３２０】
任意選択で、トランシーバユニット５０３がリンク変更を示す情報を送信することが許可されていることを示すために使用される指示情報は、以下の情報のうちの任意の１つまたは複数である。
あらかじめ設定されたルールを示すために使用される情報と、
あらかじめ設定されたルールに含まれるしきい値を示すために使用される情報と、
処理ユニット５０１が少なくとも１つの隣接する基地局を測定することを可能にするために使用される測定要求と、
トランシーバユニット５０３がリンク変更を示す情報を送信することを可能にする情報と、
リンク変更を示す情報をソース基地局またはターゲット基地局に送信するようにトランシーバユニット５０３に指示するために使用される指示情報。
【０３２１】
任意選択で、あらかじめ設定されたルールは以下のうちの少なくとも１つである。
満たされる必要があるしきい値に関する情報、および、
隣接する基地局のキャリアまたはセルの機能を示す情報。
【０３２２】
任意選択で、しきい値に関する情報は、移動状態推定ＭＳＥのパラメータ範囲、および／または端末の無線アクセス技術ＲＡＴのパラメータ範囲を含む。
【０３２３】
任意選択で、少なくとも１つの隣接する基地局の測定値は、以下のうちの少なくとも１つを含む。
少なくとも１つの隣接する基地局を測定することによって処理ユニット５０１によって取得された測定結果と、
少なくとも１つの隣接する基地局によってブロードキャストされ、少なくとも１つの隣接する基地局のキャリアまたはセルが機能を有するかどうかを示すために使用される指示情報。
【０３２４】
任意選択で、機能を示す情報は、マルチ接続機能指示情報、多入力多出力ＭＩＭＯ技術機能指示情報、二重接続機能指示情報、および受信機機能がサポートされていることを示す指示情報のうちの少なくとも１つであり得る。
【０３２５】
任意選択で、処理ユニット５０１は、
ターゲット基地局にランダムにアクセスすることと、
端末がソース基地局に接続されたときに、トランシーバユニット５０３を使用することによって、接続された他のマイクロ基地局の識別子をターゲット基地局に送信し、ターゲット基地局が、他のマイクロ基地局において起動される必要があるマイクロ基地局を決定できるようにすることと
を行うようにさらに構成される。
【０３２６】
任意選択で、トランシーバユニット５０３は、
ソース基地局によって送信された無線リソース制御ＲＲＣ接続設定コマンドを受信することと、
ＲＲＣ接続設定コマンドに従ってＲＲＣ接続設定を実行した後、ＲＲＣ接続設定完了応答をソース基地局に送信することと
を行うようにさらに構成される。
【０３２７】
任意選択で、処理ユニット５０１は、
トランシーバユニット５０３が、あらかじめ設定された持続時間内に、ターゲット基地局によって返され、ターゲット基地局がリンク変更を示す情報を受け入れることを示すために使用される応答メッセージを受信しない場合、
少なくとも１つの隣接する基地局を再度測定して、少なくとも１つの隣接する基地局の測定値を取得するステップと、
少なくとも１つの隣接する基地局の測定値に従って、少なくとも１つの隣接する基地局にあらかじめ設定されたルールを満たす新しいターゲット基地局が存在すると決定した場合、トランシーバユニット５０３を使用することによって、リンク変更を示す情報を新しいターゲット基地局に送信するステップと
をさらに含む。
【０３２８】
任意選択で、リンク変更を示す情報は、以下のコンテンツのうちの任意の１つを含む。
端末へのリンクの追加を示すために使用される指示情報と、
端末へのリンクの転送を示すために使用される指示情報と、
端末へのリンクの切替えを示すために使用される指示情報。
【０３２９】
任意選択で、端末へのリンクの追加は、具体的には、端末とターゲット基地局との間のリンクを端末に追加することであり、
端末へのリンクの転送は、具体的には、ソース基地局がマクロ基地局であり、ターゲット基地局がマイクロ基地局である場合、接続がすでに確立されている端末とマイクロ基地局との間のリンクを、端末とターゲット基地局との間のリンクに転送することであり、または、ソース基地局がマイクロ基地局であり、ターゲット基地局がマイクロ基地局である場合、端末とソース基地局との間のリンクを、端末とターゲット基地局との間のリンクに転送することであり、
端末へのリンクの切替えは、具体的には、端末をソース基地局に接続されたリンクからターゲット基地局に接続されたリンクに切り替えることである。
【０３３０】
任意選択で、ソース基地局はマクロ基地局もしくはマイクロ基地局であり、ターゲット基地局はマイクロ基地局であるか、または、マクロ基地局はプライマリ基地局であり、マイクロ基地局はセカンダリ基地局である。
【０３３１】
バスアーキテクチャは、具体的には、プロセッサによって表される１つまたは複数のプロセッサの様々な回路と、メモリ５０２によって表されるメモリ５０２とを相互接続するために、任意の数の相互接続バスおよびブリッジを含み得る。バスアーキテクチャは、周辺デバイス、電圧レギュレータ、および電力管理回路などの様々な他の回路をさらに相互接続し得る。これらはすべて当該技術分野においてよく知られており、したがって本明細書ではこれ以上説明されない。バスインターフェースはインターフェースを提供する。トランシーバは複数の要素であり得、すなわち、送信媒体上の様々な他の装置と通信するためのユニットを提供する送信器およびトランシーバを含み得る。プロセッサは、バスアーキテクチャ管理および一般的な処理を担当する。メモリ５０２は、プロセッサが動作を実行するときに使用されるデータを記憶し得る。
【０３３２】
前述の内容から分かるように、端末が、少なくとも１つの隣接する基地局の測定値に従って、少なくとも１つの隣接する基地局にあらかじめ設定されたルールを満たすターゲット基地局が存在すると決定した場合、端末は、リンク変更を示す情報をターゲット基地局に送信する。前述の処理において、端末は、リンク変更を示す情報を開始する。したがって、端末は、測定値をソース基地局に報告する必要はなくてよく、代わりに、端末自体が測定値に従って決定を実行し、あらかじめ設定されたルールを満たす基地局が存在すると決定した場合、リンク変更を示す情報を開始して、それによって端末とターゲット基地局との間のリンク変更を実施する。この解決策では、端末は、測定値をソース基地局に報告し、ソース基地局が、報告された測定値に従って、リンク変更を示す情報が開始されるべきかどうかを決定できるようにする必要はない。したがって、端末の負荷が軽減され、端末のサービス送信効率が向上する。
【０３３３】
図６は、本発明の一実施形態による、基地局の概略的な構成図の例を示している。
【０３３４】
同じ概念に基づいて、本発明の一実施形態は、前述の方法を実行するように構成された基地局を提供する。図６に示されるように、基地局は前述の内容のソース基地局であり、基地局６００は、処理ユニット６０１と、トランシーバユニット６０３と、メモリ６０２とを含む。
【０３３５】
処理ユニット６０１はプロセッサであり得、メモリ６０２内のプログラムを読み取って以下の処理を実行するように構成される。
【０３３６】
トランシーバユニット６０３は、端末によって送信されたリンク変更を示す情報を受信するように構成される。
【０３３７】
処理ユニット６０１は、リンク変更を示す情報を処理するように構成される。
【０３３８】
任意選択で、本発明のこの実施形態では、処理ユニット６０１はプロセッサであり得、トランシーバユニット６０３は送受信機能を有するトランシーバであり得る。
【０３３９】
任意選択で、処理ユニット６０１は、
リンク変更を示す情報を受け入れると決定した場合、あらかじめ設定されたルールを満たす少なくとも１つの隣接する基地局におけるターゲット基地局を決定することと、
ターゲット基地局および端末とのリンク変更処理を実行することと
を行うように構成される。
【０３４０】
任意選択で、トランシーバユニット６０３は、
端末によって送信されたリンク変更を示し、あらかじめ設定されたルールを満たす少なくとも１つの隣接する基地局の識別子を含む情報を受信すること、または、
あらかじめ設定されたルールを満たす少なくとも１つの隣接する基地局の識別子と、端末によって送信されたリンク変更を示す情報とを受信すること
を行うように構成される。
【０３４１】
任意選択で、トランシーバユニット６０３は、
端末がリンク変更を示す情報を送信することが許可されていることを示すために使用される指示情報を端末に送信するようにさらに構成される。
【０３４２】
任意選択で、端末がリンク変更を示す情報を送信することが許可されていることを示すために使用される指示情報は、以下の情報のうちの任意の１つまたは複数である。
あらかじめ設定されたルールを示すために使用される情報と、
あらかじめ設定されたルールに含まれるしきい値を示すために使用される情報と、
端末が少なくとも１つの隣接する基地局を測定することを可能にするために使用される測定要求と、
端末がリンク変更を示す情報を送信することを可能にする情報と、
リンク変更を示す情報をソース基地局またはターゲット基地局に送信するように端末に指示するために使用される指示情報。
【０３４３】
任意選択で、あらかじめ設定されたルールは以下のうちの少なくとも１つである。
満たされる必要があるしきい値に関する情報、および、
隣接する基地局のキャリアまたはセルの機能を示す情報。
【０３４４】
任意選択で、しきい値に関する情報は、移動状態推定ＭＳＥのパラメータ範囲、および／または端末の無線アクセス技術ＲＡＴのパラメータ範囲を含む。
【０３４５】
任意選択で、少なくとも１つの隣接する基地局の測定値は、以下のうちの少なくとも１つを含む。
少なくとも１つの隣接する基地局を測定することによって端末によって取得された測定結果と、
少なくとも１つの隣接する基地局によってブロードキャストされ、少なくとも１つの隣接する基地局のキャリアまたはセルが機能を有するかどうかを示すために使用される指示情報。
【０３４６】
任意選択で、機能を示す情報は、マルチ接続機能指示情報、多入力多出力ＭＩＭＯ技術機能指示情報、二重接続機能指示情報、および受信機機能がサポートされていることを示す指示情報のうちの少なくとも１つであり得る。
【０３４７】
任意選択で、トランシーバユニット６０３は、
無線リソース制御ＲＲＣ接続設定コマンドを端末に送信することと、
端末がＲＲＣ接続設定コマンドに従ってＲＲＣ接続設定を実行した後、端末によって送信されたＲＲＣ接続設定完了応答を受信することと
を行うようにさらに構成される。
【０３４８】
任意選択で、トランシーバユニット６０３は、
リンク変更要求をターゲット基地局に送信することと、
ターゲット基地局によって返されたリンク変更応答を受信することと、
リンク変更応答を受信した後、無線リソース制御ＲＲＣ接続設定コマンドを端末に送信することと、
端末によって送信されたＲＲＣ接続設定完了応答を受信した後、リンク変更処理完了コマンドをターゲット基地局に送信し、端末がターゲット基地局にランダムにアクセスできるようにすることと
を行うようにさらに構成される。
【０３４９】
任意選択で、トランシーバユニット６０３は、
リンク変更応答を受信した後、ＲＲＣ接続設定コマンドを端末に送信する前に、
端末が接続されているマクロ基地局にリンク変更指示を送信することをさらに含むことを行うようにさらに構成され、
処理ユニット６０１は、
ターゲット基地局とのベアラパスを切り替えるようにさらに構成される。
【０３５０】
任意選択で、リンク変更を示す情報は、以下のコンテンツのうちの任意の１つを含む。
端末へのリンクの追加を示すために使用される指示情報と、
端末へのリンクの転送を示すために使用される指示情報と、
端末へのリンクの切替えを示すために使用される指示情報。
【０３５１】
任意選択で、端末へのリンクの追加は、具体的には、端末とターゲット基地局との間のリンクを端末に追加することであり、
端末へのリンクの転送は、具体的には、ソース基地局がマクロ基地局であり、ターゲット基地局がマイクロ基地局である場合、接続がすでに確立されている端末とマイクロ基地局との間のリンクを、端末とターゲット基地局との間のリンクに転送することであり、または、ソース基地局がマイクロ基地局であり、ターゲット基地局がマイクロ基地局である場合、端末とソース基地局との間のリンクを、端末とターゲット基地局との間のリンクに転送することであり、
端末へのリンクの切替えは、具体的には、端末をソース基地局に接続されたリンクからターゲット基地局に接続されたリンクに切り替えることである。
【０３５２】
任意選択で、ソース基地局はマクロ基地局もしくはマイクロ基地局であり、ターゲット基地局はマイクロ基地局であるか、または、マクロ基地局はプライマリ基地局であり、マイクロ基地局はセカンダリ基地局である。
【０３５３】
バスアーキテクチャは、具体的には、プロセッサによって表される１つまたは複数のプロセッサの様々な回路と、メモリ６０２によって表されるメモリ６０２とを相互接続するために、任意の数の相互接続バスおよびブリッジを含み得る。バスアーキテクチャは、周辺デバイス、電圧レギュレータ、および電力管理回路などの様々な他の回路をさらに相互接続し得る。これらはすべて当該技術分野においてよく知られており、したがって本明細書ではこれ以上説明されない。バスインターフェースはインターフェースを提供する。トランシーバは複数の要素であり得、すなわち、送信媒体上の様々な他の装置と通信するためのユニットを提供する送信器およびトランシーバを含み得る。プロセッサは、バスアーキテクチャ管理および一般的な処理を担当する。メモリ６０２は、プロセッサが動作を実行するときに使用されるデータを記憶し得る。
【０３５４】
前述の内容から分かるように、端末が、少なくとも１つの隣接する基地局にあらかじめ設定されたルールを満たす少なくとも１つの隣接する基地局が存在すると決定した場合、端末は、リンク変更を示す情報を端末が接続されているソース基地局に送信する。前述の処理において、端末は、リンク変更を示す情報を開始する。したがって、端末は、測定値をソース基地局に報告する必要はなくてよく、代わりに、端末自体が測定値に従って決定を実行し、あらかじめ設定されたルールを満たす基地局が存在すると決定した場合、リンク変更を示す情報を開始して、それによって端末とターゲット基地局との間のリンク変更を実施する。この解決策では、端末は、測定値をソース基地局に報告し、ソース基地局が、報告された測定値に従って、リンク変更を示す情報が開始されるべきかどうかを決定できるようにする必要はない。したがって、端末の負荷が軽減され、端末のサービス送信効率が向上する。
【０３５５】
図７は、本発明の一実施形態による、端末の概略的な構成図の例を示している。
【０３５６】
同じ概念に基づいて、本発明の一実施形態は、前述の方法を実行するように構成された基地局を提供する。図７に示されるように、基地局は前述の内容のターゲット基地局であり、基地局７００は、処理ユニット７０１と、トランシーバユニット７０３と、メモリ７０２とを含む。
【０３５７】
処理ユニット７０１はプロセッサであり得、メモリ７０２内のプログラムを読み取って以下の処理を実行するように構成される。
【０３５８】
トランシーバユニット７０３は、端末によって送信されたリンク変更を示す情報を受信するように構成される。
【０３５９】
処理ユニット７０１は、リンク変更を示す情報を処理するように構成される。
【０３６０】
任意選択で、本発明のこの実施形態では、処理ユニット７０１はプロセッサであり得、トランシーバユニット７０３は送受信機能を有するトランシーバであり得る。
【０３６１】
任意選択で、処理ユニット７０１は、
リンク変更を示す情報を受け入れると決定した場合、ソース基地局および端末とのリンク変更処理を実行するように構成される。
【０３６２】
任意選択で、トランシーバユニット７０３は、
端末によって送信されたリンク変更を示し、ソース基地局の識別子を含む情報を受信すること、または、
ソース基地局の識別子と、端末によって送信されたリンク変更を示す情報とを受信すること
を行うように構成される。
【０３６３】
任意選択で、トランシーバユニット７０３は、
端末によって送信された、端末がソース基地局に接続されたときに接続された他のマイクロ基地局の識別子を受信するようにさらに構成され、
処理ユニット７０１は、
他のマイクロ基地局において起動される必要があるマイクロ基地局を決定し、起動される必要がある決定されたマイクロ基地局を起動するようにさらに構成される。
【０３６４】
任意選択で、トランシーバユニット７０３は、
基地局のキャリアまたはセルの機能を示す情報をブロードキャストするようにさらに構成される。
【０３６５】
任意選択で、機能を示す情報は、マルチ接続機能指示情報、多入力多出力ＭＩＭＯ技術機能指示情報、二重接続機能指示情報、および受信機機能がサポートされていることを示す指示情報のうちの少なくとも１つであり得る。
【０３６６】
任意選択で、トランシーバユニット７０３は、
リンク変更要求をソース基地局に送信することと、
ソース基地局によって返されたリンク変更応答を受信することと、
ソース基地局によって送信されたリンク変更処理完了コマンドを受信することと
を行うように構成され、
リンク変更応答を返した後、ソース基地局が、無線リソース制御ＲＲＣ接続設定コマンドを端末に送信し、端末によって送信されたＲＲＣ接続設定完了応答を受信した後、ソース基地局によってリンク変更処理完了コマンドが送信される。
【０３６７】
任意選択で、処理ユニット７０１は、
トランシーバユニット７０３が、ソース基地局によって返されたリンク変更応答を受信した後、および、トランシーバユニット７０３が、ソース基地局によって送信されたリンク変更処理完了コマンドを受信する前に、ソース基地局とのベアラパスを切り替えるようにさらに構成される。
【０３６８】
任意選択で、リンク変更を示す情報は、以下のコンテンツのうちの任意の１つを含む。
端末へのリンクの追加を示すために使用される指示情報と、
端末へのリンクの転送を示すために使用される指示情報と、
端末へのリンクの切替えを示すために使用される指示情報。
【０３６９】
任意選択で、端末へのリンクの追加は、具体的には、端末とターゲット基地局との間のリンクを端末に追加することであり、
端末へのリンクの転送は、具体的には、ソース基地局がマクロ基地局であり、ターゲット基地局がマイクロ基地局である場合、接続がすでに確立されている端末とマイクロ基地局との間のリンクを、端末とターゲット基地局との間のリンクに転送することであり、または、ソース基地局がマイクロ基地局であり、ターゲット基地局がマイクロ基地局である場合、端末とソース基地局との間のリンクを、端末とターゲット基地局との間のリンクに転送することであり、
端末へのリンクの切替えは、具体的には、端末をソース基地局に接続されたリンクからターゲット基地局に接続されたリンクに切り替えることである。
【０３７０】
任意選択で、ソース基地局はマクロ基地局もしくはマイクロ基地局であり、ターゲット基地局はマイクロ基地局であるか、または、マクロ基地局はプライマリ基地局であり、マイクロ基地局はセカンダリ基地局である。
【０３７１】
バスアーキテクチャは、具体的には、プロセッサによって表される１つまたは複数のプロセッサの様々な回路と、メモリ７０２によって表されるメモリ７０２とを相互接続するために、任意の数の相互接続バスおよびブリッジを含み得る。バスアーキテクチャは、周辺デバイス、電圧レギュレータ、および電力管理回路などの様々な他の回路をさらに相互接続し得る。これらはすべて当該技術分野においてよく知られており、したがって本明細書ではこれ以上説明されない。バスインターフェースはインターフェースを提供する。トランシーバは複数の要素であり得、すなわち、送信媒体上の様々な他の装置と通信するためのユニットを提供する送信器およびトランシーバを含み得る。プロセッサは、バスアーキテクチャ管理および一般的な処理を担当する。メモリ７０２は、プロセッサが動作を実行するときに使用されるデータを記憶し得る。
【０３７２】
前述の内容から分かるように、端末が、少なくとも１つの隣接する基地局の測定値に従って、少なくとも１つの隣接する基地局にあらかじめ設定されたルールを満たすターゲット基地局が存在すると決定した場合、端末は、リンク変更を示す情報をターゲット基地局に送信する。前述の処理において、端末は、リンク変更を示す情報を開始する。したがって、端末は、測定値をソース基地局に報告する必要はなくてよく、代わりに、端末自体が測定値に従って決定を実行し、あらかじめ設定されたルールを満たす基地局が存在すると決定した場合、リンク変更を示す情報を開始して、それによって端末とターゲット基地局との間のリンク変更を実施する。この解決策では、端末は、測定値をソース基地局に報告し、ソース基地局が、報告された測定値に従って、リンク変更を示す情報が開始されるべきかどうかを決定できるようにする必要はない。したがって、端末の負荷が軽減され、端末のサービス送信効率が向上する。
【０３７３】
当業者であれば、本発明の実施形態が、方法またはコンピュータプログラム製品として提供され得ることを理解すべきである。したがって、本発明は、ハードウェアのみの実施形態、ソフトウェアのみの実施形態、またはソフトウェアとハードウェアとの組合せの実施形態の形態を使用し得る。さらに、本発明は、コンピュータ使用可能なプログラムコードを含む、１つまたは複数のコンピュータ使用可能な記憶媒体（ディスクメモリ、ＣＤ−ＲＯＭ、光メモリなどを含むが、これに限定されない）上に実装されるコンピュータプログラム製品の形態を使用し得る。
【０３７４】
本発明は、本発明の実施形態による方法、デバイス（システム）、およびコンピュータプログラム製品のフローチャートおよび／またはブロック図を参照して説明される。フローチャートおよび／またはブロック図における各処理および／または各ブロック、ならびにフローチャートおよび／またはブロック図における処理および／またはブロックの組合せを実装するために、コンピュータプログラム命令が使用され得ることを理解されたい。これらのコンピュータプログラム命令は、機械を生成するために汎用コンピュータ、専用コンピュータ、組込みプロセッサ、または任意の他のプログラム可能データ処理デバイスのプロセッサに提供されてよく、コンピュータまたは任意の他のプログラム可能データ処理デバイスのプロセッサによって実行される命令が、フローチャートにおける１つもしくは複数の処理および／またはブロック図における１つもしくは複数のブロックにおいて特定の機能を実装するための装置を生成できるようにする。
【０３７５】
これらのコンピュータプログラム命令は、コンピュータまたは他のプログラム可能データ処理デバイスに具体的な方法で働くように指示することができるコンピュータ可読メモリに記憶され得、コンピュータ可読メモリに記憶された命令が命令装置を含むアーティファクトを生成できるようにする。命令装置は、フローチャートにおける１つもしくは複数の処理および／またはブロック図における１つもしくは複数のブロックにおいて特定の機能を実装する。
【０３７６】
これらのコンピュータプログラム命令は、コンピュータまたは別のプログラム可能データ処理デバイスにロードされ得、コンピュータまたは別のプログラム可能デバイス上で一連の動作およびステップが実行され、それによってコンピュータ実装処理を生成できるようにする。したがって、コンピュータまたは別のプログラム可能デバイス上で実行される命令は、フローチャートにおける１つもしくは複数の処理および／またはブロック図における１つもしくは複数のブロックにおいて特定の機能を実装するためのステップを提供する。
【０３７７】
本発明のいくつかの好ましい実施形態が説明されているが、当業者は、基本的な発明概念を学べば、これらの実施形態を変更および修正することができる。したがって、添付の特許請求の範囲は、本発明の範囲内に入る好ましい実施形態ならびにすべての変更および修正を含むと解釈されることが意図されている。
【０３７８】
明らかに、当業者は、本発明の趣旨および範囲から逸脱することなしに、本発明に対して様々な修正および変形を行うことができる。本発明は、添付の特許請求の範囲およびそれらの等価な技術によって規定される保護の範囲内に入るという条件で、これらの修正および変形を含むことが意図されている。
【図１】
2019508979.tif 000003
【図２ａ】
2019508979.tif 000004
【図２ｂ−１】
2019508979.tif 000005
【図２ｂ−２】
2019508979.tif 000006
【図２ｃ−１】
2019508979.tif 000007
【図２ｃ−２】
2019508979.tif 000008
【図２ｄ−１】
2019508979.tif 000009
【図２ｄ−２】
2019508979.tif 000010
【図３ａ】
2019508979.tif 000011
【図３ｂ】
2019508979.tif 000012
【図３ｃ−１】
2019508979.tif 000013
【図３ｃ−２】
2019508979.tif 000014
【図４】
2019508979.tif 000015
【図５】
2019508979.tif 000016
【図６】
2019508979.tif 000017
【図７】
2019508979.tif 000018
【手続補正書】
【提出日】平成30年10月19日(2018.10.19)
【手続補正１】
【補正対象書類名】特許請求の範囲
【補正対象項目名】全文
【補正方法】変更
【補正の内容】
【特許請求の範囲】
【請求項１】
マイクロ基地局に基づく接続動作方法であって、
端末によって、少なくとも１つの隣接する基地局を測定して、前記少なくとも１つの隣接する基地局の測定値を取得するステップと、
前記少なくとも１つの隣接する基地局の前記測定値に従って、前記少なくとも１つの隣接する基地局にあらかじめ設定されたルールを満たす少なくとも１つの隣接する基地局が存在すると決定した場合、前記端末によって、リンク変更を示す情報をソース基地局に送信するステップと
を備える方法。
【請求項２】
前記ソース基地局が前記リンク変更を示す前記情報を受け入れると決定した場合、前記リンク変更を示す前記情報が使用され、前記ソース基地局は、前記あらかじめ設定されたルールを満たす前記少なくとも１つの隣接する基地局におけるターゲット基地局を決定し、前記ターゲット基地局および前記端末とのリンク変更処理を実行することを可能になる請求項１に記載の方法。
【請求項３】
前記端末によって、リンク変更を示す情報をソース基地局に送信する前記ステップは、
前記端末によって、前記リンク変更を示し、前記あらかじめ設定されたルールを満たす前記少なくとも１つの隣接する基地局の識別子を備える前記情報を前記ソース基地局に送信するステップ、または、
前記端末によって、前記あらかじめ設定されたルールを満たす前記少なくとも１つの隣接する基地局の識別子と、前記リンク変更を示す前記情報とを前記ソース基地局に送信するステップ
を備える請求項２に記載の方法。
【請求項４】
前記あらかじめ設定されたルールは、
満たされる必要があるしきい値に関する情報、および、
隣接する基地局のキャリアまたはセルの機能を示す情報
のうちの少なくとも１つであり、
前記しきい値に関する前記情報は、移動状態推定ＭＳＥのパラメータ範囲、および／または前記端末の無線アクセス技術ＲＡＴのパラメータ範囲を備え、および、
前記機能を示す前記情報は、マルチ接続機能指示情報、多入力多出力ＭＩＭＯ技術機能指示情報、および受信機機能がサポートされていることを示す指示情報のうちの少なくとも１つのコンテンツのうちの少なくとも１つである
請求項１乃至３のいずれか一項に記載の方法。
【請求項５】
前記少なくとも１つの隣接する基地局の前記測定値は、
前記少なくとも１つの隣接する基地局を測定することによって前記端末によって取得された測定結果と、
前記少なくとも１つの隣接する基地局によってブロードキャストされ、前記少なくとも１つの隣接する基地局のキャリアまたはセルは機能を有するかどうかを示すために使用される指示情報と
のうちの少なくとも１つを備える請求項１乃至４のいずれか一項に記載の方法。
【請求項６】
前記端末は、あらかじめ設定された持続時間内に、前記ソース基地局によって返され、前記ソース基地局が前記リンク変更を示す前記情報を受け入れることを示すために使用される応答メッセージを受信しない場合、
前記端末によって、前記少なくとも１つの隣接する基地局を再度測定して、前記少なくとも１つの隣接する基地局の測定値を取得するステップと、
前記少なくとも１つの隣接する基地局の前記測定値に従って、前記少なくとも１つの隣接する基地局に前記あらかじめ設定されたルールを満たす少なくとも１つの隣接する基地局が存在すると決定した場合、前記端末によって、リンク変更を示す情報を前記ソース基地局に送信するステップと
をさらに備える請求項１乃至５のいずれか一項に記載の方法。
【請求項７】
前記リンク変更を示す前記情報は、
前記端末へのリンクの追加を示すために使用される指示情報と、
前記端末へのリンクの転送を示すために使用される指示情報と、
前記端末へのリンクの切替えを示すために使用される指示情報と
のコンテンツのうちの任意の１つを備える請求項１乃至６のいずれか一項に記載の方法。
【請求項８】
マイクロ基地局に基づく接続動作方法であって、
ソース基地局によって、端末によって送信されたリンク変更を示す情報を受信するステップと、
前記ソース基地局によって、前記リンク変更を示す前記情報を処理するステップと
を備える方法。
【請求項９】
前記ソース基地局によって、前記リンク変更を示す前記情報を処理する前記ステップは、
前記リンク変更を示す前記情報を受け入れると決定した場合、前記ソース基地局によって、あらかじめ設定されたルールを満たす少なくとも１つの隣接する基地局におけるターゲット基地局を決定するステップと、
前記ソース基地局によって、前記ターゲット基地局および前記端末とのリンク変更処理を実行するステップと
を備える請求項８に記載の方法。
【請求項１０】
ソース基地局によって、端末によって送信されたリンク変更を示す情報を受信する前記ステップは、
前記ソース基地局によって、前記端末によって送信された前記リンク変更を示し、前記あらかじめ設定されたルールを満たす前記少なくとも１つの隣接する基地局の識別子を備える前記情報を受信するステップ、または、
前記ソース基地局によって、前記あらかじめ設定されたルールを満たす前記少なくとも１つの隣接する基地局の識別子と、前記端末によって送信された前記リンク変更を示す前記情報とを受信するステップ
を備える請求項９に記載の方法。
【請求項１１】
ソース基地局によって、端末によって送信されたリンク変更を示す情報を受信する前記ステップの前に、
前記ソース基地局によって、前記端末は前記リンク変更を示す前記情報を送信することが許可されていることを示すために使用される指示情報を前記端末に送信するステップをさらに備える請求項８乃至１０のいずれか一項に記載の方法。
【請求項１２】
前記端末は前記リンク変更を示す前記情報を送信することが許可されていることを示すために使用される前記指示情報は、
前記あらかじめ設定されたルールを示すために使用される情報と、
前記あらかじめ設定されたルールに備えられるしきい値を示すために使用される情報と、
前記端末が前記少なくとも１つの隣接する基地局を測定することを可能にするために使用される測定要求と、
前記端末が前記リンク変更を示す前記情報を送信することを可能にする情報と、
前記リンク変更を示す前記情報を前記ソース基地局または前記ターゲット基地局に送信するように前記端末に指示するために使用される指示情報と
のうちの任意の１つまたは複数である請求項１１に記載の方法。
【請求項１３】
前記あらかじめ設定されたルールは、
満たされる必要がある前記しきい値に関する情報、および、
隣接する基地局のキャリアまたはセルの機能を示す情報
のうちの少なくとも１つであり、
前記しきい値に関する前記情報は、移動状態推定ＭＳＥのパラメータ範囲、および／または前記端末の無線アクセス技術ＲＡＴのパラメータ範囲を備え、および、
前記機能を示す前記情報は、マルチ接続機能指示情報、多入力多出力ＭＩＭＯ技術機能指示情報、二重接続機能指示情報、および受信機機能がサポートされていることを示す指示情報のうちの少なくとも１つであり得る
請求項８乃至１２のいずれか一項に記載の方法。
【請求項１４】
前記少なくとも１つの隣接する基地局の前記測定値は、
前記少なくとも１つの隣接する基地局を測定することによって前記端末によって取得された測定結果と、
前記少なくとも１つの隣接する基地局によってブロードキャストされ、前記少なくとも１つの隣接する基地局のキャリアまたはセルは機能を有するかどうかを示すために使用される指示情報と
のうちの少なくとも１つを備える請求項８乃至１３のいずれか一項に記載の方法。
【請求項１５】
少なくとも１つの隣接する基地局を測定して、前記少なくとも１つの隣接する基地局の測定値を取得することと、
前記少なくとも１つの隣接する基地局の前記測定値に従って、前記少なくとも１つの隣接する基地局にあらかじめ設定されたルールを満たす少なくとも１つの隣接する基地局が存在すると決定した場合、トランシーバユニットを使用することによって、リンク変更を示す情報をソース基地局に送信することと
を行うように構成された処理ユニットと、
前記リンク変更を示す前記情報を前記ソース基地局に送信するように構成された前記トランシーバユニットと
を備える端末。
【請求項１６】
前記ソース基地局が前記リンク変更を示す前記情報を受け入れると決定した場合、前記リンク変更を示す前記情報が使用され、前記ソース基地局は、前記あらかじめ設定されたルールを満たす前記少なくとも１つの隣接する基地局におけるターゲット基地局を決定し、前記ターゲット基地局および前記端末とのリンク変更処理を実行することを可能になる請求項１５に記載の端末。
【請求項１７】
前記トランシーバユニットは、
前記リンク変更を示し、前記あらかじめ設定されたルールを満たす前記少なくとも１つの隣接する基地局の識別子を備える前記情報を前記ソース基地局に送信すること、または、
前記あらかじめ設定されたルールを満たす前記少なくとも１つの隣接する基地局の識別子と、前記リンク変更を示す前記情報とを前記ソース基地局に送信すること
を行うように構成される請求項１６に記載の端末。
【請求項１８】
前記あらかじめ設定されたルールは、
満たされる必要があるしきい値に関する情報、および、
隣接する基地局のキャリアまたはセルの機能を示す情報
のうちの少なくとも１つであり、
前記しきい値に関する前記情報は、移動状態推定ＭＳＥのパラメータ範囲、および／または前記端末の無線アクセス技術ＲＡＴのパラメータ範囲を備え、および、
前記機能を示す前記情報は、マルチ接続機能指示情報、多入力多出力ＭＩＭＯ技術機能指示情報、および受信機機能がサポートされていることを示す指示情報のうちの少なくとも１つのコンテンツのうちの少なくとも１つである
請求項１５乃至１７のいずれか一項に記載の端末。
【請求項１９】
前記少なくとも１つの隣接する基地局の前記測定値は、
前記少なくとも１つの隣接する基地局を測定することによって前記処理ユニットによって取得された測定結果と、
前記少なくとも１つの隣接する基地局によってブロードキャストされ、前記少なくとも１つの隣接する基地局のキャリアまたはセルは機能を有するかどうかを示すために使用される指示情報と
のうちの少なくとも１つを備える請求項１５乃至１８のいずれか一項に記載の端末。
【請求項２０】
端末によって送信されたリンク変更を示す情報を受信するように構成されたトランシーバユニットと、
前記リンク変更を示す前記情報を処理するように構成された処理ユニットと
を備える基地局。
【請求項２１】
前記処理ユニットは、
前記リンク変更を示す前記情報を受け入れると決定した場合、あらかじめ設定されたルールを満たす少なくとも１つの隣接する基地局におけるターゲット基地局を決定することと、
前記ターゲット基地局および前記端末とのリンク変更処理を実行することと
を行うように構成される請求項２０に記載の基地局。
【請求項２２】
前記トランシーバユニットは、
前記端末によって送信された前記リンク変更を示し、前記あらかじめ設定されたルールを満たす前記少なくとも１つの隣接する基地局の識別子を備える前記情報を受信すること、または、
前記あらかじめ設定されたルールを満たす前記少なくとも１つの隣接する基地局の識別子と、前記端末によって送信された前記リンク変更を示す前記情報とを受信すること
を行うように構成される請求項２１に記載の基地局。
【請求項２３】
前記トランシーバユニットは、
前記端末は前記リンク変更を示す前記情報を送信することが許可されていることを示すために使用される指示情報を前記端末に送信するようにさらに構成される請求項２０乃至２２のいずれか一項に記載の基地局。
【請求項２４】
前記端末は前記リンク変更を示す前記情報を送信することが許可されていることを示すために使用される前記指示情報は、
前記あらかじめ設定されたルールを示すために使用される情報と、
前記あらかじめ設定されたルールに備えられるしきい値を示すために使用される情報と、
前記端末が前記少なくとも１つの隣接する基地局を測定することを可能にするために使用される測定要求と、
前記端末が前記リンク変更を示す前記情報を送信することを可能にする情報と、
前記リンク変更を示す前記情報を前記ソース基地局または前記ターゲット基地局に送信するように前記端末に指示するために使用される指示情報と
のうちの任意の１つまたは複数である請求項２３に記載の基地局。
【国際調査報告】
2019508979.tif 000019
2019508979.tif 000020
2019508979.tif 000021
2019508979.tif 000022